(57)【特許請求の範囲】
【請求項１】
無線通信システムにおける多重無線アクセス技術（ｍｕｌｔｉ−ｒａｄｉｏ  ａｃｃｅｓｓ  ｔｅｃｈｎｏｌｏｇｉｅｓ、ｍｕｌｔｉ−ＲＡＴ）をサポートする端末の方法であって、
第１ＲＡＴを介して基地局から第２ＲＡＴの非活性化を指示する制御信号を受信するステップと、
第２ＲＡＴを介してアクセスノードから前記端末が最後に受信したＰＤＣＰ（ｐａｃｋｅｔ  ｄａｔａ  ｃｏｎｖｅｒｇｅｎｃｅ  ｐｒｏｔｏｃｏｌ）データの第１シーケンスナンバを前記制御信号に対応して前記第１ＲＡＴを介して前記基地局に送信するステップと、
前記第１ＲＡＴを介して前記基地局から前記第１シーケンスナンバより大きいシーケンスナンバを有するＰＤＣＰデータを受信するステップと、を含む方法。
【請求項２】
前記第２ＲＡＴが活性化された時、前記第２ＲＡＴを介して前記アクセスノードからのＰＤＣＰデータのモニタリングを開始するステップをさらに含む請求項１に記載の方法。
【請求項３】
前記第２ＲＡＴを介して前記アクセスノードからの前記ＰＤＣＰデータのモニタリングを開始した場合、前記第２ＲＡＴを介して前記アクセスノードから前記ＰＤＣＰデータを受信するために要求される情報を含むビーコン信号を受信するステップをさらに含み、
前記ビーコン信号は固定された区間の間送信される第１タイプビーコン信号又は前記第１タイプビーコン信号の前記固定された区間中の時点に送信される第２タイプビーコン信号を含み、
前記第２タイプビーコン信号は前記第１タイプビーコン信号に含まれた情報の一部を含む請求項２に記載の方法。
【請求項４】
前記第２ＲＡＴを介して前記アクセスノードからの前記ＰＤＣＰデータのモニタリングを開始した場合、前記第２ＲＡＴを介して前記アクセスノードから前記ＰＤＣＰデータを受信するために要求される情報を含むビーコン信号を受信するステップと、
前記ビーコン信号が受信されなかった場合、前記第１ＲＡＴを介して前記基地局に前記第２ＲＡＴのためにアクセスノードの変更が必要であることを示す情報を含む信号を送信するステップと、
前記第２ＲＡＴを介して受信される信号に基づいて前記第２ＲＡＴのためのターゲットアクセスノードを決定するステップと、
前記第１ＲＡＴを介して前記基地局に前記ターゲットアクセスノードから前記ターゲットアクセスノードと関連付けられた情報を送信するステップと、
前記第２ＲＡＴを介して前記ターゲットアクセスノードからＰＤＣＰデータを受信するために要求される情報を含むビーコン信号を受信するステップと、をさらに含む請求項２に記載の方法。
【請求項５】
前記第２ＲＡＴを介した前記アクセスノードからの前記ＰＤＣＰデータのモニタリングを中断することを示す信号を送信するステップと、
前記信号を送信した後、前記第２ＲＡＴを介した前記アクセスノードからの前記ＰＤＣＰデータのモニタリングを中断するステップをさらに含む請求項２に記載の方法。
【請求項６】
前記第２ＲＡＴを介した前記アクセスノードからの前記ＰＤＣＰデータのモニタリングを中断するステップと、
前記第２ＲＡＴを介した前記アクセスノードからの前記ＰＤＣＰデータのモニタリングが中断された後、前記第２ＲＡＴを介した前記アクセスノードからの前記ＰＤＣＰデータのモニタリングを中断することを示す信号を送信するステップをさらに含む請求項２に記載の方法。
【請求項７】
前記第２ＲＡＴを介して前記アクセスノードから最後に受信した前記ＰＤＣＰデータの前記第１シーケンスナンバを識別するステップをさらに含む請求項１に記載の方法。
【請求項８】
前記制御信号から前記第２ＲＡＴを介して前記アクセスノードから最後に受信するＰＤＣＰデータを示す第２シーケンスナンバを獲得するステップと、
前記第２シーケンスナンバに基づいて前記第２ＲＡＴを介して前記アクセスノードからＰＤＣＰデータの受信が完了したか否かを決定するステップをさらに含む請求項１に記載の方法。
【請求項９】
タイマー値を含むメッセージを受信するステップと、
前記タイマー値でタイマーを開始するステップと、
前記タイマーが満了すると、前記第２ＲＡＴを介した前記アクセスノードからの前記ＰＤＣＰデータのモニタリングを中断するステップと、をさらに含む請求項２に記載の方法。
【請求項１０】
無線通信システムにおける多重無線アクセス技術（ｍｕｌｔｉ−ｒａｄｉｏ  ａｃｃｅｓｓ  ｔｅｃｈｎｏｌｏｇｉｅｓ、ｍｕｌｔｉ−ＲＡＴ）をサポートする端末の装置であって、
第１ＲＡＴをサポートするように構成された第１通信モジュール；
第２ＲＡＴをサポートするように構成された第２通信モジュール；及び
前記第１通信モジュール及び前記第２通信モジュールと機能的に接続された少なくとも１つのプロセッサを含み、
前記少なくとも１つのプロセッサは、
前記第１ＲＡＴを介して基地局から第２ＲＡＴの非活性化を指示する制御信号を受信し、
前記第２ＲＡＴを介してアクセスノードから前記端末が最後に受信したＰＤＣＰ（ｐａｃｋｅｔ  ｄａｔａ  ｃｏｎｖｅｒｇｅｎｃｅ  ｐｒｏｔｏｃｏｌ）データの第１シーケンスナンバを前記制御信号に対応して前記第１ＲＡＴを介して前記基地局に送信し、
前記第１ＲＡＴを介して前記基地局から前記第１シーケンスナンバより大きいシーケンスナンバを有するＰＤＣＰデータを受信するように構成された装置。
【請求項１１】
前記少なくとも１つのプロセッサは、前記第２ＲＡＴが活性化された時、前記第２ＲＡＴを介して前記アクセスノードからのＰＤＣＰデータのモニタリングを開始するようにさらに構成された請求項１０に記載の装置。
【請求項１２】
前記少なくとも１つのプロセッサは、前記第２ＲＡＴを介して前記アクセスノードからの前記ＰＤＣＰデータのモニタリングを開始した場合、前記第２ＲＡＴを介して前記アクセスノードから前記ＰＤＣＰデータを受信するために要求される情報を含むビーコン信号を受信するようにさらに構成され、
前記ビーコン信号は固定された区間の間送信される第１タイプビーコン信号又は前記第１タイプビーコン信号の前記固定された区間中の時点に送信される第２タイプビーコン信号を含み、
前記第２タイプビーコン信号は前記第１タイプビーコン信号に含まれた情報の一部を含む請求項１１に記載の装置。
【請求項１３】
前記少なくとも１つのプロセッサは、
前記第２ＲＡＴを介して前記アクセスノードからの前記ＰＤＣＰデータのモニタリングを開始した場合、前記第２ＲＡＴを介して前記アクセスノードから前記ＰＤＣＰデータを受信するために要求される情報を含むビーコン信号を受信し、
前記ビーコン信号が受信されなかった場合、前記第１ＲＡＴを介して前記基地局に前記第２ＲＡＴのためにアクセスノードの変更が必要であることを示す情報を含む信号を送信し、
前記第２ＲＡＴを介して受信される信号に基づいて前記第２ＲＡＴのためのターゲットアクセスノードを決定し、
前記第１ＲＡＴを介して前記基地局に前記ターゲットアクセスノードから前記ターゲットアクセスノードと関連付けられた情報を送信し、
前記第２ＲＡＴを介して前記ターゲットアクセスノードからＰＤＣＰデータを受信するために要求される情報を含むビーコン信号を受信するようにさらに構成された請求項１１に記載の装置。
【請求項１４】
前記少なくとも１つのプロセッサは、
前記第２ＲＡＴを介した前記アクセスノードからの前記ＰＤＣＰデータのモニタリングを中断することを示す信号を送信し、
前記信号を送信した後、前記第２ＲＡＴを介した前記アクセスノードからの前記ＰＤＣＰデータのモニタリングを中断するようにさらに構成された請求項１１に記載の装置。
【請求項１５】
前記少なくとも１つのプロセッサは、
前記第２ＲＡＴを介した前記アクセスノードからの前記ＰＤＣＰデータのモニタリングを中断し、
前記第２ＲＡＴを介した前記アクセスノードからの前記ＰＤＣＰデータのモニタリングが中断された後、前記第２ＲＡＴを介した前記アクセスノードからの前記ＰＤＣＰデータのモニタリングを中断することを示す信号を送信するようにさらに構成された請求項１１に記載の装置。
【請求項１６】
前記少なくとも１つのプロセッサは、
前記第２ＲＡＴを介して前記アクセスノードから最後に受信した前記ＰＤＣＰデータの前記第１シーケンスナンバを識別するようにさらに構成された請求項１０に記載の装置。
【請求項１７】
前記少なくとも１つのプロセッサは、
前記制御信号から前記第２ＲＡＴを介して前記アクセスノードから最後に受信するＰＤＣＰデータを示す第２シーケンスナンバを獲得し、
前記第２シーケンスナンバに基づいて前記第２ＲＡＴを介して前記アクセスノードからＰＤＣＰデータの受信が完了したか否かを決定するようにさらに構成された請求項１０に記載の装置。
【請求項１８】
前記少なくとも１つのプロセッサは、
タイマー値を含むメッセージを受信し、
前記タイマー値でタイマーを開始し、
前記タイマーが満了すると、前記第２ＲＡＴを介した前記アクセスノードからの前記ＰＤＣＰデータのモニタリングを中断するようにさらに構成された請求項１１に記載の装置。
【請求項１９】
無線通信システムにおける多重無線アクセス技術（ｍｕｌｔｉ−ｒａｄｉｏ  ａｃｃｅｓｓ  ｔｅｃｈｎｏｌｏｇｉｅｓ、ｍｕｌｔｉ−ＲＡＴ）をサポートする基地局の方法であって、
第１ＲＡＴを介して端末に第２ＲＡＴの非活性化を指示する制御信号を送信するステップと、
第２ＲＡＴを介してアクセスノードから前記端末が最後に受信したＰＤＣＰ（ｐａｃｋｅｔ  ｄａｔａ  ｃｏｎｖｅｒｇｅｎｃｅ  ｐｒｏｔｏｃｏｌ）データの第１シーケンスナンバを前記制御信号に対応して前記第１ＲＡＴを介して前記端末から受信するステップと、
前記第１ＲＡＴを介して前記端末に前記第１シーケンスナンバより大きいシーケンスナンバを有するＰＤＣＰデータを送信するステップと、を含む装置。
【請求項２０】
前記制御信号は前記第２ＲＡＴを介して前記アクセスノードから最後に受信するＰＤＣＰデータを示す第２シーケンスナンバを含む請求項１９に記載の装置。
【請求項２１】
無線通信システムにおける多重無線アクセス技術（ｍｕｌｔｉ−ｒａｄｉｏ  ａｃｃｅｓｓ  ｔｅｃｈｎｏｌｏｇｉｅｓ、ｍｕｌｔｉ−ＲＡＴ）をサポートする基地局の装置であって、
通信モジュール;及び
前記通信モジュールと機能的に接続された少なくとも１つのプロセッサを含み、
前記少なくとも１つのプロセッサは、
第１ＲＡＴを介して端末に第２ＲＡＴの非活性化を指示する制御信号を送信し、
第２ＲＡＴを介してアクセスノードから前記端末が最後に受信したＰＤＣＰ（ｐａｃｋｅｔ  ｄａｔａ  ｃｏｎｖｅｒｇｅｎｃｅ  ｐｒｏｔｏｃｏｌ）データの第１シーケンスナンバを前記制御信号に対応して前記第１ＲＡＴを介して前記端末から受信し、
前記第１ＲＡＴを介して前記端末に前記第１シーケンスナンバより大きいシーケンスナンバを有するＰＤＣＰデータを送信するように構成された装置。
【請求項２２】
前記制御信号は前記第２ＲＡＴを介して前記アクセスノードから最後に受信するＰＤＣＰデータを示す第２シーケンスナンバを含む請求項２１に記載の装置。
【発明の詳細な説明】
【技術分野】
【０００１】
本開示は、無線通信システムで多重無線アクセス技術（Ｍｕｌｔｉ−Ｒａｄｉｏ  Ａｃｃｅｓｓ  Ｔｅｃｈｎｏｌｏｇｙ）をサポートする端末の通信を制御する方法及び装置に関する。特に、本開示は、認可及び免許不要帯域多重無線接続技術（ｒａｄｉｏ  ａｃｃｅｓｓ  ｔｅｃｈｎｏｌｏｇｙ、ＲＡＴ）環境で認可帯域通信システム及び免許不要帯域通信システムを同時にサポートする端末の電力消耗を減少させるための方法及び装置に関する。
【背景技術】
【０００２】
４Ｇ通信システム（４ｔｈ  ｇｅｎｅｒａｔｉｏｎ）の商用化以降、増加の趨勢にある無線データトラフィック需要を充足させるために、改善された５Ｇ（５ｔｈ  ｇｅｎｅｒａｔｉｏｎ）通信システム又はｐｒｅ−５Ｇ通信システムを開発するための努力が注がれている。このような理由で、５Ｇ通信システム又はｐｒｅ−５Ｇ通信システムは４Ｇネットワーク以降の（Ｂｅｙｏｎｄ  ４Ｇ  Ｎｅｔｗｏｒｋ）通信システム又はＬＴＥ（Ｌｏｎｇ  Ｔｅｒｍ  Ｅｖｏｌｕｔｉｏｎ）システム以降の（Ｐｏｓｔ  ＬＴＥ）システムと呼ばれる。
【０００３】
より高いデータ伝送率を達成するために、５Ｇ通信システムは、超高周波（ｍｍＷａｖｅ）帯域（例えば、６０ギガ（ＧＨｚ）帯域のような）での具現が考慮されている。超高周波帯域での電波の伝搬経路損失を緩和し電波の伝達距離を増加させるために、５Ｇ通信システムではビームフォーミング（ｂｅａｍｆｏｒｍｉｎｇ）、マッシブマイモ（ｍａｓｓｉｖｅ  ＭＩＭＯ）、ＦＤ−ＭＩＭＯ（Ｆｕｌｌ  Ｄｉｍｅｎｓｉｏｎａｌ  ＭＩＭＯ）、アレイアンテナ（ａｒｒａｙ  ａｎｔｅｎｎａ）、アナログビームフォーミング（ａｎａｌｏｇ  ｂｅａｍ−ｆｏｒｍｉｎｇ）及び大規模アンテナ（ｌａｒｇｅ  ｓｃａｌｅ  ａｎｔｅｎｎａ）技術が論議されている。
【０００４】
また、システムネットワークの改善のために、５Ｇ通信システムでは進歩した小型セル、改善された小型セル（ａｄｖａｎｃｅｄ  ｓｍａｌｌ  ｃｅｌｌ）、クラウド無線アクセスネットワーク（ｃｌｏｕｄ  ｒａｄｉｏ  ａｃｃｅｓｓ  ｎｅｔｗｏｒｋ、ｃｌｏｕｄ  ＲＡＮ）、超高密度ネットワーク（ｕｌｔｒａ−ｄｅｎｓｅ  ｎｅｔｗｏｒｋ）、デバイス間通信（Ｄｅｖｉｃｅ  ｔｏ  Ｄｅｖｉｃｅ  ｃｏｍｍｕｎｉｃａｔｉｏｎ、Ｄ２Ｄ）、無線バックホール（ｗｉｒｅｌｅｓｓ  ｂａｃｋｈａｕｌ）、移動ネットワーク（ｍｏｖｉｎｇ  ｎｅｔｗｏｒｋ）、協力通信（ｃｏｏｐｅｒａｔｉｖｅ  ｃｏｍｍｕｎｉｃａｔｉｏｎ）、ＣｏＭＰ（Ｃｏｏｒｄｉｎａｔｅｄ  Ｍｕｌｔｉ−Ｐｏｉｎｔｓ）、受信干渉除去（ｉｎｔｅｒｆｅｒｅｎｃｅ  ｃａｎｃｅｌｌａｔｉｏｎ）などの技術開発が行われている。
【０００５】
その他にも、５Ｇシステムでは進歩したコーディング変調（Ａｄｖａｎｃｅｄ  Ｃｏｄｉｎｇ  Ｍｏｄｕｌａｔｉｏｎ：ＡＣＭ）方式であるＦＱＡＭ（Ｈｙｂｒｉｄ  Ｆｒｅｑｕｅｎｃｙ  Ｓｈｉｆｔ  Ｋｅｙｉｎｇ  ａｎｄ  Ｑｕａｄｒａｔｕｒｅ  Ａｍｐｌｉｔｕｄｅ  Ｍｏｄｕｌａｔｉｏｎ）及びＳＷＳＣ（Ｓｌｉｄｉｎｇ  Ｗｉｎｄｏｗ  Ｓｕｐｅｒｐｏｓｉｔｉｏｎ  Ｃｏｄｉｎｇ）と、進歩した接続技術であるＦＢＭＣ（Ｆｉｌｔｅｒ  Ｂａｎｋ  Ｍｕｌｔｉ  Ｃａｒｒｉｅｒ）、ＮＯＭＡ（ｎｏｎ  ｏｒｔｈｏｇｏｎａｌ  ｍｕｌｔｉｐｌｅ  ａｃｃｅｓｓ）、及びＳＣＭＡ（ｓｐａｒｓｅ  ｃｏｄｅ  ｍｕｌｔｉｐｌｅ  ａｃｃｅｓｓ）などが開発されている。
【０００６】
さらに、最近では、認可及び免許不要帯域多重無線アクセス技術（Ｍｕｌｔｉ−ＲＡＴ）環境で認可帯域の通信システムと免許不要帯域の通信システムを同時にサポートするマルチモデム端末を效率的に動作させるための技術が論議されている。
【０００７】
上述した内容は単に本開示の理解を助けるための背景技術として表現された。上述した内容の中でいかなるものも本開示に関する背景技術として適用可能であるかについてはいかなる決定又は仮定も行われてはならない。
【発明の概要】
【発明が解決しようとする課題】
【０００８】
本開示の実施形態は、少なくとも上述した技術的課題ら及び／又は問題点を認知し、少なくとも以下で説明される効果を提供するためのものである。
【０００９】
本開示の実施形態は、認可及び免許不要帯域多重無線アクセス技術（Ｍｕｌｔｉ−ＲＡＴ）環境で認可帯域通信システムと免許不要帯域通信システムを同時にサポートする端末の電力消耗を減少させるための方法及び装置を提供することにある。
【００１０】
本開示の実施形態は、認可及び免許不要帯域の多重無線アクセス技術（Ｍｕｌｔｉ−ＲＡＴ）環境で、端末に含まれた互いに異なる無線アクセス技術をサポートする多数個の通信モジュールらのうち一部の通信モジュールの活性化状態を維持し、他の通信モジュールの活性状態を制御する方法及び装置を提供することにある。
【００１１】
本開示の実施形態は、認可及び免許不要帯域の多重無線アクセス技術環境で、１つの端末が少なくとも１つの他の端末に対するダウンリンクモニタリングを行い、少なくとも１つの他の端末に対する少なくとも１つの通信モジュールの活性状態を制御する方法及び装置を提供することにある。
【課題を解決するための手段】
【００１２】
本開示の実施形態によれば、無線通信システムにおける端末の方法は、第１システムをサポートする第１通信モジュールを用いて第２システムの動作に関する情報を受信する過程；及び前記第２システムの動作に関する情報に基づいて、前記第２システムをサポートする第２通信モジュールの活性状態を制御する過程を含むことができる。
【００１３】
本開示の実施形態によれば、第１システムをサポートする基地局の方法は、端末に対する第２システムのダウンリンクトラフィックの存在有無を感知する過程；及び前記第２システムのダウンリンクトラフィックの存在有無に基づいて、前記端末の第２システムの動作に関する情報を前記第１システムのリンクを介して前記端末に伝送する過程を含むことができる。
【００１４】
本開示の実施形態によれば、第２システムをサポートする基地局の方法は、端末に対して第１システムの基地局で制御する第２システムの通信モジュール状態を示す第１情報と前記端末の第２システムの通信モジュール状態を示す第２情報とが一致するか否かを決定する過程；及び前記第１情報と前記第２情報とが一致しない場合、前記第１システムの基地局に前記端末の第２システムの通信モジュール状態に対する変更を要求する過程を含むことができる。
【００１５】
本開示の実施形態によれば、無線通信システムにおける端末の装置は、第１システムをサポートする第１通信モジュール；第２システムをサポートする第２通信モジュール；及び前記第１通信モジュールを用いて第２システムの動作に関する情報を受信し、前記第２システムの動作に関する情報に基づいて、前記第２通信モジュールの活性状態を制御する制御部を含むことができる。
【００１６】
本開示の実施形態によれば、第２システムをサポートする基地局の装置は、通信モジュールと、端末に対する第２システムのダウンリンクトラフィックの存在有無を感知し、前記第２システムのダウンリンクトラフィックの存在有無に基づいて、前記端末の第２システムの動作に関する情報を前記第１システムのリンクを介して前記端末に伝送する制御部を含む。
【００１７】
本開示の実施形態によれば、第２システムをサポートする基地局の装置は、通信モジュールと、端末に対して第１システムの基地局で制御する第２システムの通信モジュール状態を示す第１情報と前記端末の第２システムの通信モジュール状態を示す第２情報とが一致するか否かを決定し、前記第１情報と前記第２情報とが一致しない場合、前記第１システムの基地局に前記端末の第２システムの通信モジュール状態に対する変更を要求する制御部を含むことができる。
【００１８】
本開示の実施形態によれば、無線通信システムにおける端末の方法は、第１システムの基地局から前記第１システムをサポートする第１通信モジュールを介して少なくとも１つの他の端末に対するダウンリンクトラフィックの発生有無を示す情報を含む信号を受信する過程；及び前記ダウンリンクトラフィックに対応する通信モジュールの活性状態制御を要求する信号を前記少なくとも１つの端末に伝送する過程を含むことができる。
【００１９】
本開示の実施形態によれば、無線通信システムにおける端末の方法は、他の端末から第１システムに対応する第１通信モジュールを介して第２システムに対応する第２通信モジュールの活性状態制御を要求する信号を受信する過程；及び前記他の端末から受信される信号に基づいて前記第２システムに対応する第２通信モジュールの活性状態を制御する過程を含むことができる。
【００２０】
本開示の実施形態によれば、無線通信システムにおける端末の装置は、互いに異なるシステムをサポートする多数の通信モジュールを含む通信部；及び第１システムの基地局から前記第１システムをサポートする第１通信モジュールを介して少なくとも１つの他の端末に対するダウンリンクトラフィックの発生有無を示す情報を含む信号を受信し、前記ダウンリンクトラフィックに対応する通信モジュールの活性状態制御を要求する信号を前記少なくとも１つの端末に伝送するように制御する制御部を含むことができる。
【００２１】
本開示の実施形態によれば、無線通信システムにおける端末の装置は、互いに異なるシステムをサポートする多数の通信モジュールを含む通信部；及び他の端末から第１システムに対応する第１通信モジュールを介して第２システムに対応する第２通信モジュールの活性状態制御を要求する信号を受信し、前記他の端末から受信される信号に基づいて前記第２システムに対応する第２通信モジュールの活性状態を制御する制御部を含むことができる。
【００２２】
本開示の他の観点、効果及び重要な技術的特徴らは図面と共に本開示の多様な実施形態を開示する下記の詳細な説明から通常の技術者に明確に理解されることができる。
【発明の効果】
【００２３】
本開示は、認可及び免許不要帯域多重無線アクセス技術（Ｍｕｌｔｉ−ＲＡＴ）環境で、端末に含まれた互いに異なる無線アクセス技術をサポートする多数個の通信モジュールらのうち第１無線アクセス技術をサポートする第１通信モジュールの活性化状態を維持し、少なくとも１つの他の通信モジュールらは該当システムを通したトラフィックが存在する場合にのみ活性化させ、トラフィックが存在しない間には非活性化させることによって、端末の電力消耗を減少させることができる。また、本開示は、多数の端末の間にグループを形成した後、グループ内の代表端末がグループ内の他の端末らに対するダウンリンクをモニタリングし、ダウンリンクモニタリングの結果に応じてグループ内の他の端末らに対する通信モジュールの活性状態を制御することによって、グループ内の他の端末らの電力消耗を減少させることができる。
【図面の簡単な説明】
【００２４】
本開示の多様な実施形態の上述した及び他の観点ら、特徴ら及び効果らは以下で添付される図面及び説明から明らかであろう。
【図１】認可帯域及び免許不要帯域多重無線アクセス技術（Ｍｕｌｔｉ−ＲＡＴ）環境のネットワークシステムを示す図である。
【図２Ａ】多重無線アクセス技術環境のネットワーク構造を示す図である。
【図２Ｂ】多重無線アクセス技術環境のネットワーク構造を示す図である。
【図３】無線ＬＡＮ（ＷＬＡＮ；Ｗｉｒｅｌｅｓｓ  Ｌｏｃａｌ  Ａｒｅａ  Ｎｅｔｗｏｒｋ）のＰＳＭ（Ｐｏｗｅｒ  Ｓａｖｉｎｇ  Ｍｏｄｅ）メカニズムを示す図である。
【図４】端末のＰＳＭ動作による電力消耗比率を示す図である。
【図５】オーバーラップされた無線ＬＡＮ密集環境でＡＰのチャネル占有失敗状況を示す図である。
【図６】本開示の実施形態に係る多重無線アクセス技術をサポートする端末の第２アクセスモジュールの活性状態を制御する方式を示す図である。
【図７】本開示の一実施形態に係る端末の第２アクセスモジュールを活性化させる信号の流れを示す図である。
【図８Ａ】本開示の他の実施形態に係る端末の第２アクセスモジュールを活性化させる信号の流れを示す図である。
【図８Ｂ】本開示の他の実施形態に係る端末の第２アクセスモジュールを活性化させる信号の流れを示す図である。
【図８Ｃ】本開示の他の実施形態に係る第２アクセスモジュール活性化信号に含まれるビーコンオプション情報による端末動作及びアップリンクリソース割当を示す図である。
【図８Ｄ】本開示の他の実施形態に係る第１アクセス制御伝送を介した第２アクセスモジュールの活性化、非活性化、及び伝送、並びにこれにより第２アクセス基地局のビーコン信号を端末が受信する時点及び動作を示す図である。
【図８Ｅ】一般的なビーコン信号のＴＩＭ（Ｔｒａｆｆｉｃ  Ｉｎｄｉｃａｔｉｏｎ  Ｍａｐ）構成を示す図である。
【図８Ｆ】本開示の実施形態に係るショートビーコン信号のフレーム構造を示す図である。
【図８Ｇ】本開示の実施形態に係るショートビーコン信号に含まれる情報の一例を示す図である。
【図８Ｈ】本開示の実施形態に係るショートビーコン信号のフレーム構造によってショートビーコン信号に含まれる情報を示す図である。
【図８Ｉ】本開示の実施形態に係るショートビーコン信号を用いるビームトレーニングを示す図である。
【図９】本開示の実施形態に係る端末の第２アクセスモジュールに対する基地局が変更される場合の信号の流れを示す図である。
【図１０Ａ】本開示の一実施形態に係る第１アクセス基地局の制御伝送に基づいて端末の第２アクセスモジュールを非活性化させる信号の流れを示す図である。
【図１０Ｂ】本開示の一実施形態に係る端末の第２アクセスモジュールの非活性化時、最終パケット番号の送受信に基づいた動作を示す図である。
【図１１Ａ】本開示の他の実施形態に係る端末の初期非活性タイマー情報に基づいて端末が自主的に第２アクセスモジュールを非活性化させる信号の流れを示す図である。
【図１１Ｂ】本開示の実施形態に係る端末及び第１アクセス基地局における端末の第２アクセスモジュールに対する状態判断状況を示す図である。
【図１２Ａ】本開示の実施形態に係る第２アクセス基地局で端末と第１アクセス基地局のタイマーミスマッチ（ｍｉｓｍａｔｃｈ）に基づいて第２アクセスモジュールの状態を制御する信号の流れを示す図である。
【図１２Ｂ】本開示の実施形態に係る第２アクセス基地局が端末と第１アクセス基地局での端末の第２アクセスモジュールに対する状態ミスマッチを感知し、端末の第２アクセスモジュールの状態を制御する信号の流れを示す図である。
【図１２Ｃ】本開示の実施形態に係る第２アクセス基地局が端末の非活性化を禁止させる信号の流れを示す図である。
【図１２Ｄ】本開示の実施形態に係る端末の第２アクセスモジュールに対する状態ミスマッチの発生原因及び状態ミスマッチの訂正方式を示す図である。
【図１３】本開示の実施形態に係る端末で第２アクセスモジュールの非活性状態を示すＭＡＣヘッダの構造を示す図である。
【図１４Ａ】本開示の実施形態に係る第１アクセス基地局の動作手順を示す図である。
【図１４Ｂ】本開示の実施形態に係る第１アクセス基地局の動作手順を示す図である。
【図１５】本開示の実施形態に係る第２アクセス基地局の動作手順を示す図である。
【図１６Ａ】本開示の実施形態に係る端末の動作手順を示す図である。
【図１６Ｂ】本開示の実施形態に係る端末の動作手順を示す図である。
【図１７】本開示の実施形態に係る第１アクセス基地局のブロック構成を示す図である。
【図１８】本開示の実施形態に係る第２アクセス基地局のブロック構成を示す図である。
【図１９】本開示の実施形態に係る端末のブロック構成を示す図である。
【図２０】本開示の実施形態に係る事業者ＡＰと個人ＡＰが共存する環境での端末及び各ＡＰの動作を示す図である。
【図２１】本開示の実施形態に係るＡＰの動作状態を示す図である。
【図２２Ａ】本開示の実施形態に係る事業者ＡＰと個人ＡＰが共存する環境で端末の動作のためのユーザインタフェースを示す図である。
【図２２Ｂ】本開示の実施形態に係る事業者ＡＰと個人ＡＰが共存する環境で端末の動作のためのユーザインタフェースを示す図である。
【図２２Ｃ】本開示の実施形態に係る事業者ＡＰと個人ＡＰが共存する環境で端末の動作のためのユーザインタフェースを示す図である。
【図２２Ｄ】本開示の実施形態に係る事業者ＡＰと個人ＡＰが共存する環境で端末の動作のためのユーザインタフェースを示す図である。
【図２３】本開示の実施形態に係る端末が少なくとも１つの他の端末に対する通信モジュールの活性状態を制御するシステム構造を示す図である。
【図２４】本開示の実施形態に係る端末のグループ形成動作を示す図である。
【図２５】本開示の実施形態に係るマスター端末の動作を示す図である。
【図２６】本開示の実施形態に係るスレーブ端末の動作を示す図である。
【図２７】本開示の実施形態に係るユーザが保有する多数の端末が１つのグループに形成された状況を示す図である。
【図２８】本開示の実施形態に係るグループ内の端末らがサポートする無線アクセス技術を示す図である。
【図２９】本開示の実施形態に係るグループ内の端末らが事業者ＡＰに接続中の場合に対するＷＬＡＮモジュール活性状態を示す図である。
【図３０】本開示の実施形態に係るグループ内の端末らが個人ＡＰに接続中の場合に対するＷＬＡＮモジュール活性状態を示す図である。
【図３１】本開示の実施形態に係る他の端末とグループを形成してアクセスモジュールを制御するための端末のブロック構成を示す図である。図面全般において、参照番号は同じ又は類似の構成ら、特徴ら及び構造を示すために用いられた。
【発明を実施するための形態】
【００２５】
以下、本開示の好ましい実施形態を添付された図面を参照して説明する。そして、本開示を説明するにあたって、関連した公知機能又は構成についての具体的な説明が本開示の要旨を不要に不明確にする場合があると判断された場合、その詳細な説明は省略する。また、後述される用語らは本開示での機能を考慮して定義された用語らであって、これはユーザ、運用者の意図又は慣例などによって異なる場合がある。したがって、その定義は本明細書全般にわたる内容に基づいて行われるべきである。
【００２６】
本開示の実施形態に係る端末（ｍｏｂｉｌｅ  ｓｔａｔｉｏｎ、ＭＳ）は、固定されてもよく、移動性を有してもよく、ＵＥ（ｕｓｅｒ  ｅｑｕｉｐｍｅｎｔ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、携帯機器（ｈａｎｄｈｅｌｄ  ｄｅｖｉｃｅ）などのような他の用語で呼ばれる場合もある。
【００２７】
また、本開示の実施形態に係る基地局は、一般に端末と通信する固定されたノード又は移動可能なノードであってもよく、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）などのような他の用語で呼ばれる場合もある。
【００２８】
以下、本開示では、認可及び免許不要帯域多重無線アクセス技術（Ｍｕｌｔｉ−ＲＡＴ）環境で認可帯域通信システムと免許不要帯域通信システムを同時にサポートする端末の電力消耗を減少させるための方法及び装置について説明する。
【００２９】
図１は、認可帯域及び免許不要帯域多重無線アクセス技術（Ｍｕｌｔｉ−ＲＡＴ）環境のネットワークシステムを示す。図１を参照すると、本開示の実施形態で、端末１２０は、認可帯域のマクロセルネットワークと免許不要帯域の小型セルネットワークが共存する環境で、認可帯域のマクロ基地局１００及び免許不要帯域の小型基地局ら１１１乃至１１６と通信できる。したがって、本開示の実施形態に係る端末１２０は、認可帯域のマクロ基地局１００と通信するための通信モジュール及び免許不要帯域の小型基地局ら１１１乃至１１６と通信するための通信モジュールを含むことができる。ここで、マクロ基地局１００は、認可帯域を用いてチャネルを占有でき、広いカバレッジを有し、狭い（ｎａｒｒｏｗ）帯域幅を用いて、低いデータ伝送率を提供できる。一方、小型基地局ら１１１乃至１１６は、免許不要帯域を用いてチャネルを占有し、狭いカバレッジを有し、広い帯域幅を用いて、高いデータ伝送率を提供できる。
【００３０】
例えば、認可帯域のマクロ基地局１００をＬＴＥシステムのｅＮＢ２００と仮定し、免許不要帯域の小型基地局１１１乃至１１６をＷＬＡＮのＡＰ２１０と仮定すると、端末１２０，２２０と通信するための多重無線アクセス技術環境のネットワーク構造は図２Ａ又は図２Ｂの通りである。
【００３１】
図２Ａ及び図２Ｂは、多重無線アクセス技術環境のネットワーク構造を示す。
【００３２】
図２Ａ及び図２Ｂを参照すると、端末２２０は、ｅＮＢ２００及びＡＰ２１０とデータとシグナリングを送受信できる。この時、本開示の実施形態に係るＡＰ２１０は、端末２２０とのデータをＧＷ／ＨＳＳ（ＧａｔｅＷａｙ／Ｈｏｍｅ  Ｓｕｂｓｃｒｉｂｅｒ  Ｓｅｒｖｅｒ）２４０と直接送受信するが、端末２２０とのシグナリングはｅＮＢ２００を介してＭＭＥ（Ｍｏｂｉｌｉｔｙ  Ｍａｎａｇｅｍｅｎｔ  Ｅｎｔｉｔｙ）２３０、及びＧＷ／ＨＳＳ２４０と送受信できる。また、本開示の実施形態に係るＡＰ２１０は、端末２２０とのデータ及びシグナリングを、ｅＮＢ２００を介してＭＭＥ２３０、及びＧＷ／ＨＳＳ２４０と送受信できる。
【００３３】
例えば、本開示の実施形態に係る小型基地局１１１乃至１１６（例：ＡＰ２１０）は、端末１２０，２２０に対するシグナリングを、マクロ基地局１００（例：ｅＮＢ２００）を介して送受信できる。また、本開示の実施形態に係る小型基地局１１１乃至１１６（例：ＡＰ２１０）は、端末１２０，２２０に対するデータを、マクロ基地局１００を介して送受信するか、又は上位ネットワークノードと直接送受信できる。
【００３４】
以下、本開示の実施形態では、説明の便宜のために、小型基地局１１１乃至１１６（例：ＡＰ２１０）がマクロ基地局１００（例：ｅＮＢ２００）を介してデータ及びシグナリングを送受信する場合を仮定して説明する。しかし、以下、本開示の実施形態は、小型基地局１１１乃至１１６（例：ＡＰ２１０）がマクロ基地局１００（例：ｅＮＢ２００）を介してシグナリングを送受信し、上位ネットワークノードと直接データを送受信する場合にも適用され得る。ただし、小型基地局１１１乃至１１６が端末に対するデータを上位ネットワークノードと直接送受信する場合に生じる相違点については以下で説明する。
【００３５】
図３は、無線ＬＡＮ（ＷＬＡＮ；Ｗｉｒｅｌｅｓｓ  Ｌｏｃａｌ  Ａｒｅａ  Ｎｅｔｗｏｒｋ）のＰＳＭ（Ｐｏｗｅｒ  Ｓａｖｉｎｇ  Ｍｏｄｅ）メカニズムを示す。
【００３６】
図３を参照すると、一般に免許不要帯域の無線ＬＡＮをサポートする端末は電力消耗を減少させるために、ＰＳＭメカニズムを利用する。ＰＳＭメカニズムは、端末の無線ＬＡＮをサポートする通信モジュールが、周期的に反復されるビーコン（ｂｅａｃｏｎ）区間にアウェイク状態（ａｗａｋｅ  ｓｔａｔｕｓ）で動作し、受信されたビーコンを通してダウンリンクトラフィックがないと確認されると、次のビーコン区間になるまでスリープモードで動作する方式を意味する。例えば、無線ＬＡＮのＡＰ２１０は、周期的にビーコン３１０を伝送し、この時、ビーコン内に含まれたＴＩＭ（Ｔｒａｆｆｉｃ  Ｉｎｄｉｃａｔｉｏｎ  Ｍａｐ）を通して端末２２０にトラフィックの存在有無を示す。したがって、端末２２０は、周期的なビーコン３１０伝送区間に基づいて無線ＬＡＮ通信モジュールをアウェイク状態で動作させてビーコン３１０を受信する。端末２２０は、受信されたビーコン３１０に基づいてダウンリンクトラフィックが存在しないと確認された場合、次のビーコン３１０区間まで無線ＬＡＮ通信モジュールをスリープ状態で動作させることができる。
【００３７】
上述のように、ＰＳＭメカニズムに従って動作する端末は、ダウンリンクデータが存在しないにもかかわらず、周期的に反復されるビーコン伝送区間ごとに無線ＬＡＮ通信モジュールをアウェイク状態で動作させなければならず、周期的に多量の電力を消耗し得る。例えば、図４に示すように、端末がアウェイク状態で動作する区間（例：ウォーミングアップタイム区間及びアクティブタイム区間）に消耗される電力量はスリープ区間に消耗される電力量より大きい。一例として、例えば、ウォーミングアップタイム区間に消耗される電力は２７．５ｍＷで、スリープタイム区間に消耗される電力０．００３３ｍＷに比べて８０００倍以上大きな値を有する。したがって、端末に対するダウンリンクデータが存在しない状況で、端末は周期的にビーコン受信のためにアウェイク状態で動作することによって不要に電力を消耗することになる。かかる不要な電力消耗を解決するために、ビーコン伝送周期を増加させる方法があるが、この場合、端末へのダウンリンクデータ伝送が遅れる場合がある。
【００３８】
また、ＰＳＭメカニズムに従って動作する端末は、オーバーラップされたカバレッジを有する多数のＡＰが密集した環境で、ＡＰのチャネル占有失敗によってダウンリンクデータを受信できない場合もある。
【００３９】
図５は、オーバーラップされた無線ＬＡＮ密集環境でＡＰのチャネル占有失敗状況を示す。
【００４０】
図５を参照すると、オーバーラップされたカバレッジを有する多数のＡＰが密集した環境で、各ＡＰ２１０は、予め設定されたビーコン伝送周期にチャネルを占有できない場合がある。この場合、ＡＰ２１０は、予め設定されたビーコン伝送周期に該当する時点でなく、他の時点にビーコン信号を伝送できる。例えば、ＡＰ２１０がチャネル占有に成功した場合、ａ、ｂ、ｃ、ｄ、及びｅ時点にビーコンを伝送するが、ＡＰ２１０がチャネル占有に失敗した場合は、ｂ時点にビーコンを伝送できず、ｂ′時点にビーコンを伝送する状況が発生する場合がある。端末は、ＰＳＭメカニズムに従って予め設定されたビーコン伝送周期にのみアウェイク状態で動作するので、ｂ′時点に送信されるビーコンを受信することができない。したがって、ｂ′時点に送信されるビーコンに端末２２０に対するダウンリンクデータが存在することを示す情報が存在しても、端末２２０はこれを認知できずスリープ状態で動作する。
【００４１】
したがって、本開示の実施形態では、端末の不要な電力消耗を最小化させながら、ダウンリンクデータ伝送遅延及び／又はデータ受信失敗状況を防止する方法及び装置について説明する。
【００４２】
以下、本開示の実施形態では、認可及び免許不要帯域の多重無線アクセス技術（Ｍｕｌｔｉ−ＲＡＴ）環境で、端末に含まれた互いに異なる無線アクセス技術をサポートする多数個の通信モジュールらのうち一部の通信モジュールの活性化状態を維持し、他の通信モジュールの活性状態を制御する。以下で説明される実施形態では、認可帯域のマクロセルネットワークを第１アクセスシステムと称し、免許不要帯域の小型セルネットワークを第２アクセスシステムと称する。しかし、以下で説明される実施形態では、第１アクセスシステムが免許不要帯域の小型セルネットワークで、第２アクセスシステムが認可帯域のマクロセルネットワークである場合にも同じ方式で適用され得る。また、以下、本開示の実施形態では、説明の便宜のために、端末が第１アクセスシステムと第２アクセスシステムをサポートすることを仮定して説明するか、本開示の実施形態は、端末が３つ以上のアクセスシステムをサポートする場合にも同じ方式で適用され得る。
【００４３】
図６は、本開示の実施形態に係る多重無線アクセス技術をサポートする端末の第２アクセスモジュールの活性状態を制御する方式を示す。
【００４４】
図６を参照すると、端末６２０は、第１アクセスシステムをサポートする第１アクセスモジュール及び第２アクセスシステムをサポートする第２アクセスモジュールを含む。本開示の実施形態に係るアクセスモジュールは、モデム（ｍｏｄｅｍ）、ＲＦ（Ｒａｄｉｏ  Ｆｒｅｑｕｅｎｃｙ）モジュール、及びＰＡ（Ｐｏｗｅｒ  Ａｍｐｌｉｆｉｅｒ）のうち少なくとも１つを含むことができる。
【００４５】
本開示の実施形態に係る端末６２０は、第１アクセスモジュール６２１の活性化状態を維持し、第１アクセス基地局６００と通信できる。また、本開示の実施形態に係る端末６２０は、第１アクセスモジュール６２１の活性化状態を維持しながら、第１アクセス基地局６００から受信される情報に基づいて、第２アクセスモジュール６２２を活性化又は非活性化させることができる。例えば、本開示の実施形態に係る端末６２０は、第１アクセス基地局６００から第１アクセスシステムのリンクを介して受信される情報に基づいて、第２アクセスリンクに受信するトラフィックが存在するか否かを感知する。端末６２０は、第２アクセスリンクに受信するトラフィックが存在する間、第２アクセスモジュール６２２を活性化させ、第２アクセスリンクに受信するトラフィックが存在しない場合、第２アクセスモジュール６２２を非活性化させる。本開示の実施形態では、アクセスモジュールの活性化状態とは、アクセスモジュールがアウェイク状態（又はモード）で動作することを意味し、アクセスモジュールの非活性化状態とは、アクセスモジュールがスリープ状態（又はモード）で動作することを意味できる。
【００４６】
例えば、第１アクセス基地局６００は、第２アクセス基地局６１０を介して端末６２０に伝送するダウンリンクトラフィックが発生したかを感知する。第１アクセス基地局６００は、上位ネットワークノードからダウンリンクデータが受信された場合、ダウンリンクトラフィックが発生したことを感知できる。第１アクセス基地局６００は、端末６２０に第２アクセスモジュール６２２の活性化を指示する信号を第１アクセスリンクを介して伝送できる。これにより、端末６２０は、非活性状態の第２アクセスモジュール６２２を活性化させて第２アクセス基地局から第２アクセスリンクを介して信号を受信する準備を行う。第１アクセス基地局６００は、感知されたダウンリンクデータを第２アクセス基地局６１０に伝送する。第２アクセス基地局６１０は、第１アクセス基地局６００から受信されるダウンリンクデータを第２アクセスリンクを介して端末６２０に伝送する。端末６２０は、活性化された第２アクセスモジュール６２２を用いて第２アクセス基地局６１０からのダウンリンクデータを受信する。
【００４７】
さらに、本開示の実施形態によれば、第１アクセス基地局６００は、第２アクセス基地局６１０にダウンリンクデータを伝送した後、予め設定された時間内に上位ネットワークノードからダウンリンクデータがこれ以上受信されない場合、端末６２０に第２アクセスモジュール６２２の非活性化を指示する信号を第１アクセスリンクを介して伝送できる。端末６２０は、第１アクセス基地局６００からの第２アクセスモジュール６２２の非活性化指示信号に基づいて、第２アクセスモジュール６２２を非活性化させることができる。
【００４８】
本開示の他の実施形態によれば、端末６２０は、ダウンリンクデータを受信した後、予め設定された時間内に第２アクセス基地局６１０からダウンリンクデータがこれ以上受信されない場合、第２アクセスモジュール６２２を自動的に非活性化させることができる。例えば、端末６２０は、第１アクセス基地局６００から第２アクセスモジュール６２２の非活性化指示信号を受信せず、タイマーを用いて第２アクセスモジュール６２２を非活性化させることができる。タイマーに関する情報は第１アクセス基地局６００から受信されてもよく、端末６２０に予め設定及び保存されてもよい。
【００４９】
図７は、本開示の一実施形態に係る端末の第２アクセスモジュールを活性化させる信号の流れを示す。ここでは、端末の第２アクセスモジュールが非活性化された状態の場合を仮定する。
【００５０】
図７を参照すると、第１アクセス基地局６００は、ステップ７０１にて、第２アクセス基地局６１０を介して端末６２０に伝送するダウンリンクトラフィックを感知する。例えば、第１アクセス基地局６００は、上位ネットワークノードから端末６２０の第２アクセスシステムに対するダウンリンクデータを受信する。第１アクセス基地局６００は、ステップ７０３にて、端末６２０の第２アクセスモジュールが非活性化された状態であることを確認する。例えば、第１アクセス基地局６００は、予め保存された端末６２０の第２アクセスモジュールに関する状態情報に基づいて、第２アクセスモジュールが非活性化された状態であることを確認することができる。
【００５１】
以降、第１アクセス基地局６００は、ステップ７０５にて、第２アクセスモジュールの活性化を指示する信号を第１アクセスリンクを介して端末６２０に伝送する。本開示の実施形態によれば、第１アクセス基地局６００が認可帯域のＬＴＥシステムである場合、第１アクセス基地局６００は、ＲＲＣ再設定メッセージを用いて端末６２０に第２アクセスモジュールの活性化を指示できる。他の実施形態によれば、第１アクセス基地局６００が認可帯域のＬＴＥシステムである場合、第１アクセス基地局６００は、Ｓセル（ｓｅｃｏｎｄａｒｙ  ｃｅｌｌ）の活性状態を制御する用途のＭＡＣ  ＣＥ信号を用いて、端末６２０に第２アクセスモジュールの活性化を指示できる。他の実施形態によれば、第１アクセス基地局６００が認可帯域のＬＴＥシステムである場合、第１アクセス基地局６００はＰＤＣＣＨ（Ｐｈｙｓｉｃａｌ  Ｄｏｗｎｌｉｎｋ  Ｃｏｎｔｒｏｌ  Ｃｈａｎｎｅｌ）を用いて端末６２０に第２アクセスモジュールの活性化を指示できる。上述した実施形態では、ＲＲＣ再設定メッセージ、ＭＡＣ  ＣＥ、及びＰＤＣＣＨの伝送速度又は伝送遅延が異なるので、端末６２０の第２アクセスモジュールがどれだけ短い時間で活性化されるべきであるかに基づいて、ＲＲＣ再設定メッセージ、ＭＡＣ  ＣＥ、ＰＤＣＣＨのうちいずれか１つが選択されることができる。
【００５２】
第１アクセス基地局６００は、ステップ７０７にて、端末６２０の第２アクセスモジュールに関する状態情報を活性状態に変更して保存する。第１アクセス基地局６００は、ステップ７０９にて、ダウンリンクデータを第２アクセス基地局６１０に伝送する。本開示の実施形態によれば、ステップ７０５、ステップ７０７及びステップ７０９の遂行順序は設計方式によって変更されてもよい。
【００５３】
端末６２０は、第１アクセスモジュールを介して第２アクセスモジュールの活性化を指示する信号を受信し、ステップ７２１にて、第２アクセスモジュールを活性化させる。
【００５４】
第２アクセス基地局６１０は、第１アクセス基地局６００からダウンリンクデータを受信し、ステップ７１１にて、ダウンリンクデータを第２アクセスリンクを介して端末６２０に伝送する。
【００５５】
これにより、端末６２０は、第２アクセスモジュールを介して第２アクセス基地局６１０から伝送されるダウンリンクデータを受信することができる。
【００５６】
さらに、図７に図示していないが、端末６２０は、第２アクセスモジュールを活性化させた後、第２アクセスモジュールの活性化を指示する信号に対する応答信号を第１アクセス基地局６００に伝送してもよい。本開示の実施形態によれば、端末６２０は、応答信号を第１アクセスリンクを介して第１アクセス基地局６００に伝送されてもよい。他の実施形態によれば、端末６２０は、応答信号を第２アクセスリンクを介して第２アクセス基地局６１０に伝送してもよい。この時、第２アクセス基地局６１０は、第１アクセス基地局６００に応答信号を伝達してもよい。
【００５７】
さらに、第１アクセス基地局６００は、第２アクセス基地局６１０に端末６２０の第２アクセスモジュールに関する状態情報を伝送してもよい。例えば、第１アクセス基地局６００は、端末６２０の第２アクセスモジュールに関する状態情報が変更される度に、第２アクセス基地局６１０に変更された状態情報を伝送してもよい。他の例として、第１アクセス基地局６００は、周期的に端末６２０の第２アクセスモジュールに関する状態情報を伝送してもよい。
【００５８】
図８Ａは、本開示の他の実施形態に係る端末の第２アクセスモジュールを活性化させる信号の流れを示し、図８Ｄは、本開示の他の実施形態に係る第１アクセス制御伝送を介した第２アクセスモジュールの活性化、非活性化、及び伝送、並びにこれにより第２アクセス基地局のビーコン信号を端末が受信する時点及び動作を示す。また、図８Ｅは、一般的なビーコン信号のＴＩＭ構成を示す。ここでは、端末の第２アクセスモジュールが非活性化された状態の場合を仮定する。
【００５９】
図８Ａを参照すると、第１アクセス基地局６００は、ステップ８０１にて、第２アクセス基地局６１０を介して端末６２０に伝送するダウンリンクトラフィックを感知する。例えば、第１アクセス基地局６００は、上位ネットワークノードから端末６２０の第２アクセスシステムに対するダウンリンクデータを受信する。第１アクセス基地局６００は、ステップ８０３にて、端末６２０の第２アクセスモジュールが非活性化された状態であることを確認する。例えば、第１アクセス基地局６００は、予め保存された端末６２０の第２アクセスモジュールに関する状態情報に基づいて、第２アクセスモジュールが非活性化された状態であることを確認することができる。
【００６０】
以降、第１アクセス基地局６００は、ステップ８０５にて、第２アクセスモジュールの活性化を指示する信号を第１アクセスリンクを介して端末６２０に伝送する。本開示の実施形態によれば、第１アクセス基地局６００が認可帯域のＬＴＥシステムである場合、第１アクセス基地局６００は、ＲＲＣ再設定メッセージを用いて端末６２０に第２アクセスモジュールの活性化を指示できる。他の実施形態によれば、第１アクセス基地局６００が認可帯域のＬＴＥシステムである場合、第１アクセス基地局６００は、Ｓセル（ｓｅｃｏｎｄａｒｙ  ｃｅｌｌ）の活性状態を制御する用途のＭＡＣ  ＣＥ信号を用いて、端末６２０に第２アクセスモジュールの活性化を指示できる。他の実施形態によれば、第１アクセス基地局６００が認可帯域のＬＴＥシステムである場合、第１アクセス基地局６００はＰＤＣＣＨ（Ｐｈｙｓｉｃａｌ  Ｄｏｗｎｌｉｎｋ  Ｃｏｎｔｒｏｌ  Ｃｈａｎｎｅｌ）を用いて端末６２０に第２アクセスモジュールの活性化を指示できる。上述した実施形態で、ＲＲＣ再設定メッセージ、ＭＡＣ  ＣＥ、及びＰＤＣＣＨの伝送速度又は伝送遅延が異なるので、端末６２０の第２アクセスモジュールがどれだけ短い時間で活性化されるべきであるかに基づいて、ＲＲＣ再設定メッセージ、ＭＡＣ  ＣＥ、ＰＤＣＣＨのうちいずれか1つが選択されることができる。
【００６１】
第１アクセス基地局６００は、ステップ８０７にて、端末６２０の第２アクセスモジュールに関する状態情報を活性状態に変更して保存する。第１アクセス基地局６００は、ステップ８０９にて、第２アクセス基地局６１０にショートビーコン伝送を命令し、ステップ８１１にて、ダウンリンクデータを第２アクセス基地局６１０に伝送する。本開示の実施形態によれば、ステップ８０５乃至ステップ８１１の遂行順序は設計方式によって変更されてもよい。
【００６２】
端末６２０は、第１アクセスモジュールを介して第２アクセスモジュールの活性化を指示する信号を受信し、ステップ８２１にて、第２アクセスモジュールを活性化させる。
【００６３】
第２アクセス基地局６１０は、第１アクセス基地局６００から受信されたショートビーコン伝送命令に従って、ステップ８１３にて、ショートビーコンを伝送する。以降、第２アクセス基地局６１０は、ステップ８１５にて、ダウンリンクデータを第２アクセスリンクを介して端末６２０に伝送する。図８Ｄに示すように、ショートビーコン８５２は周期的に反復されるビーコン８５０伝送時点に伝送されるものでなく、ビーコン伝送周期の間の時点に伝送される。これは、端末６２０が第１アクセスモジュールを介して第２アクセスモジュール活性化信号を受信し、第２アクセスモジュールを活性化させた後、次のビーコン受信区間まで待機せず、ショートビーコン８５２を受信した後、直ちにダウンリンクデータを受信することができるようにするためである。ショートビーコンは、図８Ｅに示すように、公知のビーコン信号に含まれる情報のうち、端末６２０がダウンリンクデータを受信するために必要な一部の情報のみを含んで構成されることができる。ショートビーコンに対するより詳細な構成は、以下で図８Ｆ乃至図８Ｈを参照して詳細に説明する。
【００６４】
したがって、端末６２０は、第２アクセスモジュールを介して第２アクセス基地局６１０から伝送されるダウンリンクデータを受信することができる。本開示の実施形態によれば、第２アクセスモジュールが活性化された端末６２０は、ステップ８１３にて、ショートビーコン８５２を受信してダウンリンクデータ受信に必要な付加情報を獲得することによって、次のビーコン伝送時点まで待機せず、ステップ８１５にて、第２アクセスモジュールを介してダウンリンクデータを受信することができる。これにより、端末６２０のウエイクアップ（ｗａｋｅｕｐ）遅延が減少し得る。
【００６５】
本開示の他の実施形態によれば、ステップ８０９及びステップ８１１が省略され、第１アクセス基地局６００が端末６２０に伝送する第２アクセスモジュール活性化指示信号に追加情報を含めて伝送してもよい。追加情報は、第２アクセス基地局６１０を介して伝送されるダウンリンクデータに関する情報の場合がある。
【００６６】
さらに、図８Ａに図示していないが、端末６２０は、第２アクセスモジュールを活性化させた後、第２アクセスモジュールの活性化を指示する信号に対する応答信号を第１アクセス基地局６００に伝送できる。本開示の実施形態によれば、端末６２０は、応答信号を第１アクセスリンクを介して第１アクセス基地局６００に伝送することができる。他の実施形態によれば、端末６２０は、応答信号を第２アクセスリンクを介して第２アクセス基地局６１０に伝送できる。この時、第２アクセス基地局６１０は、第１アクセス基地局６００に応答信号を伝達できる。
【００６７】
さらに、第１アクセス基地局６００は、第２アクセス基地局６１０に端末６２０の第２アクセスモジュールに関する状態情報を伝送できる。例えば、第１アクセス基地局６００は、端末６２０の第２アクセスモジュールに関する状態情報が変更される度に、第２アクセス基地局６１０に変更された状態情報を伝送できる。他の例として、第１アクセス基地局６００は、周期的に端末６２０の第２アクセスモジュールに関する状態情報を伝送できる。
【００６８】
図８Ｂは、本開示の他の実施形態に係る端末の第２アクセスモジュールを活性化させる信号の流れを図示し、図８Ｄは、本開示の他の実施形態に係る第２アクセス基地局のビーコン信号伝送及び端末のビーコン信号受信時点を図示し、図８Ｅは、一般的なビーコン信号のフレーム構成を示す。
【００６９】
図８Ｂを参照すると、端末６２０は、ステップ８２０のように、第１アクセスモジュールのみを活性化させることができる。例えば、第２アクセスモジュールは非活性化させることができる。この時、第２アクセス基地局６１１及び第２アクセス基地局６１２は、ステップ８２２のように、ビーコン伝送周期にビーコンを伝送できる。しかし、端末６２０は、第１アクセスモジュールのみが活性化された状態であるから第２アクセス基地局６１１及び第２アクセス基地局６１２のビーコン信号を受信することができない。
【００７０】
一方、第１アクセス基地局６００は、ステップ８２４にて、第２アクセスシステムに対するトラフィックを感知する。例えば、第１アクセス基地局６００は、第２アクセス基地局６１１に又は第２アクセス基地局６１１を介して端末６２０に伝送すべきダウンリンクトラフィックを上位ネットワークノードから受信する。第１アクセス基地局６００は、端末６２０の第２アクセスモジュールが非活性化された状態であることを確認し、ステップ８２６にて、端末６２０へ第２アクセスモジュール活性化指示信号を伝送する。例えば、第１アクセス基地局６００は、予め保存された端末６２０の第２アクセスモジュールに関する状態情報に基づいて、第２アクセスモジュールが非活性化された状態であることを確認することができる。本開示の実施形態によれば、第２アクセスモジュール活性化指示信号は、ビーコンオプション情報及びアップリンクリソース割当情報を含むことができる。ビーコンオプション情報は、第２アクセス基地局６１１又は６１２で伝送するビーコン信号のタイプを示すことができる。換言すれば、ビーコンオプション情報は、第２アクセス基地局６１１又は６１２でショートビーコン信号を伝送するか否かを示すことができる。例えば、ビーコンオプション情報が「０」の場合は、第２アクセス基地局６１１又は６１２でショートビーコン信号を伝送しないことを示し、ビーコンオプション情報が「１」の場合、第２アクセス基地局６１１又は６１２でショートビーコン信号を伝送することを示すことができる。また、アップリンクリソース割当情報は、端末６２０の活性化応答信号の伝送のために割り当てられたアップリンクリソース情報を示すことができる。ここで、活性化応答信号は、端末６２０で第２アクセス基地局のビーコン信号を受信したか否かを第１アクセス基地局に報告するための信号を意味する。また、端末の別途ＳＲ（Ｓｃｈｅｄｕｌｉｎｇ  Ｒｅｑｕｅｓｔ）なしでビーコン受信応答のためのアップリンクリソース割当が行われる。かかるアップリンクリソース割当は、ショートビーコン伝送の有無によって異なる場合がある。すなわち、ビーコンオプション情報が「０」の場合、周期的ビーコンを受信した後、端末が第１アクセスアップリンクを介してビーコン受信有無を応答するので、第１アクセス基地局は該当端末に次の周期的ビーコンの後、アップリンクリソースを割り当て、ビーコンオプション情報が「１」の場合、ショートビーコンの後、アップリンクリソースが割り当てられるように調整する。図８Ｂでは、第１アクセス基地局６００がビーコンオプション情報として「ｂｅａｃｏｎ  ｏｐｔｉｏｎ＝１」を含む第２アクセスモジュール活性化応答信号を伝送することを仮定して説明する。さらに、ステップ８２６の第２アクセスモジュール活性化応答信号は、ＲＲＣ再設定メッセージ、ＭＡＣ  ＣＥ、ＰＤＣＣＨのうちいずれか１つに基づいて伝送されることができる。
【００７１】
第１アクセス基地局６００は、ステップ８３０にて、端末６２０が接続した第２アクセス基地局６１１にダウンリンクデータを伝送する。第２アクセス基地局６１１は、ステップ８３２にて、第１アクセス基地局６００から受信される端末６２０に対するダウンリンクデータをバッファリングする。
【００７２】
端末６２０は、第１アクセスモジュールを介して第２アクセスモジュール活性化指示信号を受信し、ステップ８２８にて、第２アクセスモジュールを活性化させる。以降、端末６２０は、ステップ８３４にて、第２アクセスモジュールを介して第２アクセス基地局６１１に第２アクセスモジュール活性化応答信号を伝送する。端末６２０は、ステップ８３６にて、ショートビーコン信号を受信するためのＳＢＲ（ｓｈｏｒｔ  ｂｅａｃｏｎ  ｒｅｃｅｐｔｉｏｎ）タイマーを駆動できる。設計方式によってステップ８３４及び８３６ステップは同時に行われてもよく、ステップ８３６を行った後ステップ８３４が行われてもよい。
【００７３】
第２アクセス基地局６１１は、端末６２０に対するダウンリンクデータがバッファリングされた状態で端末６２０から第２アクセスモジュール活性化応答信号が受信された場合、ステップ８３８にて、直ちにショートビーコン信号を伝送すべきであることを認知できる。以降、第２アクセス基地局６１１は、ステップ８４０にて、ショートビーコン信号を伝送し、バッファリングされたダウンリンクデータを伝送できる。ここで、ダウンリンクデータはショートビーコンと共に伝送されてもよく、ショートビーコンが伝送された後直ちに伝送されてもよい。また、ショートビーコンは、図８Ｅに示すように、公知のビーコン信号に含まれるＴＩＭ情報らのうち、端末６２０がダウンリンクデータを受信するために必要な一部の情報。ショートビーコンに対するより詳細な構成は以下で図８Ｆ乃至図８Ｈを参照して詳細に説明する。
【００７４】
一方、端末６２０は、ＳＢＲタイマーが満了する前に第２アクセスモジュールを介してショートビーコン信号を受信し、ダウンリンクデータを受信することができる。本開示の実施形態によれば、第２アクセスモジュールが活性化された端末６２０はショートビーコンを受信してダウンリンクデータ受信に必要な付加情報を獲得することによって、次のビーコン伝送時点まで待機せず、第２アクセス基地局６１１からダウンリンクデータを受信することができる。端末６２０は、第２アクセス基地局６１１からショートビーコンが受信され、ステップ８４２にて、ＳＢＲタイマーが満了すると、ステップ８４４にて、活性化応答信号を第１アクセス基地局６００に伝送できる。設計方式によっては、端末６２０はＳＢＲタイマーが満了する前に活性化応答信号を第１アクセス基地局６００に伝送することができる。本開示の実施形態によれば、活性化応答信号は基地局の変更が必要か否かを示す情報を含むことができる。例えば、端末６２０は、ＳＢＲタイマーが満了する前に第２アクセスモジュールを介してショートビーコンが受信された場合、ＡＰから信号受信が可能な状況であるからＡＰ変更が不要なことを示す情報“ＡＰ  ｃｈａｎｇｅ＝０”を伝送できる。他の例として、図示していないが、端末６２０はタイマーが満了する前に第２アクセスモジュールを介してショートビーコンが受信されない場合、ＡＰから信号受信が不可能な状況であるからＡＰ変更が必要ないことを示す情報“ＡＰ  ｃｈａｎｇｅ＝１”を伝送できる。端末６２０のＡＰ変更が必要な場合については下記図９で詳細に説明する。
【００７５】
上記図８Ｂで、端末６２０は、第２アクセスモジュール活性化指示信号に含まれたビーコンオプション情報に基づいて第２アクセスモジュール活性化時点を決定できる。例えば、図８Ｃに示すように、端末６２０は、第２アクセスモジュール活性化指示信号に含まれたビーコンオプション情報が「０」の場合、予め設定されたビーコン伝送時点になるまで待機してから第２アクセスモジュールを活性化させ、活性化された第２アクセスモジュールを介して従来の方式によるビーコンを受信することができる。この時、第２アクセスモジュール活性化指示信号に含まれたアップリンクリソース割当情報は従来の方式によるビーコン受信時点以降のリソースに関する情報を含むことができる。また、端末６２０は、第２アクセスモジュール活性化指示信号に含まれたビーコンオプション情報が「１」の場合、第２アクセスモジュール活性化指示信号を受信した後、直ちに第２アクセスモジュールを活性化させ、活性化された第２アクセスモジュールを介してショートビーコンを受信することができる。この時、第２アクセスモジュール活性化指示信号に含まれたアップリンクリソース割当情報は、ショートビーコン受信時点以降のリソースに関する情報を含むことができる。
【００７６】
図８Ｆは、本開示の実施形態に係るショートビーコン信号のフレーム構造を示す。また、図８Ｇは、本開示の実施形態に係るショートビーコン信号に含まれる情報の一例を示し、図８Ｈは、本開示の実施形態に係るショートビーコン信号のフレーム構造によってショートビーコン信号に含まれる情報を示す。
【００７７】
図８Ｆを参照すると、ショートビーコン信号のフレーム構造は、ショートトレーニングフィールド（ｓｈｏｒｔ  ｔｒａｉｎｉｎｇ  ｆｉｌｅｄ）、チャネル推定（ｃｈａｎｎｅｌ  ｅｓｔｉｍａｔｉｏｎ）のためフィールド、ヘッダ及びデータのうち少なくとも１つを含むことができる。例えば、ショートビーコン信号は、制御物理層ヘッダ（ｃｏｎｔｒｏｌ  ｐｈｙｓｉｃａｌ  ｈｅａｄｅｒ）の大きさである８８ｂｉｔより小さな大きさで構成されることが効率的な場合がある。図示のように、ショートビーコン信号は３つの方式で構成されることができる。
【００７８】
第１の方式によれば、ショートビーコン信号は、ショートトレーニングフィールドのみを含むことができる。この場合、図８Ｈに示すように、ショートビーコン信号は３．６３６ｕｓの最小長さで構成されてもよく、ショートビーコン信号は追加情報を含まない。
【００７９】
第２の方式によれば、ショートビーコン信号は、ショートトレーニングフィールド、チャネル推定のためのフィールド、及びヘッダを含むことができる。この場合、ショートビーコン信号のヘッダは、ビームフォーミング関連情報及び部分的なＰＣＩＤ（ｐｈｙｓｉｃａｌ  ｃｅｌｌ  ｉｄｅｎｔｉｆｉｅｒ）を含むことができる。例えば、図８Ｇに示すように、ショートビーコン信号のヘッダは、方向（ｄｉｒｅｃｔｉｏｎ）情報、ビーム識別（ｂｅａｍ  ｉｄｅｎｔｉｆｉｅｒ）情報、アンテナ識別（ａｎｔｅｎｎａ  ｉｄｅｎｔｉｆｉｅｒ）情報及び部分的なＰＣＩＤ（ｐｈｙｓｉｃａｌ  ｃｅｌｌ  ｉｄｅｎｔｉｆｉｅｒ）情報を含むことができる。ここで、方向情報は、アップリンク及びダウンリンク伝送認識情報、圧縮ビーコン及び最適ビームフィードバックに対する認識情報を含み、ビーム識別情報は、ＡＰの送信ビームＩＤ情報を含むことができる。さらに、アンテナ識別情報は、アンテナＩＤ情報を含むことができ、部分的なＰＣＩＤは、ショートトレーニングフィールドのシーケンスを含むことができる。設計方式によっては、ショートビーコン信号は１つのヘッダのみを含んでもよく、２つのヘッダを含んでもよい。図示のように、方向情報、ビーム識別情報、アンテナ識別情報及び部分的なＰＣＩＤ情報は、総１４ｂｉｔで構成されることができる。制御物理層ヘッダは８８ビットの情報を含むことができ、この時、従来の物理層ヘッダは４０ｂｉｔで構成され、残りの４８ｂｉｔは予約されたビットである。したがって、本開示の実施形態に係る４８ｂｉｔの予約ビットのうち、１４ｂｉｔの情報を追加的に利用できる。ショートビーコン信号が１つのヘッダを含む場合、ショートビーコン信号の長さは８．９３ｕｓであり、総８８ｂｉｔであってもよい。一方、ショートビーコン信号が２つのヘッダを含む場合、ショートビーコン信号の長さは１３．９ｕｓであり、総１７６ｂｉｔであってもよい。
【００８０】
第３の方式によれば、ショートビーコン信号は、ショートトレーニングフィールド、チャネル推定のためのフィールド、ヘッダ、及びデータを含むことができる。この場合、ショートビーコン信号のヘッダは、図８Ｇに示す情報を含むことができる。また、この時、データは１４バイトのＭＡＣヘッダのみを含んでもよく、１４バイトのＭＡＣヘッダと１０バイトのデータを含んでもよく、１４バイトのＭＡＣヘッダと８６バイトのデータを含むんでもよい。
【００８１】
図８Ｉは、本開示の実施形態に係るショートビーコン信号を用いるビームトレーニングを示す。図８Ｉに示すように、ショートビーコン信号を用いてビームトレーニングを行う場合、ＡＰの送信アンテナビーム数と端末の受信アンテナビーム数だけショートビーコン信号の送受信が反復されることができる。既存のビーコン信号に比べてショートビーコン信号が非常に短く構成されることができるので、ビームトレーニング時間を減少させることができる上、ビームトレーニングによるオーバーヘッドを減少させることができる。
【００８２】
図９は、本開示の実施形態に係る端末の第２アクセスモジュールに対する基地局が変更される場合の信号の流れを示す。図９は、上記図８Ｂと同じ状況で端末６２０がＳＢＲタイマーが満了する前に第２アクセス基地局６１１からショートビーコン信号を受信できなかった場合を仮定する。また、図９は、端末６２０が第２アクセス基地局６１１からダウンリンクデータを受信する間に第２アクセス基地局６１１から信号受信が不可能な状況を感知した場合を仮定する。例えば、端末６２０の移動又は第２アクセス基地局６１１とのチャネル状態変更によって第２アクセス基地局６１１からの信号受信が不可能な状況を感知した場合を仮定する。ここで、第１アクセス基地局６００と信号を送受信するための第１アクセスモジュールは継続的に活性化状態を維持できる。
【００８３】
図９を参照すると、端末６２０は、ステップ９１０にて、活性化応答信号を第１アクセス基地局６００に伝送できる。活性化応答信号は、基地局の変更が必要か否かを示す情報及びショートビーコン要求情報を含むことができる。例えば、端末６２０は、ＳＢＲタイマーが満了する前に第２アクセスモジュールを介してショートビーコンを受信できなかったので、ＡＰ変更が必要な状況であると判断し、ＡＰ変更が必要であることを示す情報“ＡＰ  ｃｈａｎｇｅ＝１”と、ショートビーコン信号を要求する情報を含む活性化応答信号を伝送できる。他の例として、端末６２０は、第２アクセス基地局６１１を介してこれ以上信号受信が不可能な状況であると判断し、ＡＰ変更が必要であることを示す情報“ＡＰ  ｃｈａｎｇｅ＝１”と、ショートビーコン信号を要求する情報を含む活性化応答信号を伝送できる。設計方式によっては、端末６２０は、ショートビーコン信号が受信されていない状態でＳＢＲタイマーが満了した場合、第２アクセスモジュールを非活性化させることができる。また、端末６２０、はＳＢＲタイマーにかかわらず、第２アクセスモジュールが活性化された時点から第２アクセスモジュールの非活性化時点を判断するための別途のタイマーを用いて、第２アクセスモジュールを非活性化させることができる。例えば、端末６２０は、第２アクセスモジュールが活性化された時点に別途のタイマーを動作させた後、第２アクセスモジュールを介してダウンリンク信号が感知されていない状態で別途のタイマーが満了した場合、第２アクセスモジュールを非活性化させることができる。
【００８４】
第１アクセス基地局６００は、端末６２０から受信された活性化応答信号に対する応答として、ステップ９１２にて、第２アクセス基地局６１１及び第２アクセス基地局６１２にショートビーコン要求信号を伝送する。ここで、ショートビーコン要求信号は、第２アクセス基地局６１１及び／又は第２アクセス基地局６１１に隣接した少なくとも１つの第２アクセス基地局に伝送されることができる。第１アクセス基地局６００は、予め登録された第２アクセス基地局リストに基づいて、ショートビーコン要求信号を伝送する少なくとも１つの第２アクセス基地局を選択できる。第２アクセス基地局リストは、第２アクセス基地局の各々の位置情報及び／又は第２アクセス基地局の各々の隣接した第２アクセス基地局情報を含むことができる。また、第１アクセス基地局６００は、端末６２０の位置に基づいて、ショートビーコン要求信号を伝送する少なくとも１つの第２アクセス基地局を選択することもできる。
【００８５】
第１アクセス基地局６００は、ステップ９１４にて、端末６２０の活性化応答信号の伝送のためのアップリンクリソース割当信号を再送する。ここで、端末６２０は、第１アクセスモジュールを介して第１アクセス基地局６００からアップリンクリソース割当信号が受信されると、第２アクセスモジュールを活性化させることができる。
【００８６】
第２アクセス基地局６１１及び第２アクセス基地局６１２は、ステップ９１６にて、ショートビーコン信号を伝送する。第２アクセス基地局６１１及び第２アクセス基地局６１２は、ショートビーコン要求信号が受信されると、直ちにショートビーコン信号を伝送するか、又はショートビーコン要求信号に含まれたショートビーコン信号の伝送時点に基づいてショートビーコン信号を伝送できる。もし、第２アクセス基地局６１１又は第２アクセス基地局６１２がショートビーコン信号の伝送をサポートしない場合、該当第２アクセス基地局は、予め設定されたビーコン信号の伝送時点に既存のビーコン信号を伝送できる。
【００８７】
端末６２０は、ステップ９１８にて、第２アクセスモジュールを介してショートビーコン（及び／又はビーコン信号）を受信する。ここで、端末６２０がＡＰを変更する場合について説明するために、端末６２０が第２アクセス基地局６１１からショートビーコン信号を受信できず、第２アクセス基地局６１２からビーコン信号を受信した場合を仮定する。また、端末６２０が第２アクセス基地局６１１及び第２アクセス基地局６１２からショートビーコン信号を受信したが、第２アクセス基地局６１１からのショートビーコン信号の受信強度がしきい値より小さく、第２アクセス基地局６１２からのショートビーコン信号の受信強度がしきい値より大きい又は同じ場合を仮定する。端末６２０は、ステップ９２０にて、ショートビーコン信号の受信結果に基づいて、第２アクセス基地局６１２へのハンドオーバを決定する。端末６２０は、ステップ９２１にて、第１アクセス基地局６００に活性化応答信号を伝送する。この時、活性化応答信号は、ＡＰ変更が必要であることを示す情報及びターゲットＡＰに対する識別情報を含むことができる。例えば、活性化応答信号は、ＡＰ変更が必要であることを示す“ＡＰ  ｃｈａｎｇｅ＝１”と、ターゲットＡＰに対する識別情報を示す“ｔａｒｇｅｔ  ＡＰ＝ＡＰ２”を含むことができる。ここで、端末６２０は、活性化応答信号を伝送した後、第２アクセスモジュールを非活性化させることができる。
【００８８】
第１アクセス基地局６００は、端末６２０から受信された活性化応答信号で端末６２０がハンドオーバしようとするターゲット第２アクセス基地局６１１を確認し、ステップ９２２にて、第２アクセス基地局６１２に追加要求（ａｄｄ  ｒｅｑｕｅｓｔ）信号を伝送する。追加要求信号は、端末６２０に関する情報を含むことができる。第２アクセス基地局６１２は、ステップ９２４にて、第１アクセス基地局６００に追加要求応答（ａｄｄ  ｒｅｑｕｅｓｔ  ＡＣＫ）信号を伝送する。ここで、第２アクセス基地局６１２は、接続中の端末の数等による負荷を考慮して追加要求応答信号を伝送できる。以降、第１アクセス基地局６００及び第２アクセス基地局６１２は、ステップ９２６にて、端末６２０に対するデータ経路を設定する。
【００８９】
第１アクセス基地局６００は、ステップ９２８にて、端末６２０へ無線リソース制御接続再設定（ｒａｄｉｏ  ｒｅｓｏｕｒｃｅ  ｃｏｎｔｒｏｌ  ｃｏｎｎｅｃｔｉｏｎ  ｒｅｃｏｎｆｉｇｕｒａｔｉｏｎ）信号を伝送し、端末６２０は、ステップ９３０にて、無線リソース制御接続再設定完了信号を第１アクセス基地局６００に伝送する。ここで、端末６２０が以前に接続した第２アクセス基地局６１１からダウンリンクデータを受信した場合、最後に受信されたダウンリンクデータに関する情報（例：ＰＤＣＰ  ＳＮ）を第１アクセス基地局６００に伝送できる。
【００９０】
第１アクセス基地局６００は、無線リソース制御接続再設定完了信号が受信されると、ステップ９３２にて、端末６２０に対するダウンリンクデータを第２アクセス基地局６１２に伝送する。第１アクセス基地局６００は、端末６２０から最後にダウンリンクデータに対するＰＤＣＰ  ＳＮが受信された場合、該当ＰＤＣＰ  ＳＮ以後のダウンリンクデータらを第２アクセス基地局６１２に伝達できる。
【００９１】
一方、端末６２０は、第１アクセス基地局６００に無線リソース制御接続再設定完了信号を伝送した後、第２アクセスモジュールを活性化させ、ステップ９３４にて、第２アクセス基地局６１２に第２アクセスモジュールが活性化されたことを示す第２アクセスモジュール活性化応答信号を伝送できる。設計方式によっては、端末６２０は、第２アクセスモジュールを活性化させた後、第２アクセスモジュール活性化応答信号を伝送しない場合もある。
【００９２】
以降、端末６２０は、ステップ９３６にて、第２アクセス基地局６１２からダウンリンクデータを受信することができる。
【００９３】
図１０Ａは、本開示の一実施形態に係る第１アクセス基地局の制御伝送に基づいて端末の第２アクセスモジュールを非活性化させる信号の流れを示す。ここでは、端末の第２アクセスモジュールが活性化された状態である場合を仮定する。
【００９４】
図１０を参照すると、第１アクセス基地局６００は、ステップ１００１にて、第２アクセス基地局６１０に端末６２０に対するダウンリンクデータを伝送する。例えば、第１アクセス基地局６００は、端末６２０の第２アクセスモジュールが活性状態であることを認知し、端末６２０に対するダウンリンクデータを第２アクセス基地局６１０に伝送できる。
【００９５】
第１アクセス基地局６００は、ステップ１００３にて、ダウンリンクデータを伝送した時点に基づいて第１タイマーを開始させ、予め設定された時間を測定する。もし、第１タイマーが満了する前に、すなわち、予め設定された時間が経過する以前に第２アクセス基地局６１０を介して端末６２０に伝送するダウンリンクデータが追加的に感知された場合、第１アクセス基地局６００は、ステップ１００１に戻って第２アクセス基地局６１０に端末６２０に対するダウンリンクデータを伝送する。この時、第１タイマーは、追加的に感知されたダウンリンクデータを伝送した時点に基づいてリセット（ｒｅｓｅｔ）され予め設定された時間を再測定する。本開示の実施形態によれば、第１タイマーの設定時間は、第２アクセスモジュール活性化信号のタイプに応じて設定されてもよい。例えば、第１タイマーの設定時間は、第２アクセスモジュール活性化指示がＲＲＣ再設定メッセージ、ＭＡＣ  ＣＥ、及びＰＤＣＣＨのうちどれを用いて伝送されたかを考慮して設定されてもよい。
【００９６】
ステップ１００７にて、第２アクセス基地局６１０は、第１アクセス基地局６００から受信されるダウンリンクデータを端末６２０に伝送する。
【００９７】
一方、第１アクセス基地局６００は、ステップ１００５にて、第１タイマーの満了を感知できる。第１アクセス基地局６００は、第２アクセス基地局６１０に端末６２０に対するダウンリンクデータを伝送した時点から予め設定された時間内に、追加的なダウンリンクデータが感知されず第１タイマーが満了した場合、最終ダウンリンクデータが伝送されたと決定できる。
【００９８】
第１アクセス基地局６００は、ステップ１００９にて、第２アクセスモジュールの非活性化を指示する信号を第１アクセスリンクを介して端末６２０に伝送する。本開示の実施形態によれば、第２アクセスモジュールの非活性化を指示する信号は、第１アクセス基地局６００が第２アクセス基地局６１０に伝送した最終ダウンリンクパケットに対するシーケンス番号を含むことができる。また、第２アクセスモジュールの非活性化を指示する信号は、端末６２０に対する最終ダウンリンクパケットのＰＤＣＰ  ＳＮを含むことができる。例えば、第２アクセスモジュールの非活性化を指示する信号は、端末６２０が受信すべき最終ダウンリンクパケットのＰＤＣＰ  ＳＮを含むことができる。
【００９９】
また、本開示の実施形態によれば、第１アクセス基地局６００は、プローブ要求（ｐｒｏｂｅ  ｒｅｑｕｅｓｔ）信号を用いて第２アクセスモジュールの非活性化を指示できる。
【０１００】
端末６２０は、第１アクセスリンクを介して第２アクセスモジュールの非活性化を指示する信号を受信し、ステップ１０１１にて、第２アクセスモジュール非活性化指示信号から最終パケットに対するシーケンス番号を獲得できる。端末６２０は、ステップ１０１１にて獲得した最終パケットに対するシーケンス番号に基づいて最終パケットが受信されたことを感知できる。例えば、第２アクセス基地局６１０から獲得したシーケンス番号に基づいて、端末６２０は、最終ダウンリンクデータパケットまですべて受信されたと決定できる。本開示の実施形態によれば、第２アクセスモジュール非活性化指示信号に最終パケットに対するシーケンス番号が含まれない場合、ステップ１０１１は省略してもよい。また、端末６２０は、第２アクセスモジュールの非活性化を指示する信号から最終ダウンリンクパケットのＰＤＣＰ  ＳＮを獲得し、獲得したＰＤＣＰ  ＳＮに基づいて最終ダウンリンクデータパケットまですべて受信されたと決定できる。
【０１０１】
端末６２０は、ステップ１０１３にて、第２アクセスモジュールの非活性化を示す信号を第１アクセス基地局６００に伝送し、ステップ１０１５にて、第２アクセスモジュールを非活性化させる。本開示の実施形態によれば、端末６２０は、プローブ応答（ｐｒｏｂｅ  ｒｅｓｐｏｎｓｅ）信号を用いて第２アクセスモジュールの非活性化を示すことができる。他の実施形態によれば、端末６２０は、受信された最終パケットのシーケンス番号を示すＰＤＣＰ（Ｐａｃｋｅｔ  Ｄａｔａ  Ｃｏｎｖｅｒｇｅｎｃｅ  ｐｒｏｔｏｃｏｌ）フィードバック信号を用いて第２アクセスモジュールの非活性化を示すことができる。さらに他の実施形態によれば、端末６２０は、第２アクセスモジュールの非活性化を示す信号を伝送しない場合もある。
【０１０２】
第１アクセス基地局６００は、第２アクセスモジュールの非活性化を示す信号が受信されると、ステップ１０１７にて、端末６２０の第２アクセスモジュールに関する状態情報を非活性状態に変更して保存する。他の実施形態によれば、端末６２０から第２アクセスモジュールの非活性化を示す信号が受信されない場合もある。この場合、第１アクセス基地局６００は、端末６２０から受信されるダウンリンクデータパケットに対するＡＲＱ応答信号に基づいて端末６２０が最終パケットを受信したか否かを判断して、端末６２０の第２アクセスモジュールに関する状態情報を非活性状態に変更して保存することができる。ここで、ＡＲＱ応答信号は、端末６２０から第１アクセスリンクを介して直接受信されるか、又は第２アクセス基地局６１０を介して受信されることができる。
【０１０３】
本開示の多様な実施形態によれば、端末６２０が第２アクセスモジュールを非活性化させることは、第２アクセスモジュールをスリープモードに切り替えさせ、スリープモードを持続的に維持することを意味する。例えば、端末６２０は、第２アクセスモジュールが非活性状態になると、第２アクセスモジュール活性化指示信号を受信するまで、第２アクセスリンクに対するダウンリンクトラフィックが存在するかに対するモニタリング動作を行わない。
【０１０４】
本開示の実施形態に係る端末６２０は、第２アクセスモジュールを非活性化させるために、下記動作１乃至動作３のうちいずれか１つを行うことができる。
【０１０５】
動作１：第２アクセス基地局６１０が認可帯域ＬＴＥシステムの基地局である場合、端末６２０は第２アクセスモジュールが第２アクセスシステムに接続された状態で一般に行われるＲＲＣ接続状態（ｃｏｎｎｅｃｔｅｄ  ｓｔａｔｅ）の周期的なＯｎ  ｄｕｒａｔｉｏｎ動作を行うことを禁止させ、第２アクセスモジュールを直ちにＲＲＣアイドル状態（ｉｄｌｅ  ｓｔａｔｅ）へ遷移（Ｔｒａｎｓｉｔｉｏｎ）させることができる。例えば、ＬＴＥ規格に従ってＲＲＣ接続状態にある端末６２０は、第２アクセスモジュールを介してｌｏｎｇ  ＤＲＸ又はｓｈｏｒｔ  ＤＲＸに基づいて周期的にＰＤＣＣＨをモニタリングしなければならない。しかし、本開示の実施形態に係るＲＲＣ接続状態の端末６２０は、第２アクセスモジュールがｌｏｎｇ  ＤＲＸ又はｓｈｏｒｔ  ＤＲＸによって周期的にＰＤＣＣＨをモニタリングすることを禁止させ、アイドル状態へ遷移するように制御できる。
【０１０６】
動作２：第２アクセス基地局６１０が認可帯域ＬＴＥシステムの基地局である場合、端末６２０は、既存のＲＲＣ接続状態（ｃｏｎｎｅｃｔｅｄ  ｓｔａｔｅ）でのｏｎ  ｄｕｒａｔｉｏｎに対する周期をより長く設定して、同期のためのＲＡＣＨ、ページングなどのモニタリングによるオーバーヘッドを減少させながら、端末のコンテキスト（ｃｏｎｔｅｘｔ）が損失されることを防止するＲＲＣ仲裁状態（ｍｅｄｉａｔｅ  ｓｔａｔｅ）で動作させる。例えば、端末６２０が特定時間以上ＲＲＣアイドル状態で動作するようになると、端末のコンテキスト損失によってスリープ状態から活性状態への遷移時にウォーミングアップ時間（ｗａｒｍｉｎｇ  ｕｐ  ｔｉｍｅ）が長くなるが、本開示の実施形態では、コンテキストを維持することによって、ウォーミングアップ時間が長くなることを防止できる。
【０１０７】
動作３：第２アクセス基地局６１０が免許不要帯域ＷＬＡＮシステムのＡＰである場合、端末６２０は、第２アクセスモジュールがＰＳＭメカニズムに従ってビーコンを受信するための周期的なＯｎ  ｄｕｒａｔｉｏｎ動作を行うことを禁止させることができる。
【０１０８】
上記図１０Ａでは、第２アクセスモジュール非活性化指示信号に端末６２０に対する最終ダウンリンクパケットのＰＤＣＰ  ＳＮが含まれると、端末６２０がＰＤＣＰ  ＳＮに基づいて最終ダウンリンクパケットを受信したか否かを決定することができ、第２アクセスモジュールの非活性化を示す信号に端末６２０が受信した最終ダウンリンクパケットのＰＤＣＰ  ＳＮを含めて伝送することについて説明した。
【０１０９】
しかし、本開示の多様な実施形態によれば、端末６２０及び第１アクセス基地局６００は、図１０Ｂに示す、４つのシナリオのうちいずれか１つのシナリオに沿って動作できる。例えば、第２アクセスモジュール非活性化指示信号がＷＬＡＮスリープ要求（ｓｌｅｅｐ  ｒｅｑｕｅｓｔ）信号で、第２アクセスモジュールの非活性化を示す信号がＷＬＡＮスリープ応答（ｓｌｅｅｐ  ｒｅｓｐｏｎｓｅ）信号である場合を仮定して説明する。
【０１１０】
図１０Ｂに示す、第１のシナリオによれば、第１アクセス基地局６００は、端末６２０が受信すべき最終ダウンリンクパケットのＰＤＣＰ  ＳＮ情報を含まないＷＬＡＮスリープ要求信号を端末６２０に伝送する。端末６２０は、最終ダウンリンクパケットに関する情報を知らないので、ＷＬＡＮスリープ要求信号が受信されると、直ちに第２アクセスモジュールを非活性化させることができる。以降、端末６２０は、ＷＬＡＮスリープ応答信号を第１アクセス基地局６００に伝送する。この時、ＷＬＡＮスリープ応答信号は最終ダウンリンクパケットのＰＤＣＰ  ＳＮ情報を含まない。したがって、第１アクセス基地局６００及び端末６２０は、端末６２０が受信すべき最終ダウンリンクパケットのＰＤＣＰ  ＳＮと端末６２０が実際に受信した最終ダウンリンクパケットのＰＤＣＰ  ＳＮとの差を認知できないので、パケット損失が発生し得る。
【０１１１】
第２のシナリオによれば、第１アクセス基地局６００は、端末６２０が受信すべき最終ダウンリンクパケットのＰＤＣＰ  ＳＮ情報を含まないＷＬＡＮスリープ要求信号を端末６２０に伝送する。端末６２０は、最終ダウンリンクパケットに関する情報を知らないので、ＷＬＡＮスリープ要求信号が受信されると、直ちに第２アクセスモジュールを非活性化させることができる。以降、端末６２０は、ＷＬＡＮスリープ応答信号を第１アクセス基地局６００に伝送する。この時、ＷＬＡＮスリープ応答信号は、端末６２０が最後に受信したダウンリンクパケットのＰＤＣＰ  ＳＮ情報を含むことができる。したがって、第１アクセス基地局６００は、端末６２０が受信すべき最終ダウンリンクパケットのＰＤＣＰ  ＳＮと端末６２０が実際に受信した最終ダウンリンクパケットのＰＤＣＰ  ＳＮとの差を認知できる。第１アクセス基地局６００は、端末６２０が受信すべき最終ダウンリンクパケットのＰＤＣＰ  ＳＮと端末６２０が実際に受信した最終ダウンリンクパケットのＰＤＣＰ  ＳＮとを比較した結果、端末６２０が最終ダウンリンクパケットまで受信できなかったと判断した場合、端末６２０が受信できなかったダウンリンクパケットらを第１アクセスリンクを介して端末６２０に伝送できる。したがって、端末６２０は、第１アクセス基地局に伝送したＰＤＣＰ  ＳＮより大きなＰＤＣＰ  ＳＮを有するダウンリンクデータを第１アクセスリンクを介して受信することができる。
【０１１２】
第３のシナリオによれば、第１アクセス基地局６００は、端末６２０が受信すべき最終ダウンリンクパケットのＰＤＣＰ  ＳＮ情報を含むＷＬＡＮスリープ要求信号を端末６２０に伝送する。したがって、端末６２０は、最終ダウンリンクパケットに関する情報を知ることができるので、最終ダウンリンクパケットが受信されるまで第２アクセスモジュールの活性化状態を維持し、最終ダウンリンクパケットが受信されると第２アクセスモジュールを非活性化させる。以降、端末６２０は、第１アクセス基地局６００に応答信号を伝送しない場合もある。すなわち、第３のシナリオによれば、端末６２０は、受信すべき最終ダウンリンクパケットのＰＤＣＰ  ＳＮと受信されたダウンリンクパケットのＰＤＣＰ  ＳＮとの差を認知できる。したがって、端末６２０は、ＷＬＡＮスリープ要求信号に含まれたＰＤＣＰ  ＳＮに基づいて最終ダウンリンクパケットまで受信し、最終ダウンリンクパケットまで受信されたことが感知された後、第２アクセスモジュールを非活性化させることができる。
【０１１３】
第４のシナリオによれば、第１アクセス基地局６００は、端末６２０が受信すべき最終ダウンリンクパケットのＰＤＣＰ  ＳＮ情報を含むＷＬＡＮスリープ要求信号を端末６２０に伝送する。したがって、端末６２０は、最終ダウンリンクパケットに関する情報を知ることができる。この時、端末６２０は、最終ダウンリンクパケットまですべて受信した後、第２アクセスモジュールを非活性化させ、端末６２０が最後に受信したダウンリンクパケットのＰＤＣＰ  ＳＮ情報を含むＷＬＡＮスリープ応答信号を第１アクセス基地局６００に伝送できる。また、端末６２０は、ＷＬＡＮスリープ要求信号を受信すると、直ちに第２アクセスモジュールを非活性化させ、端末６２０が最後に受信したダウンリンクパケットのＰＤＣＰ  ＳＮ情報を含むＷＬＡＮスリープ応答信号を第１アクセス基地局６００に伝送できる。したがって、第１アクセス基地局６００及び端末６２０は、端末６２０が受信すべき最終ダウンリンクパケットのＰＤＣＰ  ＳＮと端末６２０が実際に受信した最終ダウンリンクパケットのＰＤＣＰ  ＳＮとの差を認知できる。第１アクセス基地局６００は、端末６２０が受信すべき最終ダウンリンクパケットのＰＤＣＰ  ＳＮと端末６２０が実際に受信した最終ダウンリンクパケットのＰＤＣＰ  ＳＮとを比較した結果、端末６２０が最終ダウンリンクパケットまで受信できなかったと判断した場合、端末６２０が受信できなかったダウンリンクパケットらを第１アクセスリンクを介して端末６２０に伝送できる。
【０１１４】
図１１Ａは、本開示の他の実施形態に係る端末の初期非活性タイマー情報に基づいて端末が自主的に第２アクセスモジュールを非活性化させる信号の流れを示す。ここでは、端末の第２アクセスモジュールが活性化された状態である場合を仮定する。
【０１１５】
図１１Ａを参照すると、第１アクセス基地局６００は、ステップ１１０１にて、端末６２０とのＲＲＣ接続のための初期設定過程で非活性タイマー情報を含むＲＲＣ構成メッセージを伝送できる。本開示の実施形態によれば、非活性タイマー情報は、第２アクセスモジュールが非活性化されたか否かを判断するために用いられる時間情報を含む。非活性タイマー情報は、第１アクセス基地局から端末６２０へ伝送される第２アクセスモジュール活性化信号のタイプに応じて設定されてもよい。例えば、非活性タイマーの時間情報は、第２アクセスモジュール活性化指示がＲＲＣ再設定メッセージ、ＭＡＣ  ＣＥ、及びＰＤＣＣＨのうちどれを用いて伝送されたかを考慮して設定されてもよい。
【０１１６】
第１アクセス基地局６００は、ステップ１１０３にて、第２アクセス基地局６１０に端末６２０に対するダウンリンクデータを伝送する。例えば、第１アクセス基地局６００は、端末６２０の第２アクセスモジュールが活性状態であることを認知し、端末６２０に対するダウンリンクデータを第２アクセス基地局６１０に伝送できる。
【０１１７】
第１アクセス基地局６００は、ステップ１１０５にて、ダウンリンクデータを伝送した時点に基づいて第１タイマーを開始させ、予め設定された時間を測定する。もし、第１タイマーが満了する前に、すなわち、予め設定された時間が経過する以前に第２アクセス基地局６１０を介して端末６２０に伝送するダウンリンクデータが追加的に感知された場合、第１アクセス基地局６００は、ステップ１１０３に戻って第２アクセス基地局６１０に端末６２０に対するダウンリンクデータを伝送する。この時、第１タイマーは、追加的に感知されたダウンリンクデータを伝送した時点に基づいてリセットされ予め設定された時間を再測定する。本開示の実施形態によれば、第１タイマーの設定時間は、ステップ１１０１にて、端末６２０へ伝送された非活性タイマー情報に基づいて設定されてもよい。本開示の実施形態によれば、第１タイマーの設定時間は、非活性タイマーの時間情報と同じ又は異なる場合がある。
【０１１８】
第１アクセス基地局６００は、ステップ１１０７にて、第１タイマーの満了を感知できる。第１アクセス基地局６００は、第２アクセス基地局６１０に端末６２０に対するダウンリンクデータを伝送した時点から予め設定された時間内に、追加的なダウンリンクデータが感知されず第１タイマーが満了した場合、最終ダウンリンクデータが伝送されたと決定できる。第１アクセス基地局６００は、ステップ１１０９にて、第２アクセスモジュールに関する状態情報を非活性状態に変更して保存する。
【０１１９】
一方、ステップ１１１１にて、第２アクセス基地局６１０は、第１アクセス基地局６００から受信されるダウンリンクデータを端末６２０に伝送する。
【０１２０】
端末６２０は、ステップ１１１１にて、第２アクセス基地局６１０からダウンリンクデータを受信し、ステップ１１１３にて、ダウンリンクデータ受信時点に基づいて第２タイマーを開始させ、予め設定された時間を測定する。第２タイマーは、ＲＲＣ構成メッセージに含まれた非活性タイマー情報に基づいて設定されてもよい。本開示の実施形態によれば、第２タイマーの設定時間は、非活性タイマーの時間情報と同じ又は異なる場合がある。また、本開示の実施形態によれば、第２タイマーの設定時間は、第１アクセス基地局６００で運用される第１タイマーの設定時間と同じ又は異なる場合がある。第２タイマーの設定時間は、第１アクセス基地局６００と第２アクセス基地局６１０の間の伝達遅延、及び／又は第２アクセス基地局６１０と端末６２０の間の伝達遅延を考慮して設定されてもよい。端末６２０は、第２タイマーが満了する前に、すなわち、予め設定された時間が経過する以前に第２アクセスリンクを介して第２アクセスモジュールでダウンリンクデータが追加的に感知された場合、ダウンリンクデータを受信する。この時、第２タイマーは、追加的に感知されたダウンリンクデータを受信した時点に基づいてリセットされ予め設定された時間を再測定する。
【０１２１】
端末６２０は、ステップ１１１５にて、第２タイマー満了を感知できる。端末６２０は、第２アクセスモジュールを用いて第２アクセスリンクを介してダウンリンクデータを受信した時点から予め設定された時間内に、追加的なダウンリンクデータが感知されず第２タイマーが満了した場合、最終ダウンリンクデータが受信されたと決定できる。端末６２０は、ステップ１１１７にて、第２アクセスモジュールに関する状態情報を非活性状態に変更して保存する。
【０１２２】
上記図１０の実施形態では、端末６２０と第１アクセス基地局６００の初期接続設定の間に第１アクセス基地局６００が端末６２０に非活性タイマー情報を伝送することによって、第１アクセス基地局６００及び端末６２０の各々で非活性タイマー情報に基づいて端末６２０の第２アクセスモジュールに対する非活性状態への切り替え時点を決定する。しかし、他の実施形態として、第１アクセス基地局６００が端末６２０に非活性タイマー情報を伝送せず、端末６２０が端末６２０内に予め設定されたタイマー情報を第１アクセス基地局６００に伝送してもよい。この時、第１アクセス基地局６００及び端末６２０の各々は、端末６２０のタイマー情報に基づいて端末６２０の第２アクセスモジュールに対する非活性状態への切り替え時点を決定できる。他の実施形態として、第１アクセス基地局６００及び端末６２０が第２アクセスモジュールの非活性化のためのタイマー情報を交換せず、第１アクセス基地局６００及び端末６２０の各々に予め設定されたタイマー情報に基づいて端末６２０の第２アクセスモジュールに対する非活性状態への切り替え時点を決定することもできる。
【０１２３】
本開示の多様な実施形態によれば、端末６２０が第２アクセスモジュールを非活性化させることは、第２アクセスモジュールをスリープモードに切り替えさせ、スリープモードを持続的に維持することを意味する。例えば、端末６２０は、第２アクセスモジュールが非活性状態になると、第２アクセスモジュール活性化指示信号を受信するまで、第２アクセスリンクに対するダウンリンクトラフィックが存在するかに対するモニタリング動作を行わない。本開示の実施形態に係る端末６２０は、第２アクセスモジュールを非活性化させるために上述の動作１乃至動作３のうちいずれか１つを行うことができる。
【０１２４】
本開示の多様な実施形態では、第１アクセス基地局６００で管理する第２アクセスモジュールの状態情報と端末６２０の第２アクセスモジュールの状態とが一致しない状況が発生し得る。例えば、各エンティティでのクロックドラフト（ｃｌｏｃｋ  ｄｒａｆｔ）、エンティティ間制御信号の伝送遅延などによって第１アクセス基地局６００で認知する第２アクセスモジュールの状態情報と端末６２０の第２アクセスモジュールの実質的な状態とが一致しない場合がある。
【０１２５】
図１１Ｂは、本開示の実施形態に係る端末及び第１アクセス基地局における端末の第２アクセスモジュールに対する状態判断状況を示す。例えば、図１１Ｂは、第１アクセス基地局６００で管理する第２アクセスモジュールの状態情報及び端末６２０の第２アクセスモジュールの状態を示す。図１１Ｂで、「ＯＮ」は第２アクセスモジュールの活性状態を示し、「ＯＦＦ」は第２アクセスモジュールの非活性状態を示す。
【０１２６】
端末６２０の第２アクセスモジュールの状態が「ＯＮ」で第１アクセス基地局６００で管理する第２アクセスモジュールの状態情報が「ＯＮ」の場合、端末６２０は問題なくデータを送受信できる。
【０１２７】
端末６２０の第２アクセスモジュールの状態が「ＯＮ」で、第１アクセス基地局６００で管理する第２アクセスモジュールの状態情報が「ＯＦＦ」の場合、第２アクセスモジュールの状態情報は不一致（ｍｉｓｍａｔｃｈ）するが、端末６２０は問題なくダウンリンクデータを受信することができる。例えば、第１アクセス基地局６００は、第２アクセスモジュールの状態情報が「ＯＦＦ」の状態でダウンリンクデータを感知した場合、端末６２０の第２アクセスモジュールを活性状態に変更するための信号を伝送し第２アクセス基地局６１０を介してダウンリンクデータを伝送するので、問題なくダウンリンクデータを伝送できる。ただし、第１アクセス基地局６００で管理する第２アクセスモジュールの状態情報が「ＯＦＦ」であることは、端末６２０に対するダウンリンクデータが発生しない状況であることを意味する。したがって、端末６２０に対するダウンリンクデータが発生しない状況で端末６２０の第２アクセスモジュールが活性状態で動作するので、端末６２０の電力が浪費され得る。
【０１２８】
端末６２０の第２アクセスモジュールの状態が「ＯＦＦ」で第１アクセス基地局６００で管理する第２アクセスモジュールの状態情報が「ＯＮ」の場合、端末６２０は、第２アクセスモジュールの状態情報の不一致によってダウンリンクデータを受信することができなくなる。例えば、第１アクセス基地局６００は、第２アクセスモジュールの状態情報が「ＯＮ」である状態でダウンリンクデータを感知した場合、端末６２０の第２アクセスモジュールを活性状態に変更するための信号を伝送せず、第２アクセス基地局６１０を介してダウンリンクデータを伝送する。しかし、この時、端末６２０の第２アクセスモジュールの状態は「ＯＦＦ」状態であるから、端末６２０は、第２アクセス基地局６１０から第２アクセスリンクを介して伝送されるダウンリンクデータを受信することができない。
【０１２９】
端末６２０の第２アクセスモジュールの状態が「ＯＦＦ」で第１アクセス基地局６００で管理する第２アクセスモジュールの状態情報が「ＯＦＦ」の場合、端末６２０に対するダウンリンクデータが存在しない状態を意味する。端末６２０は、ダウンリンクデータが存在しない状況で第２アクセスモジュールを非活性化させることによって、不要な電力消耗を減少させることができる。
【０１３０】
上述のように、端末６２０の第２アクセスモジュールの状態が「ＯＦＦ」で第１アクセス基地局６００で管理する第２アクセスモジュールの状態情報が「ＯＮ」の場合、第２アクセスモジュールの状態情報の不一致によって端末６２０はダウンリンクデータを受信することができなくなる。したがって、本開示の実施形態では、第２アクセス基地局６１０が第２アクセスモジュールの状態情報が不一致する状況を感知し、第２アクセスモジュールの状態情報を一致させることができる。
【０１３１】
図１２Ａは、本開示の実施形態に係る第２アクセス基地局で端末と第１アクセス基地局のタイマーミスマッチ（ｍｉｓｍａｔｃｈ）に基づいて第２アクセスモジュールの状態を制御する信号の流れを示す。ここでは、端末の第２アクセスモジュールが活性化された状態である場合を仮定する。
【０１３２】
図１２Ａを参照すると、第１アクセス基地局６００は、ステップ１２０１にて、第２アクセス基地局６１０に端末６２０に対するダウンリンクデータを伝送する。例えば、第１アクセス基地局６００は、端末６２０の第２アクセスモジュールが活性状態であることを認知し、端末６２０に対するダウンリンクデータを第２アクセス基地局６１０に伝送できる。
【０１３３】
第１アクセス基地局６００は、ステップ１２０３にて、ダウンリンクデータを伝送した時点に基づいて第１タイマーを開始させ、予め設定された時間を測定する。もし、第１タイマーが満了する前に、すなわち、予め設定された時間が経過する以前に第２アクセス基地局６１０を介して端末６２０に伝送するダウンリンクデータが追加的に感知された場合、第１アクセス基地局６００は、ステップ１２０１に戻って第２アクセス基地局６１０に端末６２０に対するダウンリンクデータを伝送する。この時、第１タイマーは、追加的に感知されたダウンリンクデータを伝送した時点に基づいてリセットされ予め設定された時間を再測定する。
【０１３４】
一方、第２アクセス基地局６１０は、ステップ１２０１にて、第１アクセス基地局６００から端末６２０に対するダウンリンクデータが受信されると、ステップ１２１１にて、ネットワークタイマーを開始させ、予め設定された時間を測定する。本開示の実施形態によれば、ネットワークタイマーは、第１アクセス基地局６００から予め受信された非活性化タイマー情報に基づいて設定されてもよい。非活性化タイマー情報は、第１アクセス基地局の第１タイマーの設定時間に関する情報を含むことができる。他の実施形態として、ネットワークタイマーは、第２アクセス基地局に予め保存された情報に基づいて設定されてもよい。ネットワークタイマーの設定時間は、第１タイマー設定時間と同じ又は異なる場合がある。ネットワークタイマーの設定時間は、第１アクセス基地局６００と第２アクセス基地局６１０の間の伝達遅延を考慮して設定されてもよい。第２アクセス基地局６１０は、ネットワークタイマーが満了する前に第１アクセス基地局６００から端末６２０に対するダウンリンクデータが追加的に受信された場合、ネットワークタイマーをリセットさせ予め設定された時間を再測定する。
【０１３５】
第２アクセス基地局６１０は、ステップ１２１３にて、ダウンリンクデータを第２アクセスリンクを介して端末６２０に伝送する。第２アクセス基地局６１０は、ステップ１２１５にて、ダウンリンクデータを伝送した時点に基づいて端末タイマーを開始させ、予め設定された時間を測定する。本開示の実施形態によれば、端末タイマーは、第１アクセス基地局６００から予め受信された非活性化タイマー情報に基づいて設定されてもよい。非活性化タイマー情報は、第１アクセス基地局の第１タイマーの設定時間に関する情報を含むことができる。他の実施形態として、端末タイマーは、第２アクセス基地局に予め保存された情報に基づいて設定されてもよい。端末タイマーの設定時間は、第１タイマー設定時間、及び／又はネットワークタイマーの設定時間と同じ又は異なる場合がある。端末タイマーの設定時間は、第１アクセス基地局６００と第２アクセス基地局６１０の間の伝達遅延、及び／又は第２アクセス基地局６１０と端末６２０の間の伝達遅延を考慮して設定されてもよい。第２アクセス基地局６１０は、端末タイマーが満了する前に第１アクセス基地局６００から端末６２０に対するダウンリンクデータが追加的に受信され、追加的に受信されたダウンリンクデータが端末６２０に追加的に伝送される場合、端末タイマーをリセットさせ予め設定された時間を再測定する。
【０１３６】
端末６２０は、ステップ１２１３にて、第２アクセス基地局６１０から第２アクセスリンクを介してダウンリンクデータが受信されると、ステップ１２１４にて、第２タイマーを開始させ、予め設定された時間を測定する。本開示の実施形態によれば、第２タイマーは、第１アクセス基地局６００から予め受信された非活性タイマー情報に基づいて設定されてもよい。本開示の実施形態によれば、第２タイマーの設定時間は、非活性タイマーの時間情報と同じ又は異なる場合がある。また、本開示の実施形態によれば、第２タイマーの設定時間は、第１アクセス基地局６００で運用される第１タイマーの設定時間と同じ又は異なる場合がある。また、第２タイマーの設定時間は、第２アクセス基地局６１０で運用される端末タイマーの設定時間と同じ又は異なる場合がある。第２タイマーの設定時間は、第１アクセス基地局６００と第２アクセス基地局６１０の間の伝達遅延、及び／又は第２アクセス基地局６１０と端末６２０の間の伝達遅延を考慮して設定されてもよい。端末６２０は、第２タイマーが満了する前に第２アクセスリンクを介して第２アクセスモジュールでダウンリンクデータが追加的に受信された場合、第２タイマーをリセットさせ予め設定された時間を再測定する。
【０１３７】
一方、第２アクセス基地局６１０は、ステップ１２１７にて、端末タイマーとネットワークタイマーの状態をモニタリングして、ミスマッチ発生を感知できる。例えば、ネットワークタイマーは継続的に動作している状態（例：ＯＮ状態）で、端末タイマーは満了した状態（例：ＯＦＦ状態）の場合、第２アクセス基地局６１０は、タイマーによるミスマッチ発生を感知できる。この場合、第２アクセス基地局６１０は、端末６２０の第２アクセスモジュールの状態が非活性状態で、第１アクセス基地局６００で管理する第２アクセスモジュールの状態情報が活性状態であると認知できる。他の例として、ネットワークタイマーは満了した状態（例：ＯＦＦ状態）で、端末タイマーは継続的に動作している状態（例：ＯＮ状態）の場合、第２アクセス基地局６１０は、タイマーによるミスマッチ発生を感知できる。この場合、第２アクセス基地局６１０は、端末６２０の第２アクセスモジュールの状態が活性状態で、第１アクセス基地局６００で管理する第２アクセスモジュールの状態情報が非活性状態であると認知できる。
【０１３８】
第２アクセス基地局６１０は、ステップ１２１９にて、第１アクセス基地局６００に端末６２０の第２アクセスモジュールに対する状態制御を要求する信号を伝送する。例えば、第２アクセス基地局６１０は、第１アクセス基地局６００の状態情報に基づいて第２アクセスモジュールの状態制御を要求する信号を伝送できる。例えば、端末６２０の第２アクセスモジュールの状態が非活性状態で、第１アクセス基地局６００で管理する第２アクセスモジュールの状態情報が活性状態である場合、第２アクセス基地局６１０は、端末６２０の第２アクセスモジュール状態を非活性状態から活性状態に変更することを要求する信号を伝送できる。他の例として、端末６２０の第２アクセスモジュールの状態が活性状態で、第１アクセス基地局６００で管理する第２アクセスモジュールの状態情報が非活性状態である場合、第２アクセス基地局６１０は、端末６２０の第２アクセスモジュール状態を活性状態から非活性状態に変更することを要求する信号を伝送できる。他の実施形態として、第２アクセス基地局６１０は、端末６２０の第２アクセスモジュール状態が活性状態であることを示す情報のみを伝送できる。さらに他の実施形態として、第２アクセス基地局６１０は、端末６２０の第２アクセスモジュール状態と第１アクセス基地局６００が管理する第２アクセスモジュールの状態情報とが異なることを示す情報のみを伝送できる。
【０１３９】
第１アクセス基地局６００は、端末６２０の第２アクセスモジュールに対する状態制御要求信号に基づいて、ステップ１２２１にて、端末６２０の第２アクセスモジュールの状態変更を指示する信号を伝送する。第２アクセスモジュールの状態変更を指示する信号は、第２アクセスモジュールの活性化を指示する命令信号、又は第２アクセスモジュールの非活性化を指示する命令信号であってもよい。第２アクセスモジュールの状態変更を指示する信号は、ＲＲＣ再設定メッセージ、ＭＡＣ  ＣＥ、ＰＤＣＣＨのうちいずれか１つを用いて伝送されることができる。
【０１４０】
端末６２０は、第１アクセス基地局６００から第２アクセスモジュールの状態変更を指示する信号を受信し、受信された信号に基づいて第２アクセスモジュールの状態を変更できる。図示していないが、端末６２０は、第２アクセスモジュールの状態が変更されることを示す信号を第１アクセスリンクを介して第１アクセス基地局６００に伝送するか、又は第２アクセスリンクを介して第２アクセス基地局６１０に伝送できる。
【０１４１】
一方、図示していないが、第２アクセス基地局６１０は、タイマーによるミスマッチ発生を感知した後、第１アクセス基地局６００からのダウンリンクデータを端末６２０に伝送せずバッファリングさせてもよい。第２アクセス基地局６１０は、端末６２０から又は第１アクセス基地局６００から端末６２０の第２アクセスモジュールが活性化されることを示す信号が受信された場合、バッファリングされたダウンリンクデータの伝送を開始することができる。また、第２アクセス基地局６１０は、第１アクセス基地局６００に第２アクセスモジュール状態制御を要求した時点から所定時間が経過すると、バッファリングされたダウンリンクデータの伝送を開始することができる。
【０１４２】
上記図１２Ａの実施形態では、第２アクセス基地局６１０が第１アクセス基地局６００に端末６２０の第２アクセスモジュールに対する状態変更を要求した。しかし、本開示の多様な実施形態によれば、端末６２０の第２アクセスモジュールの状態が活性状態で、第１アクセス基地局６００で管理する第２アクセスモジュールの状態情報が非活性状態である場合、第２アクセス基地局６１０は、第２アクセスリンクを介して端末６２０に第２アクセスモジュール状態を活性状態から非活性状態に変更することを要求する信号を伝送できる。上記図１２Ａでは、第２アクセス基地局で端末と第１アクセス基地局のタイマーミスマッチ（ｍｉｓｍａｔｃｈ）に基づいて第２アクセスモジュールの状態を一致させるための動作について説明した。しかし、制御信号遅延などによって第２アクセスモジュールの状態情報が不一致する場合にも、第２アクセス基地局が第１アクセス基地局６００又は端末６２０に、第２アクセスモジュールの状態制御を要求する信号を伝送できる。
【０１４３】
図１２Ｂは、本開示の実施形態に係る端末の第２アクセスモジュールの状態を制御する信号の流れを示す。図１２Ｂは端末の第２アクセスモジュールの状態ミスマッチが発生した時、第２アクセスモジュールの状態を制御する実施形態を示す。特に、図１１Ｂに示す、多様な状態のうち端末６２０の第２アクセスモジュールの状態が「ＯＦＦ」で、第１アクセス基地局６００で管理する第２アクセスモジュールの状態情報が「ＯＮ」の場合、端末６２０は、第２アクセスモジュールの状態情報不一致によってダウンリンクデータを受信できない状況が発生する場合があるので、これを解決するための方案に対する実施形態を示す。
【０１４４】
図１２Ｂに示すように、第２アクセス基地局６１０がステップ１２３０にて、端末６２０に対する第２アクセスモジュールの状態ミスマッチが発生したか否かを感知できる。例えば、第２アクセス基地局６１０は、端末６２０の第２アクセスモジュールが非活性化された状態であるが、第１アクセス基地局６００で管理される端末６２０の第２アクセスモジュールが活性状態であることを感知できる。これは図１２Ａで説明したようなタイマーを管理して感知できる。端末６２０に対する第２アクセスモジュールの状態ミスマッチが発生した時、第２アクセス基地局６１０は、ステップ１２３２にて、第２アクセスモジュールの非活性化を指示する信号を第１アクセス基地局６００に伝送できる。これによって、第１アクセス基地局６００は、端末６２０の第２アクセスモジュールが非活性化状態であると認知し、端末６２０の第２アクセスモジュール状態情報を非活性化状態で管理できる。
【０１４５】
他のオプションとして、端末６２０に対する第２アクセスモジュールの状態ミスマッチが発生した時、端末６２０がステップ１２３４のように第２アクセスモジュールの状態が非活性化状態であることを示す信号を第１アクセス基地局６００に伝送できる。もちろん、この場合、端末６２０は、第２アクセス基地局６１０で端末６２０に対する第２アクセスモジュールの状態ミスマッチ発生が感知されたことを認知できない。したがって、端末６２０は、周期的に第２アクセスモジュールの状態が非活性化状態であることを示す信号を第１アクセス基地局６００に伝送するか、又は第２アクセスモジュールの状態が非活性化される度に第２アクセスモジュールの状態が非活性化状態であることを示す信号を第１アクセス基地局６００に伝送すべきである。これによって、第１アクセス基地局６００は、端末６２０の第２アクセスモジュールが非活性化状態であると認知し、端末６２０の第２アクセスモジュール状態情報を非活性化状態で管理できる。
【０１４６】
ステップ１２３２又はステップ１２３４を介して、端末６２０の第２アクセスモジュールが非活性化状態であることを認知した第１アクセス基地局６００は、第２アクセス基地局６１０を介して端末６２０のためのダウンリンクデータが存在することを感知できる。この場合、第１アクセス基地局６００は、端末６２０に第２アクセスモジュールの活性化を要求する信号を伝送できる。第２アクセスモジュールの活性化を要求する信号は、上述のように、ショートビーコンが伝送されたか否かを示すビーコンオプション情報及び活性化応答信号の伝送のためのアップリンクリソース割当情報を含むことができる。
【０１４７】
これにより、端末６２０の第２アクセスモジュールは活性化され、第１アクセス基地局６００及び第２アクセス基地局６１０に保存された端末６２０の第２アクセスモジュール状態情報は活性化状態に一致されることができる。
【０１４８】
上記図１２Ｂで、第２アクセス基地局６１０がタイマーを用いて端末６２０の第２アクセスモジュールに対する状態ミスマッチを感知し、状態ミスマッチを制御するための信号を第１アクセス基地局６００に伝送する方式を用いる場合、第２アクセス基地局６１０と第１アクセス基地局の間のＸ２インタフェースによって多少長い遅延が発生し得る。しかし、かかる方式は、状態ミスマッチが発生する場合にのみ、第２アクセス基地局６１０が状態ミスマッチを制御するための信号を第１アクセス基地局に伝送するので、システム負荷が少ない長所がある。
【０１４９】
一方、上記図１２Ｂで、端末６２０が第１アクセス基地局６００に状態ミスマッチを制御するための信号を伝送する方式を用いる場合、第１アクセスリンクを用いるので遅延が非常に短い長所がある。しかし、かかる方式は、端末６２０で第２アクセスモジュールの状態が変更される度に、又は周期的に状態ミスマッチを制御するための信号を第１アクセス基地局に伝送するので、システム負荷が増加し得る。
【０１５０】
上記図１２Ａ及び図１２Ｂでは、端末の第２アクセスモジュールに対する状態ミスマッチ（ｍｉｓｍａｔｃｈ）に基づいて第２アクセスモジュールの状態を一致させるための動作について説明した。しかし、他の実施形態によれば、第２アクセス基地局６１０は、第２アクセスモジュールの状態制御を要求する信号を伝送せず、端末６２０の第２アクセスモジュールの状態と第１アクセス基地局６００が管理する第２アクセスモジュールの状態情報とが一致するまでダウンリンクデータを伝送せずバッファリングできる。例えば、第１アクセス基地局６００が第２アクセスモジュールを活性化させるために端末６２０に第２アクセスモジュール活性化指示信号を伝送する場合、第２アクセスモジュール活性化指示信号の伝送遅延が発生し得る。これにより、第１アクセス基地局６００で管理する第２アクセスモジュールの状態情報は活性状態であるが、実際の端末６２０の第２アクセスモジュールは非活性状態の場合がある。この時、第２アクセス基地局６１０は、端末６２０の第２アクセスモジュールが活性化されると予想される時間に基づいてダウンリンクデータを特定時間の間バッファリングした後、ダウンリンクデータを端末６２０に伝送できる。
【０１５１】
他の例として、第２アクセス基地局６１０は、端末６２０に伝送するダウンリンクデータがバッファリングされた状態で、端末６２０の第２アクセスモジュールが特定時間以内に非活性化状態に転換することと予想される場合、端末６２０に第２アクセスモジュールの非活性化を禁止させる信号を明示的に伝送できる。
【０１５２】
図１２Ｃは、本開示の実施形態に係る第２アクセス基地局が端末の非活性化を禁止させる信号の流れを示す。
【０１５３】
図１２Ｃを参照すると、第１アクセス基地局６００は、ステップ１２５１にて、第２アクセス基地局６１０に端末６２０に対するダウンリンクデータを伝送する。例えば、第１アクセス基地局６００は、端末６２０の第２アクセスモジュールが活性状態であることを認知し、端末６２０に対するダウンリンクデータを第２アクセス基地局６１０に伝送できる。
【０１５４】
第１アクセス基地局６００は、ステップ１２５３にて、ダウンリンクデータを伝送した時点に基づいて第１タイマーを開始させ、予め設定された時間を測定する。もし、第１タイマーが満了する前に、すなわち、予め設定された時間が経過する以前に第２アクセス基地局６１０を介して端末６２０に伝送するダウンリンクデータが追加的に感知された場合、第１アクセス基地局６００は、ステップ１２５１に戻って第２アクセス基地局６１０に端末６２０に対するダウンリンクデータを伝送する。この時、第１タイマーは、追加的に感知されたダウンリンクデータを伝送した時点に基づいてリセットされ予め設定された時間を再測定する。
【０１５５】
一方、第２アクセス基地局６１０は、ステップ１２５１にて、第１アクセス基地局６００から端末６２０に対するダウンリンクデータが受信されると、ステップ１２５５にて、ネットワークタイマーを開始させ、予め設定された時間を測定する。本開示の実施形態によれば、ネットワークタイマーは、第１アクセス基地局６００から予め受信された非活性化タイマー情報に基づいて設定されてもよい。非活性化タイマー情報は、第１アクセス基地局の第１タイマーの設定時間に関する情報を含むことができる。他の実施形態として、ネットワークタイマーは、第２アクセス基地局に予め保存された情報に基づいて設定されてもよい。ネットワークタイマーの設定時間は、第１タイマー設定時間と同じ又は異なる場合がある。ネットワークタイマーの設定時間は、第１アクセス基地局６００と第２アクセス基地局６１０の間の伝達遅延を考慮して設定されてもよい。第２アクセス基地局６１０は、ネットワークタイマーが満了する前に第１アクセス基地局６００から端末６２０に対するダウンリンクデータが追加的に受信された場合、ネットワークタイマーをリセットさせ予め設定された時間を再測定する。
【０１５６】
第２アクセス基地局６１０は、ステップ１２５７にて、ダウンリンクデータを第２アクセスリンクを介して端末６２０に伝送する。第２アクセス基地局６１０は、ステップ１２５９にて、ダウンリンクデータを伝送した時点に基づいて端末タイマーを開始させ、予め設定された時間を測定する。本開示の実施形態によれば、端末タイマーは第１アクセス基地局６００から予め受信された非活性化タイマー情報に基づいて設定されてもよい。非活性化タイマー情報は、第１アクセス基地局の第１タイマーの設定時間に関する情報を含むことができる。他の実施形態として、端末タイマーは、第２アクセス基地局に予め保存された情報に基づいて設定されてもよい。端末タイマーの設定時間は、第１タイマー設定時間、及び／又はネットワークタイマーの設定時間と同じ又は異なる場合がある。端末タイマーの設定時間は、第１アクセス基地局６００と第２アクセス基地局６１０の間の伝達遅延、及び／又は第２アクセス基地局６１０と端末６２０の間の伝達遅延を考慮して設定されてもよい。第２アクセス基地局６１０は、端末タイマーが満了する前に第１アクセス基地局６００から端末６２０に対するダウンリンクデータが追加的に受信され、追加的に受信されたダウンリンクデータが端末６２０に追加的に伝送される場合、端末タイマーをリセットさせ予め設定された時間を再測定する。
【０１５７】
端末６２０は、ステップ１２５７にて、第２アクセス基地局６１０から第２アクセスリンクを介してダウンリンクデータが受信されると、ステップ１２６１にて、第２タイマーを開始させ、予め設定された時間を測定する。本開示の実施形態によれば、第２タイマーは、第１アクセス基地局６００から予め受信された非活性タイマー情報に基づいて設定されてもよい。本開示の実施形態によれば、第２タイマーの設定時間は、非活性タイマーの時間情報と同じ又は異なる場合がある。また、本開示の実施形態によれば、第２タイマーの設定時間は、第１アクセス基地局６００で運用される第１タイマーの設定時間と同じ又は異なる場合がある。また、第２タイマーの設定時間は、第２アクセス基地局６１０で運用される端末タイマーの設定時間と同じ又は異なる場合がある。第２タイマーの設定時間は、第１アクセス基地局６００と第２アクセス基地局６１０の間の伝達遅延、及び／又は第２アクセス基地局６１０と端末６２０の間の伝達遅延を考慮して設定されてもよい。端末６２０は、第２タイマーが満了する前に第２アクセスリンクを介して第２アクセスモジュールでダウンリンクデータが追加的に受信された場合、第２タイマーをリセットさせ予め設定された時間を再測定する。
【０１５８】
一方、第２アクセス基地局６１０は、ステップ１２６３にて、端末タイマーが特定時間以内に満了するか否かを感知する。例えば、第２アクセス基地局６１０は、端末６２０に対するダウンリンクデータが端末６２０に伝送されずバッファリングされた状態で端末タイマーが特定時間以内に満了するか否かを感知する。端末タイマーが特定時間以内に満了すると判断した場合、第２アクセス基地局６１０は、ステップ１２６５にて、端末６２０へ第２アクセスモジュールの非活性化を禁止させる信号を伝送できる。この時、第２アクセスモジュール非活性化禁止信号は、第２アクセスモジュールの非活性化禁止時間に関する情報を含むことができる。したがって、端末６２０は、第２アクセスモジュール非活性化禁止時間の間、第２アクセスモジュールを非活性化させず、第２アクセスモジュールを介して第２アクセス基地局６１０からダウンリンクデータを受信することができる。第２アクセスモジュール非活性化禁止信号は、第２アクセスモジュールの活性状態維持を要求する信号であってもよい。
【０１５９】
本開示の実施形態によれば、第２アクセス基地局６１０は、第２アクセスモジュールの非活性化を禁止させる信号を端末６２０に伝送する代わりに、端末６２０のダウンリンクデータ伝送に対する優先順位を上げてもよい。例えば、第２アクセス基地局６１０は、多数の端末に対するダウンリンクデータが存在する場合、特定時間内に非活性化されると予想される端末６２０に対するダウンリンクデータを優先的にスケジューリングして伝送してもよい。
【０１６０】
図１２Ｄは、本開示の実施形態に係る端末の第２アクセスモジュールに対する状態ミスマッチの発生原因及び状態ミスマッチの訂正方式を示す。
【０１６１】
図１２Ｄに示すように、端末６２０の第２アクセスモジュールに対する状態ミスマッチは、免許不要帯域のチャネル接続遅延によって発生し得る。例えば、免許不要帯域を用いる第２アクセス基地局６１０で端末６２０にダウンリンクデータを伝送するためのチャネル占有が遅れることによって、端末の第２アクセスモジュールに対する状態ミスマッチが発生し得る。この場合、第２アクセス基地局６１０で上記図１２Ａ及び図１２Ｂに説明した方式によって端末の第２アクセスモジュールに対する状態を一致させることができる。
【０１６２】
また、端末６２０の第２アクセスモジュールに対する状態ミスマッチは、第２アクセス基地局６１０と第１アクセス基地局６００の間のインタフェースによって制御信号の伝送が遅れることによって発生し得る。この場合、第２アクセス基地局６１０でダウンリンクデータをバッファリングする方式によって端末の第２アクセスモジュールに対する状態を一致させることができる。
【０１６３】
また、端末６２０の第２アクセスモジュールに対する状態ミスマッチは、端末６２０で第２アクセスモジュールを用いるアップリンクデータが発生して第２アクセスモジュールが活性化された場合によって発生し得る。この場合、端末６２０で第２アクセスモジュールの活性化を示す信号を第１アクセス基地局に伝送する方式によって端末の第２アクセスモジュールに対する状態を一致させることができる。
【０１６４】
また、端末６２０の第２アクセスモジュールに対する状態ミスマッチは、端末６２０と第１アクセス基地局６００のクロックドラフト（ｃｌｏｃｋ  ｄｒａｆｔ）によって発生し得る。この場合、端末６２０、第１アクセス基地局６００、及び／又は第２アクセス基地局６１０で運営されるタイマーの時間に対して活性化マージンを適用する方式によって端末の第２アクセスモジュールに対する状態を一致させることができる。
【０１６５】
さらに、本開示の実施形態において、端末６２０は、第２アクセスモジュールを活性状態から非活性状態に変更すべきであることを感知した状況で、ＷＬＡＮ  ８０２．１１  ＭＡＣヘッダを用いて第２アクセスモジュールが非活性状態に切り替えて動作することを示すことができる。例えば、図１３に示すように、端末６２０は、ＷＬＡＮ  ８０２．１１  ＭＡＣヘッダのフレーム制御（ｆｒａｍｅ  ｃｏｎｔｒｏｌ）フィールド内のＰｏｗｅｒ  Ｍｇｍｔ１３００及びＭｏｒｅ  Ｄａｔａ１３０１の値をそれぞれ１、１に設定して第２アクセス基地局６１０に伝送できる。ＷＬＡＮ  ８０２．１１規格によれば、‘Ｐｏｗｅｒ  Ｍｇｍｔ＝０’は活性モードを意味し、‘Ｐｏｗｅｒ  Ｍｇｍｔ＝１’はＰＳＭモードを意味し、Ｍｏｒｅ  Ｄａｔａ１３０１は特定の用途に定義されていない状態にある。したがって、本開示では、‘Ｐｏｗｅｒ  Ｍｇｍｔ＝１、Ｍｏｒｅ  Ｄａｔａ＝１’に設定して、端末６２０の第２アクセスモジュールが非活性状態に切り替えて動作することを示すことができる。第２アクセス基地局６１０は、接続中の端末らから受信されるＷＬＡＮ  ８０２．１１  ＭＡＣヘッダ内のＰｏｗｅｒ  Ｍｇｍｔ１３００及びＭｏｒｅ  Ｄａｔａ１３０１を分析して、接続中の全ての端末が第２アクセスモジュールの非活性状態への切り替えを示すか否かを決定できる。接続中の全ての端末が第２アクセスモジュールの非活性状態への切り替えを示す場合、第２アクセス基地局６１０は、周期的にビーコン信号を伝送する動作を行わなくてよい。この時、第２アクセス基地局６１０は、第１アクセス基地局の制御によってビーコン信号を伝送する動作を行うことができる。例えば、第２アクセス基地局６１０は、第１アクセス基地局から端末６２０に伝送するダウンリンクデータが受信された場合、周期的なビーコン信号の伝送動作を再開すべきであることを感知し、周期的にビーコン信号を伝送できる。
【０１６６】
上述した本開示の実施形態では、第１アクセス基地局が上位ネットワークノードから端末６２０の第２アクセスシステムに対するダウンリンクデータを受信し、受信されたダウンリンクデータを第２アクセスシステムに伝送する場合を仮定して説明した。しかし、本開示の実施形態によれば、第２アクセス基地局が上位ネットワークノードから端末６２０の第２アクセスシステムに対するダウンリンクデータを受信して端末６２０に伝送してもよい。この場合、第２アクセス基地局６１０が端末６２０に伝送するダウンリンクデータが存在するか否かを示す信号又は端末６２０の第２アクセスモジュールに対する活性状態を制御することを要求する信号を伝送して、第１アクセス基地局が端末６２０の第２アクセスモジュールの活性状態を制御するようにすることができる。
【０１６７】
また、上述した本開示の実施形態は、第１アクセス基地局が第１アクセスシステムのリンクを介して端末に伝送するダウンリンクデータによる負荷を分散させるために、第２アクセス基地局にダウンリンクデータを伝達する場合にも同じ方式で適用され得る。
【０１６８】
図１４Ａ及び図１４Ｂは、本開示の実施形態に係る第１アクセス基地局の動作手順を示す。
【０１６９】
図１４Ａ及び図１４Ｂを参照すると、第１アクセス基地局６００は、ステップ１４０１にて、第２アクセス基地局を介して端末６２０に伝送されるトラフィックを感知する。本開示の実施形態によれば、第１アクセス基地局６００は、上位ネットワークノードから第２アクセス基地局を介して端末６２０に伝送されるトラフィックを感知できる。他の実施形態によれば、第１アクセス基地局６００は、第２アクセス基地局６１０からダウンリンクトラフィック発生報告信号を受信し、第２アクセス基地局を介して端末６２０に伝送されるトラフィックが存在することを感知できる。他の実施形態によれば、第１アクセス基地局６００は、第１アクセスリンクに対する負荷の分散のために、端末６２０に伝送するダウンリンクデータを第２アクセス基地局６１０を介して伝送することを決定し、第２アクセス基地局を介して端末６２０に伝送されるトラフィックが発生されたことを感知できる。
【０１７０】
第１アクセス基地局６００は、ステップ１４０３にて、端末６２０の第２アクセスモジュールの状態情報を確認する。もし、第１アクセス基地局６００に保存された端末６２０の第２アクセスモジュールの状態情報が活性状態である場合、第１アクセス基地局６００は下記ステップ１４１１に直行する。
【０１７１】
一方、第１アクセス基地局６００に保存された端末６２０の第２アクセスモジュールの状態情報が非活性状態である場合、第１アクセス基地局６００は、ステップ１４０５にて、第２アクセスモジュールの活性化を指示する信号を第１アクセスリンクを介して端末に伝送する。第２アクセスモジュールの活性化を指示する信号は、端末６２０の第２アクセスモジュールがどれだけ短い時間で活性化されるべきであるかに基づいて、ＲＲＣ再設定メッセージ、ＭＡＣ  ＣＥ、ＰＤＣＣＨのうちいずれか１つを用いて伝送されることができる。また、第２アクセスモジュールの活性化を指示する信号は、第２アクセス基地局６１０がショートビーコンを伝送したか否かを示す情報を含むことができる。
【０１７２】
第１アクセス基地局６００は、ステップ１４０７にて、端末６２０の第２アクセスモジュール状態情報を非活性状態から活性状態に変更して保存する。
【０１７３】
以降、第１アクセス基地局６００は、ステップ１４０９にて、第２アクセス基地局６１０にショートビーコン伝送を指示する。本開示の実施形態によれば、ステップ１４０９は省略してもよい。
【０１７４】
第１アクセス基地局６００は、ステップ１４１０にて、第２アクセス基地局変更信号が受信されたか否かを検査する。例えば、第１アクセス基地局６００は、端末６２０から、第２アクセス基地局の変更が必要か否かを示す情報を含む信号を受信することができる。もし、第２アクセス基地局変更信号が受信されない場合、第１アクセス基地局６００は、第１アクセス基地局６００は下記ステップ１４１１に進む。例えば、第１アクセス基地局６００は、第２アクセス基地局の変更が必要でないことを示す情報を含む信号が受信された場合、下記ステップ１４１１に進むことができる。
【０１７５】
一方、第２アクセス基地局変更信号が受信された場合、第１アクセス基地局６００は、ステップ１４２３にて、周辺の第２アクセス基地局にショートビーコン信号の伝送を指示する。ここで、ショートビーコン信号の伝送を指示する信号は、端末６２０が接続した第２アクセス基地局及び／又は該当第２アクセス基地局に隣接した少なくとも１つの他の第２アクセス基地局に伝送されることができる。第１アクセス基地局６００は、予め登録された第２アクセス基地局リストに基づいて、少なくとも１つの第２アクセス基地局を選択し、選択された少なくとも１つの第２アクセス基地局にショートビーコン信号の伝送を指示する信号を伝送できる。第２アクセス基地局リストは、第２アクセス基地局の各々の位置情報及び／又は第２アクセス基地局の各々の隣接した第２アクセス基地局情報を含むことができる。また、第１アクセス基地局６００は、端末６２０の位置に基づいて、少なくとも１つの第２アクセス基地局を選択することもできる。
【０１７６】
以降、第１アクセス基地局６００は、ステップ１４２５にて、端末６２０がハンドオーバする第２アクセス基地局に関する情報を受信し、ステップ１４２７にて、端末６２０の第２アクセス基地局６１０に対するハンドオーバ手順を行う。以降、第１アクセス基地局６００は、下記ステップ１４１１に進むことができる。本開示の実施形態によれば、ステップ１４１０、ステップ１４２６、ステップ１４２５、及びステップ１４２７は省略してもよい。また、ステップ１４１０、ステップ１４２６、ステップ１４２５、及びステップ１４２７は、必ずステップ１４０９の後に行われるものではなく、端末６２０が第２アクセス基地局６１０からダウンリンクデータを受信する間に行われてもよい。
【０１７７】
第１アクセス基地局６００は、ステップ１４１１にて、第２アクセス基地局６１０にダウンリンクトラフィックを伝送し、ステップ１４１３にて、第１タイマーの動作を開始させる。もし、第１タイマーの動作中に第２アクセス基地局６１０を介した端末６２０のダウンリンクデータが追加的に感知された場合、第１アクセス基地局６００は、追加的に感知されたダウンリンクトラフィックを第２アクセス基地局６１０に伝送して、第１タイマーをリセットさせることができる。
【０１７８】
以降、第１アクセス基地局６００は、ステップ１４１５に進み、タイマーが満了したか否かを検査する。例えば、１タイマーの動作中に第２アクセス基地局６１０を介した端末６２０のダウンリンクデータが追加的に感知されず、第１タイマーが予め設定された時間を測定して満了するか否かを検査する。
【０１７９】
もし、第１タイマーが満了しない場合、ステップ１４１７にて、第１アクセス基地局６００は、第２アクセス基地局６１０から端末６２０の第２アクセスモジュール状態制御要求信号が受信されたか否かを検査する。もし、端末６２０の第２アクセスモジュール状態制御要求信号が受信されない場合、第１アクセス基地局６００は、ステップ１４２１にて、第２アクセス基地局６１０を介して端末６２０に伝送するダウンリンクトラフィックが追加的に感知されたか否かを検査する。もし、第１アクセス基地局６００は、第２アクセス基地局６１０を介して端末６２０に伝送するダウンリンクトラフィックが追加的に感知された場合、ステップ１４１１に戻って追加的に感知されたダウンリンクデータを第２アクセス基地局６１０に伝送し、ステップ１４１３にて、第１タイマーの動作を開始させる。例えば、第１アクセス基地局６００は、第１タイマーをリセットさせる。一方、第１アクセス基地局６００は、第２アクセス基地局６１０を介して端末６２０に伝送するダウンリンクトラフィックが追加的に感知されない場合、ステップ１４１３に戻って第１タイマーが満了したか否かを再検査する。
【０１８０】
一方、ステップ１４１７の検査の結果、端末６２０の第２アクセスモジュール状態制御要求信号が受信された場合、第１アクセス基地局６００は、ステップ１４１９にて、端末６２０の第２アクセスモジュールの活性化を指示する信号を第１アクセスリンクを介して端末６２０に伝送する。例えば、第１アクセス基地局６００に保存された端末６２０の第２アクセスモジュールに関する状態情報と実際の端末６２０の第２アクセスモジュールの状態とが一致しない場合、第１アクセス基地局６００は、第２アクセス基地局６１０から第２アクセスモジュール状態制御要求信号を受信することができる。本開示の実施形態によれば、第２アクセスモジュールの活性化を指示する信号は、第２アクセス基地局６１０のショートビーコンが伝送されたか否かを示す情報を含むことができる。
【０１８１】
第１アクセス基地局６００は、第１タイマーが満了した場合、ステップ１４２３にて、第２アクセスモジュールの非活性化を指示する信号を第１アクセスリンクを介して端末６２０に伝送できる。第２アクセスモジュールの非活性化を指示する信号は、プローブ要求信号であってもよい。第２アクセスモジュールの非活性化を指示する信号は、第１アクセス基地局６００が第２アクセス基地局６１０に伝送した最終ダウンリンクパケットのシーケンス番号を含むことができる。本開示の多様な実施形態によれば、第１アクセス基地局６００が端末６２０との初期設定過程の間に端末６２０に非活性化のためのタイマー情報を伝送した場合、又は端末６２０が非活性化のためのタイマー情報を予め保存している場合、第１アクセス基地局６００は、ステップ１４２３及び／又はステップ１４２５を行わず、下記ステップ１４２７に直行できる。
【０１８２】
ステップ１４２５にて、第１アクセス基地局６００は、端末６２０から第２アクセスモジュールの非活性化を示す信号を第１アクセスリンクを介して受信することができる。第２アクセスモジュールの非活性化を示す信号は、プローブ応答信号であってもよい。本開示の実施形態によれば、第１アクセス基地局６００が第２アクセスモジュールの非活性化を示す信号を第１アクセスリンクを介して受信する過程は省略してもよい。この時、第１アクセス基地局６００は、端末６２０から受信されるＡＲＱ応答信号に基づいて端末６２０が最終パケットを受信したか否かを判断できる。
【０１８３】
第１アクセス基地局６００は、ステップ１４２７にて、端末６２０の第２アクセスモジュール状態情報を非活性状態に変更して保存し、本開示の実施形態に係る手順を終了する。
【０１８４】
図１５は、本開示の実施形態に係る第２アクセス基地局の動作手順を示す。
【０１８５】
図１５を参照すると、第２アクセス基地局６１０は、ステップ１５０１にて、ショートビーコン伝達命令が受信されたか否かを検査する。もし、ショートビーコン伝達命令が受信されない場合、第２アクセス基地局６１０は、下記ステップ１５０５に直行する。
【０１８６】
第２アクセス基地局６１０は、ステップ１５０３にて、端末６２０へショートビーコンを伝送する。ショートビーコンは、公知のビーコン信号に含まれる情報らのうち一部情報のみを含んで構成されてもよい。また、図８Ｂに示すように、ショートビーコン８５２は、周期的に反復されるビーコン８５０伝送時点に伝送されるものではなく、ビーコン伝送周期の間の時点に伝送される。これは、端末６２０が第２アクセスモジュールを活性化させた後、次のビーコン受信区間まで待機せず、ショートビーコン８５２を用いて直ちにダウンリンクデータを受信できるようにするためである。実施形態によっては、第２アクセス基地局６１０は、ステップ１５０１及びステップ１５０３を省略してもよい。
【０１８７】
第２アクセス基地局６１０は、ステップ１５０５にて、第１アクセス基地局から受信されるダウンリンクデータを第２アクセスリンクを介して端末６２０に伝送する。以降、第２アクセス基地局６１０は、ステップ１５０７にて、第１タイマー及び第２タイマーに基づいて第２アクセスモジュールの状態ミスマッチが感知されたか否かを決定する。ここで、第１タイマーは、第２アクセス基地局６１０が第１アクセス基地局６００からダウンリンクデータが受信された時点に基づいて動作を開始する。また、第２タイマーは、第２アクセス基地局６１０が端末６２０にダウンリンクデータを伝送した時点に基づいて動作を開始する。例えば、第１タイマー及び第２タイマーの各々は、上記図１２のネットワークタイマー及び端末タイマーであってもよい。第２アクセス基地局６１０は、第１タイマーが継続的に動作している状態（例：ＯＮ状態）で、第２タイマーが満了した状態（例：ＯＦＦ状態）の場合、第２アクセスモジュールの状態ミスマッチが感知されたことを決定できる。この時、第２アクセス基地局６１０は、端末６２０の第２アクセスモジュールの状態が非活性状態で、第１アクセス基地局６００で管理する第２アクセスモジュールの状態情報が活性状態であると認知できる。
【０１８８】
もし、第１タイマー及び第２タイマーに基づいて第２アクセスモジュールの状態ミスマッチが感知された場合、第２アクセス基地局６１０は、ステップ１５０９にて、第１アクセス基地局６００に端末６２０の第２アクセスモジュールの状態制御要求信号を伝送する。例えば、端末６２０の第２アクセスモジュールの状態が非活性状態で、第１アクセス基地局６００で管理する第２アクセスモジュールの状態情報が活性状態である場合、第２アクセス基地局６１０は、第１アクセス基地局６００に端末６２０の第２アクセスモジュール状態を非活性状態から活性状態に変更することを要求する信号を伝送できる。以降、第２アクセス基地局６１０は、ステップ１５０５に戻って、下記のステップを再度行う。第２アクセス基地局６１０は、端末６２０の第２アクセスモジュールの状態が非活性状態で、第１アクセス基地局６００で管理する第２アクセスモジュールの状態情報が活性状態である場合、第２アクセスモジュールの状態が活性状態に変更されるまで、端末６２０にダウンリンクデータを伝送せず、ダウンリンクデータをバッファリングできる。
【０１８９】
一方、第１タイマー及び第２タイマーに基づいて第２アクセスモジュールの状態ミスマッチが感知されない場合、第２アクセス基地局６１０は、ステップ１５１１にて、最終ダウンリンクパケットが伝送されたか否かを決定する。例えば、第１タイマーが満了するまで追加的なダウンリンクデータが感知されない場合、第２アクセス基地局６１０は、最終ダウンリンクデータが受信されたと決定し、該当ダウンリンクデータが端末６２０に伝送されたか否かを検査する。他の例として、第１タイマーが満了する前に追加的なダウンリンクデータが感知された場合、第２アクセス基地局６１０は最終ダウンリンクトラフィックが伝送されなかったと決定できる。
【０１９０】
第２アクセス基地局６１０は、最終ダウンリンクトラフィックが伝送されなかったと決定された場合、ステップ１５１３にて、端末６２０に対する第２アクセスモジュールが非活性化される時点を判断するための第２タイマーが満了時間に近いか否かを決定する。例えば、第２アクセス基地局６１０は、第２タイマーがしきい時間以内に満了するか否かを決定できる。第２アクセス基地局６１０は、第２タイマーがしきい時間以内に満了すると決定された時、端末６２０の第２アクセスモジュールがしきい時間以内に非活性化されると判断して、ステップ１５１５に進み、第２アクセスモジュールの非活性化禁止信号を端末６２０に伝送する。例えば、第２アクセス基地局６１０は、端末６２０の第２アクセスモジュールが活性化状態を維持するようにするために、端末６２０に第２アクセスモジュールの非活性化を禁止させる信号を伝送できる。この時、第２アクセスモジュールの非活性化禁止信号は、非活性化が禁止される時間に関する情報を含むことができる。本開示の実施形態によれば、第２アクセス基地局６１０は、ステップ１５１５にて、第２アクセスモジュールの非活性化禁止信号を端末６２０に伝送せず、端末６２０のダウンリンクデータ伝送に対する優先順位を上げてもよい。例えば、第２アクセス基地局６１０は、多数の端末に対するダウンリンクデータが存在する時、特定時間内に非活性化されると予想される端末６２０に対するダウンリンクデータを優先的にスケジューリングして伝送できる。
【０１９１】
第２アクセス基地局６１０は、第２タイマーがしきい時間以内に満了されないと決定された時、ステップ１５０５に戻って、下記のステップを再度行う一方で、最終ダウンリンクトラフィックが伝送されたと決定された場合、本開示の実施形態に係る手順を終了する。
【０１９２】
図１６Ａ及び図１６Ｂは、本開示の実施形態に係る端末の動作手順を示す。
【０１９３】
図１６Ａ及び図１６Ｂを参照すると、端末６２０は、ステップ１６０１にて、第２アクセスモジュールの活性化を指示する信号を第１アクセスモジュールを介して受信する。例えば、端末６２０は、第１アクセス基地局６００から第１アクセスリンクを介して伝送される第２アクセスモジュール活性化指示信号を第１アクセスモジュールを用いて受信することができる。この時、端末６２０の第２アクセスモジュールは非活性状態であってもよい。
【０１９４】
端末６２０は、ステップ１６０３にて、第２アクセスモジュールを活性化させることができる。例えば、端末６２０は、非活性状態で動作中の第２アクセスモジュールを活性状態で動作するように制御できる。
【０１９５】
端末６２０は、ステップ１６０５にて、第２アクセス基地局６１０からショートビーコン信号が受信されたか否かを検査する。もし、ショートビーコン信号が受信された場合、ステップ１６０７にて、端末６２０は、ショートビーコン信号からダウンリンクデータを受信するために必要な情報を獲得して、下記のステップ１６１３に進むことができる。本開示の多様な実施形態によれば、ステップ１６０５及びステップ１６０７は省略してもよい。
【０１９６】
一方、端末６２０は、ショートビーコン信号が受信されない場合、端末６２０は、ステップ１６２１にて、第２アクセス基地局変更信号を第１アクセス基地局に伝送できる。例えば、端末６２０は、第２アクセスモジュールを活性化させた時点に基づいてショートビーコン受信時間以内にショートビーコン信号が受信されない場合、第２アクセス基地局の信号受信が難しいと判断し、第２アクセス基地局の変更が必要であることを示す信号を第１アクセス基地局に伝送できる。
【０１９７】
以降、端末６２０は、ステップ１６２３にて、少なくとも１つの第２アクセス基地局からショートビーコン信号が受信されたか否かを検査する。もし、少なくとも１つの第２アクセス基地局からショートビーコン信号が受信されない場合、端末６２０は、下記ステップ１６０９に進む。
【０１９８】
一方、少なくとも１つの第２アクセス基地局からショートビーコン信号が受信された場合、端末６２０は、ステップ１６２５に進み、受信されたショートビーコン信号に基づいてハンドオーバする第２アクセス基地局を決定して、ステップ１６２７にて、ハンドオーバする第２アクセス基地局に関する情報を第１アクセス基地局６００に伝送する。以降、端末６２０は、ステップ１６２９にて、第２アクセス基地局へのハンドオーバ手順を行い、下記のステップ１６１３に進む。
【０１９９】
一方、端末６２０は、ステップ１６０９にて、第２アクセス基地局から周期的に伝送されるビーコンが受信されたか否かを感知する。もし、第２アクセス基地局６１０からビーコンが受信されない場合、端末６２０は、ステップ１６０５に戻る。
【０２００】
一方、第２アクセス基地局６１０からビーコンが受信された場合、端末６２０は、ステップ１６１１にて、受信されたビーコンに含まれたダウンリンクデータを受信するために必要な情報を獲得する。
【０２０１】
端末６２０は、ステップ１６１３にて、第２アクセス基地局６１０から第２アクセスモジュールを介してダウンリンクデータを受信する。
【０２０２】
端末６２０は、ステップ１６１５にて、第１アクセスリンクを介して受信される第２アクセスモジュール非活性化指示信号又は第２タイマーを用いて第２アクセスモジュールを非活性状態に切り替えるべきであることを感知する。例えば、端末６２０は、第１アクセス基地局６００から第１アクセスリンクを介して第２アクセスモジュールの非活性化を指示する信号を受信することができる。第２アクセスモジュールの非活性化を指示する信号は、プローブ要求信号であってもよい。また、第２アクセスモジュールの非活性化を指示する信号は、最終ダウンリンクパケットのシーケンス番号を含むことができる。例えば、端末６２０は、第２アクセスモジュール非活性化指示信号が受信されると、直ちに第２アクセスモジュールを非活性化させることができる。他の例として、端末６２０は、第２アクセスモジュール非活性化指示信号から最終ダウンリンクパケットのシーケンス番号を獲得し、獲得した最終パケットに対するシーケンス番号に基づいて最終パケットまで受信されたことを感知した後、第２アクセスモジュールを非活性化させることができる。他の実施形態として、端末６２０は、第２アクセス基地局６１０から第２アクセスリンクを介してダウンリンクデータが受信された時点に基づいて予め設定された時間を測定する第２タイマーに基づいて第２アクセスモジュールを非活性状態に切り替えるべきであることを感知できる。例えば、端末６２０は、第２タイマーが予め設定された時間を測定して満了するまでダウンリンクデータが追加的に受信されない場合、第２アクセスモジュールを非活性状態に切り替えるべきであることを決定できる。ここで、第２タイマーは、図１０の第２タイマーと同じ方式で設定されてもよい。
【０２０３】
第２アクセスモジュールが非活性状態に切り替えるべきであることを感知した端末６２０は、ステップ１６１７にて、第２アクセスモジュールを非活性化させることができる。例えば、端末６２０は、上述の動作１乃至動作３のうち少なくとも１つを行うことができる。本開示の実施形態によれば、端末６２０は、第２アクセスモジュールを非活性状態に切り替える前に図１３に示す、ＷＬＡＮ  ８０２．１１  ＭＡＣヘッダのフレーム制御フィールド内のＰｏｗｅｒ  Ｍｇｍｔ１３００及びＭｏｒｅ  Ｄａｔａ１３０１の値を各々１、１に設定して第２アクセス基地局６１０に伝送できる。
【０２０４】
端末６２０は、ステップ１６１９にて、第２アクセスモジュールの非活性化を示す信号を第１アクセスリンクを介して第１アクセス基地局６００に伝送できる。本開示の実施形態によれば、端末６２０は、プローブ応答信号を用いて第１アクセス基地局６００に第２アクセスモジュールの非活性化を示すことができる。他の実施形態によれば、端末６２０は、受信された最終パケットのシーケンス番号を示すＰＤＣＰフィードバック信号を用いて第２アクセスモジュールの非活性化を示すことができる。さらに他の実施形態によれば、端末６２０は、第２アクセスモジュールの非活性化を示す信号を伝送しない場合もある。
【０２０５】
以降、端末６２０は、本開示の実施形態に係る手順を終了する。
【０２０６】
図１７は、本開示の実施形態に係る第１アクセス基地局のブロック構成を示す。
【０２０７】
図１７を参照すると、第１アクセス基地局６００は、制御部１７００、通信モジュール１７１０及び保存部１７２０を含んで構成されることができる。
【０２０８】
制御部１７００は、第１アクセス基地局６００の全般的な動作を制御及び処理できる。例えば、制御部１７００は、端末６２０に第１アクセスシステムに対する通信サービスを提供するための機能を制御及び処理し、端末６２０の第２アクセスシステムに対する通信を效率的に運営するための機能を制御及び処理する。例えば、制御部１７００は、端末６２０の第２アクセスモジュールの状態を制御する端末状態制御部１７３０を含むことができる。
【０２０９】
制御部１７００は、第２アクセス基地局を介して端末６２０に伝送されるトラフィックを感知する。本開示の実施形態によれば、制御部１７００は、上位ネットワークノードから第２アクセス基地局を介して端末６２０に伝送されるトラフィックを感知できる。他の実施形態によれば、制御部１７００は、第２アクセス基地局６１０からダウンリンクトラフィック発生報告信号を受信して、第２アクセス基地局６１０を介して端末６２０に伝送されるトラフィックが存在することを感知できる。さらに他の実施形態によれば、制御部１７００は、第１アクセスリンクに対する負荷の分散のために、端末６２０に伝送するダウンリンクデータを第２アクセス基地局６１０を介して伝送することを決定し、第２アクセス基地局を介して端末６２０に伝送されるトラフィックが発生されたことを感知できる。
【０２１０】
また、制御部１７００は、端末６２０の第２アクセスモジュールの状態情報を保存及び管理する。制御部１７００は、保存部１７２０に保存された端末６２０の第２アクセスモジュールの状態情報が活性状態である場合、端末６２０が第２アクセスリンクを介してダウンリンクデータを受信できる状態であることを確認し、ダウンリンクデータを第２アクセス基地局６１０に伝送するための機能を行うことができる。
【０２１１】
制御部１７００は、保存部１７２０に保存された端末６２０の第２アクセスモジュールの状態情報が非活性状態である場合、第２アクセスモジュールの活性化を指示する信号を第１アクセスリンクを介して端末６２０に伝送するための機能を行うことができる。第２アクセスモジュールの活性化を指示する信号は、端末６２０の第２アクセスモジュールがどれだけ短い時間で活性化されるべきであるかに基づいて、ＲＲＣ再設定メッセージ、ＭＡＣ  ＣＥ、ＰＤＣＣＨのうちいずれか１つを用いて伝送されることができる。第２アクセスモジュールの活性化を指示する信号は、第２アクセス基地局６１０がショートビーコンを伝送するか否かを示す情報を含むことができる。
【０２１２】
制御部１７００は、第２アクセスモジュールの活性化を指示する信号を第１アクセスリンクを介して端末６２０に伝送した後、端末６２０の第２アクセスモジュール状態情報を非活性状態から活性状態に変更して保存することができる。
【０２１３】
本開示の実施形態によれば、制御部１７００は、第２アクセス基地局６１０にショートビーコン伝送を指示できる。ショートビーコンは、公知のビーコン信号に含まれる情報らのうち一部の情報のみを含んで構成されることができる。
【０２１４】
また、本開示の実施形態によれば、制御部１７００は、端末６２０から第２アクセス基地局の変更が必要であることを示す信号を受信することができる。この時、制御部１７００は、少なくとも１つの第２アクセス基地局を選択し、選択された第２アクセス基地局にショートビーコン伝送を指示できる。選択された第２アクセス基地局は、端末６２０が以前に接続した第２アクセス基地局を含むことができ、端末６２０が以前に接続した第２アクセス基地局に隣接した第２アクセス基地局を含むことができる。制御部１７００は、予め保存された第２アクセス基地局リストに基づいて、少なくとも１つの第２アクセス基地局を選択してショートビーコン伝送を指示できる。また、制御部１７００は、端末６２０からハンドオーバするターゲットである第２アクセス基地局に関する情報を受信し、受信された情報に基づいて端末６２０の第２アクセス基地局に対するハンドオーバ手順を行うことができる。例えば、制御部１７００は、端末６２０の情報を含む追加要求信号をターゲット第２アクセス基地局に伝送し、ターゲット第２アクセス基地局から追加要求応答信号を受信して、ターゲット第２アクセス基地局と端末６２０に対するデータ経路を設定できる。また、制御部１７００は、端末６２０に無線リソース制御接続再設定信号を伝送し、端末６２０から無線リソース制御接続再設定完了信号を受信するための機能を制御及び処理できる。ここで、無線リソース制御接続再設定完了信号は、端末が以前に接続した第２アクセス基地局から受信された最終ダウンリンクデータに関する情報（例：ＰＤＣＰ  ＳＮ）を含むことができる。制御部１７００は、無線リソース制御接続再設定完了信号が受信されると、端末６２０に対するダウンリンクデータを端末６２０がハンドオーバした第２アクセス基地局に伝送する。この時、制御部１７００は、端末６２０から最終ダウンリンクデータに対するＰＤＣＰ  ＳＮが受信された場合、該当ＰＤＣＰ  ＳＮ以後のダウンリンクデータを端末６２０がハンドオーバした第２アクセス基地局に伝達できる。
【０２１５】
制御部１７００は、第２アクセス基地局６１０にダウンリンクデータを伝送し、ダウンリンクデータ伝送時点に基づいて第１タイマーの動作を開始させる。もし、第１タイマーの動作中に第２アクセス基地局６１０を介した端末６２０のダウンリンクデータが追加的に感知された場合、制御部１７００は、追加的に感知されたダウンリンクデータを第２アクセス基地局６１０に伝送し、第１タイマーをリセットさせることができる。制御部１７００は、第１タイマーが満了したか否かを検査する。例えば、１タイマーの動作中に第２アクセス基地局６１０を介した端末６２０のダウンリンクデータが追加的に感知されず、第１タイマーが予め設定された時間を測定して満了するか否かを検査する。もし、第１タイマーが満了しない場合、制御部１７００は、第２アクセス基地局６１０から端末６２０の第２アクセスモジュール状態制御要求信号が受信されたか否かを検査する。
【０２１６】
端末６２０の第２アクセスモジュール状態制御要求信号が受信されない場合、制御部１７００は、第２アクセス基地局６１０を介して端末６２０に伝送するダウンリンクトラフィックが追加的に感知されたか否かを検査する。もし、制御部１７００は、第２アクセス基地局６１０を介して端末６２０に伝送するダウンリンクトラフィックが追加的に感知された場合、追加的に感知されたダウンリンクデータを第２アクセス基地局６１０に伝送し、第１タイマーをリセットさせる。一方、制御部１７００は、第２アクセス基地局６１０を介して端末６２０に伝送するダウンリンクトラフィックが追加的に感知されない場合、第１タイマーが満了したか否かを再検査する。
【０２１７】
制御部１７００は、第２アクセス基地局６１０から端末６２０の第２アクセスモジュール状態制御要求信号が受信された場合、端末６２０の第２アクセスモジュールの活性化を指示する信号を第１アクセスリンクを介して端末６２０に伝送する。例えば、保存部１７２０に保存された端末６２０の第２アクセスモジュールに関する状態情報と実際の端末６２０の第２アクセスモジュールの状態とが一致しない場合、制御部１７００は、第２アクセス基地局６１０から第２アクセスモジュール状態制御要求信号を受信することができる。
【０２１８】
制御部１７００は、第１タイマーが満了する場合、第２アクセスモジュールの非活性化を指示する信号を第１アクセスリンクを介して端末６２０に伝送できる。第２アクセスモジュールの非活性化を指示する信号は、プローブ要求信号であってもよい。第２アクセスモジュールの非活性化を指示する信号は、第１アクセス基地局６００が第２アクセス基地局６１０に伝送した最終ダウンリンクパケットのシーケンス番号を含むことができる。
【０２１９】
本開示の多様な実施形態によれば、第１アクセス基地局６００が端末６２０との初期設定過程間に端末６２０に非活性化のためのタイマー情報を伝送した場合、又は端末６２０が非活性化のためのタイマー情報を予め保存している場合、制御部１７００は、第２アクセスモジュールの非活性化を指示する信号の伝送動作を省略してもよい。
【０２２０】
制御部１７００は、端末６２０から第２アクセスモジュールの非活性化を示す信号を第１アクセスリンクを介して受信することができる。第２アクセスモジュールの非活性化を示す信号は、プローブ応答信号であってもよい。本開示の実施形態によれば、端末状態制御部１７３０が第２アクセスモジュールの非活性化を示す信号を第１アクセスリンクを介して受信する動作は省略してもよい。この時、制御部１７００は、端末６２０から受信されるＡＲＱ応答信号に基づいて端末６２０が最終パケットを受信したか否かを判断できる。
【０２２１】
制御部１７００は、端末６２０の第２アクセスモジュール状態情報を非活性状態に変更して保存することができる。例えば、非活性化を示す信号を伝送した後、又は第１タイマーが満了した後、又は端末６２０から第２アクセスモジュールの非活性化を示す信号を受信した後、制御部１７００は、第２アクセスモジュール状態情報を非活性状態に変更して保存することができる。
【０２２２】
通信モジュール１７１０は、制御部１７００の制御に応じて端末６２０と第１アクセスシステムのリンクを介して信号を送受信できる。また、通信モジュール１７１０は、制御部１７００の制御に応じて第２アクセス基地局６１０とバックホール（ｂａｃｋｈａｕｌ）を介して信号を送受信できる。
【０２２３】
保存部１７２０は、制御部１７００の制御に応じて第１アクセス基地局６００の動作に必要な各種データ及びプログラムを保存する。保存部１７２０は、制御部１７００の制御に応じて第１アクセス基地局６００に接続中の端末の第２アクセスモジュールの状態情報を保存する。保存部１７２０は、制御部１７００の制御に応じて端末６２０の第２アクセスモジュールを非活性化させるための規則（例：非活性化タイマー情報、第２タイマー情報）を保存することができる。
【０２２４】
図１８は、本開示の実施形態に係る第２アクセス基地局のブロック構成を示す。
【０２２５】
図１８を参照すると、第２アクセス基地局６１０は、制御部１８００、通信モジュール１８１０、及び保存部１８２０を含むことができる。
【０２２６】
制御部１８００は、第２アクセス基地局６１０の全般的な動作を制御及び処理できる。例えば、制御部１８００は、端末６２０に第２アクセスシステムに対する通信サービスを提供するための機能を制御及び処理し、端末６２０の第２アクセスシステムに対する通信を效率的に運営するための機能を制御及び処理する。例えば、制御部１８００は、端末６２０の第２アクセスモジュールの状態と第１アクセス基地局６００で管理する端末６２０の第２アクセスモジュールの状態情報とが一致するように制御する状態ミスマッチ感知部１８０２を含むことができる。
【０２２７】
制御部１８００は、第１アクセス基地局６００からショートビーコン伝達命令が受信された場合、端末６２０にショートビーコンを伝送できる。ショートビーコンは、公知のビーコン信号に含まれる情報らのうち一部の情報のみを含んで構成されることができる。また、図８Ｂに示すように、ショートビーコン８５２は、周期的に反復されるビーコン８５０伝送時点に伝送されるものではなく、ビーコン伝送周期の間の時点に伝送される。これは、端末６２０が第２アクセスモジュールを活性化させた後、次のビーコン受信区間まで待機せず、ショートビーコン８５２を用いて直ちにダウンリンクデータを受信できるようにするためである。実施形態によっては、制御部１８００はショートビーコンを伝送しない場合もある。
【０２２８】
制御部１８００は、第１アクセス基地局から受信されるダウンリンクデータを第２アクセスリンクを介して端末６２０に伝送し、第１タイマー及び第２タイマーに基づいて第２アクセスモジュールの状態ミスマッチが感知されたか否かを決定する。ここで、第１タイマーは、第２アクセス基地局６１０が第１アクセス基地局６００からダウンリンクデータが受信された時点に基づいて動作を開始する。また、第２タイマーは、第２アクセス基地局６１０が端末６２０にダウンリンクデータを伝送した時点に基づいて動作を開始する。例えば、第１タイマー及び第２タイマーの各々は、上記図１２のネットワークタイマー及び端末タイマーであってもよい。制御部１８００は、第１タイマーが継続的に動作している状態（例：ＯＮ状態）で、第２タイマーが満了した状態（例：ＯＦＦ状態）である場合、第２アクセスモジュールの状態ミスマッチが感知されたことを決定できる。この時、制御部１８００は、端末６２０の第２アクセスモジュールの状態が非活性状態で、第１アクセス基地局６００で管理する第２アクセスモジュールの状態情報が活性状態であると認知できる。
【０２２９】
制御部１８００は、第１タイマー及び第２タイマーに基づいて第２アクセスモジュールの状態ミスマッチが感知された場合、第１アクセス基地局６００に第２アクセスモジュールの状態制御要求信号を伝送する。例えば、端末６２０の第２アクセスモジュールの状態が非活性状態で、第１アクセス基地局６００で管理する第２アクセスモジュールの状態情報が活性状態である場合、制御部１８００は、第１アクセス基地局６００に端末６２０の第２アクセスモジュール状態を非活性状態から活性状態に変更することを要求する信号を伝送できる。制御部１８００は、端末６２０の第２アクセスモジュールの状態が非活性状態で、第１アクセス基地局６００で管理する第２アクセスモジュールの状態情報が活性状態である場合、第２アクセスモジュールの状態が活性状態に変更されるまで、端末６２０にダウンリンクデータを伝送せず、ダウンリンクデータをバッファリングできる。
【０２３０】
制御部１８００は、第１タイマー及び第２タイマーに基づいて第２アクセスモジュールの状態ミスマッチが感知されない状態で最終ダウンリンクパケットが伝送されたか否かを決定できる。例えば、第１タイマーが満了するまで追加的なダウンリンクデータが感知されない場合、制御部１８００は、最終ダウンリンクデータが受信されたと決定し、該当ダウンリンクデータが端末６２０に伝送されたか否かを検査する。他の例として、第１タイマーが満了する前に追加的なダウンリンクデータが感知された場合、制御部１８００は、最終ダウンリンクデータが伝送されなかったと決定できる。
【０２３１】
実施形態によっては、制御部１８００は、最終ダウンリンクデータが伝送されなかったと決定された場合、端末６２０に対する第２アクセスモジュールが非活性化される時点を判断するための第２タイマーが満了時間に近いか否かを決定する。例えば、制御部１８００は、第２タイマー（又は端末タイマー）がしきい時間以内に満了するか否かを決定できる。制御部１８００は、第２タイマーがしきい時間以内に満了されると決定された時、端末６２０の第２アクセスモジュールがしきい時間以内に非活性化されると判断して、第２アクセスモジュールの非活性化禁止信号を端末６２０に伝送できる。例えば、制御部１８００は、端末６２０の第２アクセスモジュールが活性化状態を維持するようにするために、端末６２０に第２アクセスモジュールの非活性化を禁止させる信号を伝送できる。この時、第２アクセスモジュールの非活性化禁止信号は、非活性化が禁止される時間に関する情報を含むことができる。本開示の実施形態によれば、制御部１８００は、第２アクセスモジュールの非活性化禁止信号を端末６２０に伝送せず、端末６２０のダウンリンクデータ伝送に対する優先順位を上げてもよい。例えば、制御部１８００は、多数の端末に対するダウンリンクデータが存在する時、特定時間内に非活性化されると予想される端末６２０に対するダウンリンクデータを優先的にスケジューリングして伝送できる。
【０２３２】
制御部１８００は、最終ダウンリンクデータが伝送されなかったと決定された場合、最終ダウンリンクデータの伝送が感知されるまでダウンリンクデータを端末６２０に伝送しながら、第２アクセスモジュールの状態ミスマッチ有無を継続的に判断できる。
【０２３３】
さらに、制御部１８００は、第２アクセス基地局６１０に接続中の端末らから受信されるＷＬＡＮ  ８０２．１１  ＭＡＣヘッダ内のＰｏｗｅｒ  Ｍｇｍｔ１３００及びＭｏｒｅ  Ｄａｔａ１３０１を分析して、接続中の全ての端末が第２アクセスモジュールの非活性状態転換を示すか否かを決定できる。接続中の全ての端末が第２アクセスモジュールの非活性状態への切り替えを示す場合、制御部１８００は、周期的にビーコン信号を伝送する動作を行わなくてもよい。この時、制御部１８００は、第１アクセス基地局６００の制御によってビーコン信号を伝送する動作を行うことができる。例えば、制御部１８００は、第１アクセス基地局６００から端末６２０に伝送するダウンリンクデータが受信された場合、周期的なビーコン信号の伝送動作を再開すべきであることを感知し、周期的にビーコン信号を伝送できる。
【０２３４】
通信モジュール１８１０は、制御部１８００の制御に応じて端末６２０と第２アクセスシステムのリンクを介して信号を送受信できる。また、通信モジュール１８１０は、制御部１８００の制御に応じて第１アクセス基地局６００とバックホールを介して信号を送受信できる。
【０２３５】
保存部１８２０は、制御部１８００の制御に応じて第２アクセス基地局６１０の動作に必要な各種データ及びプログラムを保存する。保存部１８２０は、第１アクセス基地局から受信される端末６２０の第２アクセスモジュールの状態情報を保存することができる。保存部１８２０は、端末６２０から受信された端末６２０の第２アクセスモジュールの状態情報を保存することができる。また、保存部１８２０は、制御部１８００の制御に応じて端末６２０の第２アクセスモジュールを非活性化させるための規則（例：非活性化タイマー情報、第２タイマー情報）を保存することができる。
【０２３６】
図１９は、本開示の実施形態に係る端末のブロック構成を示す。
【０２３７】
図１９を参照すると、端末６２０は、制御部１９００、第１アクセスモジュール１９１０、第２アクセスモジュール１９２０、及び保存部１９３０を含むことができる。
【０２３８】
制御部１９００は、端末６２０の全般的な動作を制御及び処理する。本開示の実施形態によれば、制御部１９００は、第１アクセスモジュール１９１０の活性化を維持した状態で、第２アクセスモジュール１９２０の活性状態を制御及び変更するための機能を制御及び処理する。
【０２３９】
制御部１９００は、第２アクセスモジュールの活性化を指示する信号を第１アクセスモジュール１９１０を介して受信する。例えば、制御部１９００は、第１アクセス基地局６００から第１アクセスリンクを介して伝送される第２アクセスモジュール活性化指示信号を第１アクセスモジュール１９１０を用いて受信するための機能を処理できる。この時、端末６２０の第２アクセスモジュール１９２０は非活性状態であってもよい。
【０２４０】
制御部１９００は、第２アクセスモジュールの活性化を指示する信号に基づいて第２アクセスモジュール１９２０を活性化させることができる。例えば、制御部１９００は、非活性状態で動作中の第２アクセスモジュール１９２０を活性状態で動作するように制御できる。
【０２４１】
制御部１９００は、第２アクセスモジュール１９２０を介して第２アクセス基地局６１０からショートビーコン信号が受信されたか否かを検査する。もし、ショートビーコン信号が受信された場合、制御部１９００は、ショートビーコン信号からダウンリンクデータを受信するために必要な情報を獲得できる。一方、制御部１９００は、ショートビーコン信号が受信されない場合、第２アクセスモジュール１９２０を介して第２アクセス基地局６１０から周期的に伝送されるビーコンが受信されたか否かを感知する。第２アクセス基地局６１０からビーコンが受信された場合、制御部１９００は、受信されたビーコンに含まれたＴＩＭ（Ｔｒａｆｆｉｃ  Ｉｎｄｉｃａｔｉｏｎ  Ｍａｐ）からダウンリンクデータを受信するために必要な情報を獲得できる。また、制御部１９００は、ショートビーコン信号が受信されない場合、第２アクセス基地局の変更が必要であることを示す信号を第１アクセス基地局に伝送することができる。例えば、制御部１９００は、第２アクセスモジュールを活性化させた時点に基づいてショートビーコン受信時間以内にショートビーコン信号が受信されない場合、第２アクセス基地局の信号受信が難しいと判断して、第２アクセス基地局の変更が必要であることを示す信号を第１アクセス基地局に伝送できる。制御部１９００は、少なくとも１つの第２アクセス基地局からショートビーコン信号が受信された時、受信されたショートビーコン信号に基づいてハンドオーバするターゲット第２アクセス基地局を決定できる。制御部１９００は、ターゲット第２アクセス基地局に関する情報を第１アクセス基地局６００に伝送し、ターゲット第２アクセス基地局へのハンドオーバ手順を行うことができる。また、制御部１９００は、第２アクセス基地局６１０から第２アクセスモジュール１９２０を介してダウンリンクデータを受信することができる。
【０２４２】
制御部１９００は、第１アクセスモジュール１９１０で第１アクセスリンクを介して受信される第２アクセスモジュール非活性化指示信号又は第２タイマーを用いて第２アクセスモジュール１９２０を非活性状態に切り替えるべきであることを感知する。例えば、制御部１９００は、第１アクセスモジュール１９１０を用いて第１アクセス基地局６００から第１アクセスリンクを介して第２アクセスモジュールの非活性化を指示する信号を受信することができる。第２アクセスモジュールの非活性化を指示する信号は、プローブ要求信号であってもよい。また、第２アクセスモジュールの非活性化を指示する信号は、最終ダウンリンクパケットのシーケンス番号を含むことができる。実施形態によっては、制御部１９００は、第２アクセスモジュール非活性化指示信号が受信されると、直ちに第２アクセスモジュール１９２０を非活性化させることができる。他の実施形態として、制御部１９００は、第２アクセスモジュール非活性化指示信号から最終ダウンリンクパケットのシーケンス番号を獲得し、獲得した最終パケットに対するシーケンス番号に基づいて最終パケットまで受信されたことを感知した後、第２アクセスモジュール１９２０を非活性化させることができる。さらに他の実施形態によれば、制御部１９００は、第２アクセス基地局６１０から第２アクセスモジュール１９２０を介してダウンリンクデータが受信された時点に基づいて予め設定された時間を測定する第２タイマーに基づいて第２アクセスモジュール１９２０を非活性状態に切り替えるべきであることを感知できる。例えば、制御部１９００は、第２タイマーが予め設定された時間を測定して満了するまでダウンリンクデータが追加的に受信されない場合、第２アクセスモジュール１９２０を非活性状態に切り替えるべきであることを決定できる。ここで、第２タイマーは、図１０の第２タイマーと同じ方式で設定されてもよい。
【０２４３】
第２アクセスモジュール１９２０が非活性状態に切り替えるべきであることを感知した制御部１９００は、第２アクセスモジュール１９２０を非活性化させることができる。例えば、制御部１９００は、上述の動作１乃至動作３のうち少なくとも１つを行うことができる。本開示の実施形態によれば、制御部１９００は、第２アクセスモジュール１９２０を非活性状態に切り替える前に、図１３に示す、ＷＬＡＮ  ８０２．１１  ＭＡＣヘッダのフレーム制御フィールド内のＰｏｗｅｒ  Ｍｇｍｔ１３００及びＭｏｒｅ  Ｄａｔａ１３０１の値を各々１、１に設定して第２アクセス基地局６１０に伝送できる。
【０２４４】
制御部１９００は、第２アクセスモジュールの非活性化を示す信号を第１アクセスモジュール１９１０を介して第１アクセス基地局６００に伝送できる。本発明の実施形態によれば、制御部１９００は、プローブ応答信号を用いて第１アクセス基地局６００に第２アクセスモジュールの非活性化を示すことができる。他の実施形態によれば、制御部１９００は、受信された最終パケットのシーケンス番号を示すＰＤＣＰフィードバック信号を用いて第２アクセスモジュールの非活性化を示すことができる。さらに他の実施形態によれば、制御部１９００は、第２アクセスモジュールの非活性化を示す信号を伝送しない場合もある。
【０２４５】
第１アクセスモジュール１９１０は、制御部１９００の制御に応じて第１アクセスリンクを介して第１アクセス基地局６００と信号を送受信できる。本開示の実施形態によれば、第１アクセスモジュール１９１０は、活性化状態を維持する。
【０２４６】
第２アクセスモジュール１９２０は、制御部１９００の制御に応じて第２アクセスリンクを介して第２アクセス基地局６１０と信号を送受信できる。本開示の実施形態によれば、第２アクセスモジュール１９２０は、制御部１９００の制御によって活性状態で動作してもよく、非活性状態で動作してもよい。
【０２４７】
保存部１９３０は、制御部１９００の制御に応じて端末６２０の動作に必要な各種データ及びプログラムを保存する。保存部１９３０は、制御部１９００の制御に応じて第２アクセスモジュール１９２０の非活性化のための規則（例：非活性化タイマー情報、第２タイマー情報）を保存することができる。
【０２４８】
上述した本開示の実施形態で、第２アクセスシステムがＷＬＡＮである場合、事業者ＡＰは上述の実施形態で説明した第２アクセス基地局６１０とともに運営できる。しかし、個人ＡＰは、上述した第２アクセス基地局６１０とともに運営することは難しい。したがって、以下、事業者ＡＰと個人ＡＰが混在する状況で本開示の実施形態が適用される場合について説明する。以下、説明の便宜のために、上述した本開示の実施形態によれば、端末６２０の第１アクセスモジュール（例：ＬＴＥモジュール）の活性化を維持しながら第２アクセスモジュール（例：ＷＬＡＮモジュール）の活性状態を変更及び制御する動作を「ＬＴＥ−ＷＬＡＮ  Ｉ／Ｉ（Ｉｎｔｅｒｗｏｒｋｉｎｇ／Ｉｎｔｅｇｒａｔｉｏｎ）動作」と称する。
【０２４９】
図２０は、本開示の実施形態に係る事業者ＡＰと個人ＡＰが共存する環境での端末及び各ＡＰの動作を示し、図２１は、本開示の実施形態に係るＡＰの動作状態を示す。
【０２５０】
図２０に示すように、一般に個人ＰＡ（ｐｒｉｖａｔｅ  ＡＰ）のビーコン２０００は事業者ＡＰ（Ｏｐｅｒａｔｏｒ  ＡＰ）のビーコンより長い周期を有する。したがって、事業者ＡＰと個人ＡＰが共存する環境で、端末６２０は、個人ＡＰからビーコン２０００が伝送される周期の間の区間２０１０でＬＴＥ−ＷＬＡＮ  Ｉ／Ｉ動作を行うことができる。例えば、端末６２０は、個人ＡＰからビーコン２０００が伝送されない区間２０１０の間にＬＴＥモジュールの活性化を維持しながらＷＬＡＮモジュールは非活性化させることができる。他の例として、端末６２０は、個人ＡＰからビーコン２０００が伝送されない区間２０１０の間にＬＴＥモジュールの活性化を維持しながら、事業者ＡＰを介したダウンリンクデータが存在する一部の区間ではＷＬＡＮモジュールを活性状態で動作させ、事業者ＡＰを介したダウンリンクデータが存在しない一部の区間ではＷＬＡＮモジュールを非活性状態で動作させることができる。
【０２５１】
事業者ＡＰと個人ＡＰが共存する環境で、端末６２０のＬＴＥ−ＷＬＡＮ  Ｉ／Ｉ動作は、図２１に示す個人ＡＰに対する動作状態によって異なる場合がある。ここで、端末６２０は、事業者ＡＰに接続中の場合を仮定して説明する。
【０２５２】
例えば、端末６２０は、事業者ＡＰに接続した状態で個人ＡＰに接続するためのスキャニングを行うことができる。端末６２０が個人ＡＰを検索するために周期的にスキャニングを行う状態（Ｓ１）２１００である場合、端末６２０は、予め設定された周期によって個人ＡＰをスキャニングし、スキャニングを行わない区間の間にはＬＴＥ−ＷＬＡＮ  Ｉ／Ｉ動作を行うことができる。例えば、端末６２０は、個人ＡＰに対するスキャニングを行わない区間の間にＬＴＥモジュールの活性化を維持しながらＷＬＡＮモジュールは非活性化させることができる。他の例として、端末６２０は、個人ＡＰに対するスキャニングを行わない区間の間にＬＴＥモジュールの活性化を維持しながら、事業者ＡＰを介したダウンリンクデータが存在する一部の区間ではＷＬＡＮモジュールを活性状態で動作させ、事業者ＡＰを介したダウンリンクデータが存在しない一部の区間ではＷＬＡＮモジュールを非活性状態で動作させることができる。
【０２５３】
他の例として、端末６２０は、ＴＤＭＡ方式を用いて事業者ＡＰに接続した状態で個人ＡＰに接続できる。この時、端末６２０が個人ＡＰとデータを送受信する状態（Ｄ１）２１１０である場合、端末６２０は、ＷＬＡＮモジュールを活性化させて個人ＡＰとデータを送受信し、個人ＡＰとデータを送受信する区間の間、事業者ＡＰに対するＬＴＥ−ＷＬＡＮ  Ｉ／Ｉ動作は中止する。
【０２５４】
さらに他の例として、端末６２０は、ＴＤＭＡ方式を用いて事業者ＡＰと個人ＡＰに同時に接続した状態で個人ＡＰにＰＳＭモードで動作できる。個人ＡＰに対してＰＳＭモードで動作する状態（Ｐ１）２１２０である場合、端末６２０は、個人ＡＰのビーコン伝送周期にはＷＬＡＮモジュールを活性化させて個人ＡＰのビーコンを受信し、個人ＡＰのビーコンが伝送されない区間（例：２０１０）の間には事業者ＡＰに対してＬＴＥ−ＷＬＡＮ  Ｉ／Ｉ動作を行うことができる。例えば、端末６２０は、個人ＡＰのビーコンが伝送されない区間の間にＬＴＥモジュールの活性化を維持しながらＷＬＡＮモジュールは非活性化させることができる。さらに他の例として、端末６２０は、個人ＡＰのビーコンが伝送されない区間の間にＬＴＥモジュールの活性化を維持しながら、事業者ＡＰを介したダウンリンクデータが存在する一部の区間ではＷＬＡＮモジュールを活性状態で動作させ、事業者ＡＰを介したダウンリンクデータが存在しない一部の区間ではＷＬＡＮモジュールを非活性状態で動作させることができる。
【０２５５】
事業者ＡＰと個人ＡＰが共存する環境で、端末６２０は、下記図２２Ａ乃至図２２Ｄに示す、ユーザインタフェースを提供できる。
【０２５６】
図２２Ａ乃至図２２Ｄは、本開示の実施形態に係る事業者ＡＰと個人ＡＰが共存する環境で端末の動作のためのユーザインタフェースを示す。
【０２５７】
例えば、端末６２０は、図２２Ａに示すように、ＡＰに接続するためのＷｉ−Ｆｉ機能がオンになる場合、お気に入りのＷｉ−Ｆｉ種類設定を要求するメッセージを表示できる。例えば、事業者ＡＰの利用を好むのか、又は個人ＡＰの利用を好むのか、又は事業者ＡＰと個人ＡＰを同時に用いることを好むのかを問うメッセージを表示できる。この時、端末６２０は、ユーザによって設定されたお気に入りのＷｉ−Ｆｉ種類に基づいて、事業者ＡＰを検索して接続してもよく、個人ＡＰを検索して接続してもよく、事業者ＡＰと個人ＡＰに同時に接続してもよい。
【０２５８】
他の例として、端末６２０は、図２２Ｂに示すように、ＡＰに接続するためのＷｉ−Ｆｉ機能がオンになる場合、検索されたＡＰリストを表示し、各ＡＰが個人ＡＰであるか又は事業者ＡＰであるかを示すことができる。また、端末６２０は、ユーザが１つ又は２つのＡＰを選択するようにするユーザインタフェースを提供できる。例えば、ＡＰリストから事業者ＡＰが選択されると、個人ＡＰらのうち１つを追加的に選択できるユーザインタフェースを提供できる。他の例として、ＡＰリストから個人ＡＰが選択されると、事業者ＡＰらのうち１つを追加的に選択できるユーザインタフェースを提供できる。
【０２５９】
さらに他の例として、端末６２０は、図２２Ｃに示すように、事業者ＡＰに接続された状態又は事業者ＡＰに接続を試みる状態で、事業者ＡＰに対するＬＴＥ−ＷＬＡＮ  Ｉ／Ｉ機能を利用して電力最小化を行うか否かを問うメッセージを表示できる。もし、ユーザ入力によってＬＴＥ−ＷＬＡＮ  Ｉ／Ｉ機能を利用すると設定された場合、前記図２０及び図２１で説明したように動作できる。
【０２６０】
さらに他の例として、端末６２０は、図２２Ｄに示すように、スクリーンの一部領域に現在接続中のＡＰを示すアイコンを表示できる。例えば、端末６２０が個人ＡＰに接続中であることを示すアイコン２２０１、事業者ＡＰに接続中であることを示すアイコン２２０２、又は個人ＡＰと事業者ＡＰに同時接続中であることを示すアイコン２２０３のうちいずれか１つのアイコンを表示して、ユーザが現在接続中のＡＰの種類を認知できるようにする。
【０２６１】
また、端末６２０は、図２２Ｄに示すように、スクリーンの一部領域に現在のＬＴＥ−ＷＬＡＮ  Ｉ／Ｉ機能の利用によるアイコンら２２１１及び２２１２を表示できる。例えば、端末６２０は、ＬＴＥ−ＷＬＡＮ  Ｉ／Ｉ機能の利用中にＷＬＡＮモジュールが非活性化された状態である場合、端末電力最小化モードで動作中であることを示すアイコン２２１１を表示できる。他の例として、端末６２０は、ＬＴＥ−ＷＬＡＮ  Ｉ／Ｉ機能の利用中にＬＴＥモジュールとＷＬＡＮモジュールが同時に活性化された場合、「Ｄａｔａ  Ｒａｔｅ  Ｂｏｏｓｔｉｎｇモード」で動作中であることを示すアイコン２２１２を表示できる。
【０２６２】
上述した本開示の実施形態では、多重無線アクセス技術をサポートする端末で、端末に含まれた多数個のアクセスモジュールのうち一部のアクセスモジュールの活性化状態を維持し、他のアクセスモジュールの活性状態を制御する場合について説明した。例えば、上述した本開示の実施形態では、端末が１つのアクセスモジュールのみを活性化状態に維持し、残りの他のアクセスモジュールらは非活性化させた後、活性化された１つのアクセスモジュールを介して残りの他の無線アクセス技術に対するダウンリンクトラフィックをモニタリングして、ダウンリンクトラフィックが存在する間にのみ該当アクセスモジュールを活性状態で動作させることについて説明した。以下の説明では、アクセス技術は、無線アクセス技術を含む意味である。
【０２６３】
しかし、本開示の多様な実施形態によれば、１つの端末が少なくとも１つの他の端末に対するダウンリンクモニタリングを行い、ダウンリンクモニタリング結果に基づいて少なくとも１つの他の端末に対する少なくとも１つのアクセスモジュールの活性状態を制御することもできる。例えば、多数の端末の間にグループを形成し、グループ内の代表端末がグループ内の他の端末らに対するダウンリンクをモニタリングを行い、ダウンリンクモニタリング結果によって、グループ内の他の端末らに対するアクセスモジュールの活性状態を制御できる。
【０２６４】
図２３は、本開示の実施形態に係る端末が少なくとも１つの他の端末に対するアクセスモジュールの活性状態を制御するシステム構造を示す。
【０２６５】
図２３に示すように、多数の端末２３００乃至２３０４の各々は、多重無線アクセス技術をサポートできる。多数の端末２３００乃至２３０４は、ユーザ要求に応じてグループを形成できる。多数の端末２３００乃至２３０４の各々は、ユーザによって各端末に予め登録された情報、他の端末との接続履歴情報、周辺端末らとの信号送受信情報などに基づいて、お互いを感知してグループを形成できる。
【０２６６】
本開示の実施形態によれば、１つのグループを形成した多数の端末２３００乃至２３０４の各々は、ユーザによって予め登録された情報、又はグループ内の他の端末との信号送受信を介して獲得された情報に基づいてマスター端末（又は代表端末）を決定できる。例えば、多数の端末２３００乃至２３０４の各々は、各端末がサポートする多重無線アクセス技術、各端末のアクセスモジュールの容量、各端末の残余電力レベル、第１アクセス基地局及び／又は第２アクセス基地局に対する受信信号品質、及びトポロジーのうち少なくとも１つに基づいてマスター端末を決定できる。ここで、トポロジーは、多数の端末の各々の接続関係を示すことができ、各端末が直接信号を送受信できる端末及び直接信号を送受信できない端末を示すことができる。例えば、トポロジーは、各端末がワンホップ（ｏｎｅ−ｈｏｐ）を介してグループ内の端末らのうちいくつの端末と信号送受信が可能であるか示すことができる。マスター端末（又は代表端末）を決定する動作は、グループ内の多数の端末のうち１つの端末でのみ行われてもよく、多数の端末の各々で行われてもよい。多数の端末の各々でマスター端末を決定する場合、多数の端末の各々は同じ方式を用いてマスター端末を決定し、多数の端末の各々はグループ内の他の端末らとマスター端末に関する情報を送受信しない。一方、グループ内の多数の端末のうち１つの端末でのみマスター端末を決定する場合、該当端末は決定されたマスター端末に関する情報をグループ内の他の端末らに伝送すべきである。また、グループ内の多数の端末のうち１つの端末でのみマスター端末を決定する場合、該当端末はユーザの入力によって決定されるか、又はグループ内の端末らとの信号送受信によって決定されることができる。以下の説明では、説明の便宜のために、グループ内の他の端末のダウンリンクモニタリングを行う端末をマスター端末と称し、マスター端末の制御に応じて少なくとも１つのアクセスモジュールの状態が制御される端末をスレーブ端末と称する。
【０２６７】
また、本開示の実施形態によれば、グループ内のマスター端末２３００は、マスター端末２３００に含まれたアクセスモジュールのうち、スレーブ端末ら２３０１乃至２３０４に対するダウンリンクトラフィックの発生有無をモニタリングする管理アクセスモジュールを決定できる。ここで、管理アクセスモジュールは、ユーザによって予め登録された情報、又はグループ内の他の端末との信号送受信を介して獲得された情報に基づいて決定されることができる。例えば、マスター端末２３００は、マスター端末２３００がサポートする多重無線アクセス技術、互いに異なる無線アクセス技術をサポートする各アクセスモジュールの容量、第１アクセス基地局及び／又は第２アクセス基地局に対する各アクセスモジュールに対する受信信号品質、第１アクセス基地局及び／又は第２アクセス基地局に対するチャネル占有確率、接続中の基地局の種類（例：事業者ＡＰ、又は個人ＡＰ）、各アクセスモジュールに対するグループ内の他の機器らのダウンリンクトラフィックモニタリングが可能であるか否か、各アクセスモジュールの電力消耗量、及びトポロジーのうち少なくとも１つに基づいて管理アクセスモジュールを決定できる。ここで、トポロジーは、多数の端末の各々の接続関係を示すことができ、各端末が直接信号を送受信できる端末及び直接信号を送受信できない端末を示すことができる。例えば、トポロジーは、各端末が特定アクセスモジュールを用いて信号を送受信する場合、グループ内の端末のうちいくつの端末と１つのホップ（ｏｎｅ−ｈｏｐ）で信号送受信が可能であるかを示すことができる。
【０２６８】
マスター端末２３００は、スレーブ端末ら２３０１乃至２３０４のアクセスモジュールの活性状態を制御するための制御アクセスモジュールを選択できる。例えば、制御アクセスモジュールは、マスター端末２３００でスレーブ端末２３０１の第１アクセスモジュールを活性化又は非活性化させるための制御信号を送受信するために用いられ得る。制御アクセスモジュールは、管理アクセスモジュールと同じであってもよく、異なってもよい。例えば、管理アクセスモジュールは、第１アクセス基地局と信号を送受信する第１アクセスモジュールで、制御アクセスモジュールは、周辺端末と低電力で信号送受信が可能なアクセスモジュール（例：ＢＬＥ（Ｂｌｕｅｔｏｏｔｈ（登録商標）  Ｌｏｗ  Ｅｎｅｒｇｙ）モジュール）であってもよい。
【０２６９】
マスター端末２３００は、決定された管理アクセスモジュールに対応する無線アクセス技術情報及び／又は制御アクセスモジュールに対応する無線アクセス技術情報をスレーブ端末ら２３０１乃至２３０４に伝送できる。
【０２７０】
上述のように、多数の端末２３００乃至２３０４が１つのグループを形成した後、マスター端末２３００が決定され、管理アクセスモジュール及び制御アクセスモジュールが決定されると、マスター端末２３００は、管理アクセスモジュールのみを活性化させ、その他のアクセスモジュールを非活性化させることができる。マスター端末２３００で管理アクセスモジュールと制御アクセスモジュールが異なる場合、マスター端末２３００は、制御アクセスモジュールを継続的にオン状態に維持するか、又はスレーブ端末のアクセスモジュールを制御する信号が送受信される必要がある場合にのみ制御アクセスモジュールをオン状態に維持できる。また、スレーブ端末ら２３０１乃至２３０４は、制御アクセスモジュールのみを活性化状態に維持し、その他のアクセスモジュールは非活性化させることができる。ここで、マスター端末２３００の管理アクセスモジュールが免許不要帯域をサポートするＷＬＡＮモジュールである場合、管理アクセスモジュールは、継続的に活性化された状態で動作することではなく、予め設定されたＰＳＭモードに従ってアウェイク状態とスリープ状態とを繰り返すことができる。一方、マスター端末２３００の管理アクセスモジュールが認可帯域をサポートするＬＴＥモジュールである場合、管理アクセスモジュールは、継続的に活性化された状態を維持できる。
【０２７１】
本開示の実施形態によれば、マスター端末２３００は、マスター端末２３００の識別情報及びスレーブ端末ら２３０１乃至２３０４の識別情報を第１アクセス基地局６００及び／又は第２アクセス基地局６１０に伝送できる。この時、第１アクセス基地局６００及び／又は第２アクセス基地局６１０は、マスター端末２３００の識別情報及びスレーブ端末ら２３０１乃至２３０４の識別情報に基づいて、該当グループ内の端末らに対するダウンリンクトラフィックが発生したか否かを感知し、該当グループ内の端末らに対するダウンリンクトラフィックが発生した場合、これをマスター端末２３００に知らせることができる。例えば、第１アクセス基地局６００は、スレーブ端末２３０１の識別情報に基づいて、スレーブ端末２３０１に対して第１アクセスモジュールに対するダウンリンクトラフィックが発生したことを感知し、スレーブ端末２３０１に対する第１アクセスモジュールへのダウンリンクトラフィック発生を示す信号をマスター端末２３００に伝送できる。他の例を挙げると、第１アクセス基地局６００は、スレーブ端末２３０１の識別情報に基づいて、スレーブ端末２３０１に対して第２アクセスモジュールに対するダウンリンクトラフィックが発生したことを感知し、スレーブ端末２３０１に対する第２アクセスモジュールへのダウンリンクトラフィック発生を示す信号をマスター端末２３００に伝送できる。例えば、第１アクセス基地局６００は、グループ内の端末らに対して第１アクセス技術のみならず、他のアクセス技術を利用するダウンリンクトラフィックの発生有無を感知できる。
【０２７２】
図２４は、本開示の実施形態に係る端末のグループ形成動作を示す。また、図２７は、本開示の実施形態に係るユーザが保有する多数の端末が１つのグループに形成された状況を示す。
【０２７３】
図２４を参照すると、端末は、ステップ２４０１にて、多数の端末とグループを形成する。例えば、図２７に示すように、端末２３００は、ユーザ要求に応じて他の端末ら２３０１乃至２３０４とグループを形成して、情報を交換できる。例えば、端末２３００及び他の端末ら２３０１乃至２３０４は、第１ユーザが所有した端末であってもよい。例えば、端末２３００及び他の端末ら２３０１乃至２３０４は、第１ユーザの屋内端末であってもよい。端末２３００は、最近の接続履歴を示す結合情報、料金支払いのために登録された機器情報などに基づいてユーザが所有した他の端末ら２３０１乃至２３０４を認識できる。端末２３００は、多数の端末が共通的にサポートすると判断される第１無線アクセス技術を介して周辺端末をスキャニングし、スキャニングされた端末らと接続（ａｓｓｏｃｉａｔｉｏｎ）を試みることができる。端末２３００は、多数の端末のうち第１無線アクセス技術をサポートしない特定端末が存在する場合、第１無線アクセス技術をサポートしない特定端末と他の無線アクセス技術を介して接続を試みることができる。この時、端末２３００は、特定端末に関する情報を第１無線アクセス技術を介して他の端末らに伝送してもよい。端末２３００は、上記のように、少なくとも１つの無線アクセス技術を介して他の端末ら２３０１乃至２３０４を感知し、感知された他の端末ら２３０１乃至２３０４とグループを形成できる。また、端末２３００は、多数の端末２３０１乃至２３０４とフラッディング（ｆｌｏｏｄｉｎｇ）に基づいて情報を交換できる。例えば、端末２３００は、自らがサポートする多重アクセス技術の各々のアクセスモジュールに対する容量、残余電力情報を含む信号をブロードキャストできる。また、端末２３００は、グループ内の他の端末ら２３０１乃至２３０４からブロードキャストされた信号を受信して該当端末がサポートする多重アクセス技術の各々のアクセスモジュールに対する容量、残余電力情報を獲得し、ブロードキャストされた信号からチャネル状態情報、及びトポロジーなどのような情報を獲得できる。
【０２７４】
端末は、ステップ２４０３にて、グループ内の端末らのうちマスター端末を決定する。例えば、端末２３００は、ユーザによって予め登録された情報、又はグループ内の他の端末との信号送受信を介して獲得された情報に基づいてマスター端末（又は代表端末）を決定できる。例えば、端末２３００は、各端末がサポートする多重無線アクセス技術、各端末のアクセスモジュールの容量、各端末の残余電力レベル、各端末で測定された第１アクセス基地局及び／又は第２アクセス基地局に対する受信信号品質、及びトポロジーのうち少なくとも１つに基づいてマスター端末を決定できる。ここで、トポロジーは、多数の端末の各々の接続関係を示すことができ、各端末が直接信号を送受信できる端末及び直接信号を送受信できない端末を示すことができる。例えば、トポロジーは、各端末がワンホップ（ｏｎｅ−ｈｏｐ）を介してグループ内の端末らのうちいくつの端末と信号送受信が可能であるかを示すことができる。より詳細な例として、端末２３００は、グループ内の端末ら２３００乃至２３０４がサポートする多数の無線アクセス技術のうち最も多くの端末がサポートする無線アクセス技術を確認し、確認された無線アクセス技術を保有する端末らのうち１つの端末をマスター端末に決定できる。他の例として、端末２３００は、グループ内の端末ら２３００乃至２３０４の各々のアクセスモジュールの容量を確認し、容量が最も大きなアクセスモジュールを持つ端末をマスター端末に決定できる。さらに他の例として、端末２３００は、グループ内の端末ら２３００乃至２３０４のうち残余電力レベルが最も高い端末又は有線で電力を供給される端末をマスター端末に決定できる。さらに他の例として、端末２３００は、グループ内の端末ら２３００乃至２３０４のうち第１アクセス基地局及び／又は第２アクセス基地局に対する受信信号品質が最も高い端末をマスター端末に決定できる。ここで、信号受信品質は、受信信号の受信電力又は、受信信号の受信品質を含むことができる。さらに他の例として、端末２３００は、グループ内の端末ら２３００乃至２３０４のうち１つのホップを介して最も多数の端末に制御信号の伝送が可能な端末をマスター端末に決定できる。
【０２７５】
端末は、ステップ２４０５にて、マスター端末に決定された端末が該当端末自らであるかを検査する。もし、マスター端末に決定された端末が自らでない場合、端末は、ステップ２４１３にて、マスター端末から制御アクセス技術に関する情報を受信する。ここでは、グループ内の各端末でマスター端末を決定する動作を行うと仮定して、端末がマスター端末に決定されたことを知らせる信号を他の端末に伝送しなかった。しかし、設計方式によっては、端末はグループ内の他の端末に、マスター端末に決定されたことを知らせる信号を伝送してもよい。
【０２７６】
一方、マスター端末に決定された端末が自らである場合、端末は、ステップ２４０７にて、マスター端末がサポートするアクセス技術らのうちグループ内の端末らに対するダウンリンクトラフィックをモニタリングする管理アクセス技術を決定する。例えば、マスター端末２３００は、自らがサポートするアクセス技術のうち、グループ内のスレーブ端末ら２３０１乃至２３０４に対するダウンリンクトラフィックの発生有無をモニタリングするために用いられるアクセス技術を決定できる。マスター端末２３００は、ユーザによって予め登録された情報、又はグループ内の他の端末との信号送受信を介して獲得された情報に基づいて管理アクセス技術を決定できる。例えば、マスター端末２３００は、自らがサポートするアクセス技術ら、互いに異なるアクセス技術をサポートする各アクセスモジュールの容量、第１アクセス基地局及び／又は第２アクセス基地局に対する各アクセスモジュールに対する受信信号品質、第１アクセス基地局及び／又は第２アクセス基地局に対するチャネル占有確率、接続中の基地局の種類（例：事業者ＡＰ、又は個人ＡＰ）、各アクセスモジュールに対するグループ内の他の機器らのダウンリンクトラフィックモニタリングが可能であるか否か、各アクセスモジュールの電力消耗量、及びトポロジーのうち少なくとも１つに基づいてマスター端末を決定できる。例えば、マスター端末２３００は、グループ内の端末ら２３００乃至２３０４がサポートする多数のアクセス技術のうち最も多くの端末がサポートするアクセス技術を管理アクセス技術に決定できる。他の例として、マスター端末２３００は、グループ内の端末ら２３００乃至２３０４のダウンリンクトラフィックモニタリングが可能な基地局に対応するアクセス技術を管理アクセス技術に決定できる。すなわち、上記図２Ａ及び図２Ｂに示すように、ｅＮＢ２００がＡＰ２１０からトラフィック発生を報告されたり、ｅＮＢ２００がＡＰ２１０のトラフィックオフロードを制御するシステム構造である場合、ｅＮＢ２００に対応するアクセス技術を管理アクセス技術に決定できる。さらに他の例として、マスター端末２３００は、電力消耗が最も少ないアクセスモジュールに対応するアクセス技術を管理アクセス技術に決定できる。さらに他の例として、マスター端末２３００は、ダウンリンクトラフィックモニタリングが可能な基地局及び／又はダウンリンクデータを伝送する基地局とのチャネル占有確率を考慮して管理アクセス技術を決定できる。マスター端末２３００は、ダウンリンクトラフィックモニタリングが可能な基地局及び／又はダウンリンクデータを伝送する基地局の瞬間的なトラフィック負荷及び平均トラフィック負荷などを考慮して管理アクセス技術を決定できる。さらに他の例として、マスター端末２３００は、１つのホップを介して最も多数のスレーブ端末に制御信号の伝送が可能な端末をアクセス技術を管理アクセス技術に決定できる。さらに他の例として、マスター端末２３００は、グループ内の端末ら２３００乃至２３０４が接続中の基地局の種類に基づいて管理アクセス技術を決定できる。すなわち、グループ内の端末ら２３００乃至２３０４が事業者ＡＰに接続中の場合、マスター端末２３００は、事業者ＡＰに対するダウンリンクオフロードを制御するアクセス基地局に対応するアクセス技術を管理アクセス技術に決定できる。また、グループ内の端末ら２３００乃至２３０４が個人ＡＰに接続中の場合、マスター端末２３００は、個人ＡＰに対応するアクセス技術を管理アクセス技術に決定できる。
【０２７７】
以降、端末は、ステップ２４０９にて、マスター端末がサポートするアクセス技術らのうちグループ内の端末らのアクセスモジュールの状態を制御するための制御アクセス技術を決定する。例えば、マスター端末２３００は、管理アクセス技術に対応する管理アクセスモジュールを介してダウンリンクをモニタリングした結果に基づいて、スレーブ端末ら２３０１乃至２３０４のアクセスモジュールの活性状態を制御するための制御アクセス技術を選択できる。例えば、マスター端末２３００は、自らがサポートするアクセス技術ら、互いに異なるアクセス技術をサポートする各アクセスモジュールの容量、第１アクセス基地局及び／又は第２アクセス基地局に対する各アクセスモジュールに対する受信信号品質、第１アクセス基地局及び／又は第２アクセス基地局に対するチャネル占有確率、接続中の基地局の種類（例：事業者ＡＰ、又は個人ＡＰ）、各アクセスモジュールの電力消耗量、及びトポロジーのうち少なくとも１つに基づいてマスター端末を決定できる。例えば、マスター端末２３００は、グループ内の端末ら２３００乃至２３０４がサポートする多数のアクセス技術のうち最も多くの端末がサポートするアクセス技術を制御アクセス技術に決定できる。他の例として、マスター端末２３００は、電力消耗が最も少ないアクセスモジュールに対応するアクセス技術を管理アクセス技術に決定できる。さらに他の例として、マスター端末２３００は、１つのホップを介して最も多数のスレーブ端末に制御信号の伝送が可能な端末をアクセス技術を管理アクセス技術に決定できる。制御アクセス技術は、管理アクセス技術と同じであってもよく、異なってもよい。例えば、管理アクセス技術は、第１アクセス基地局との信号送受信が可能な第１アクセス技術で、制御アクセス技術は、周辺端末と低電力で信号送受信が可能なアクセス技術（例：ＢＬＥ（Ｂｌｕｅｔｏｏｔｈ（登録商標）  Ｌｏｗ  Ｅｎｅｒｇｙ）技術）であってもよい。また、設計方式によっては、制御アクセス技術は、管理アクセス技術と同じに決定されてもよく、この時、制御アクセス技術を決定するステップ２４０９は省略してもよい。
【０２７８】
端末は、ステップ２４１１にて、決定された制御アクセス技術に関する情報をスレーブ端末ら２３０１乃至２３０４に伝送できる。この時、端末は、制御アクセス技術に対応する制御アクセスモジュールを用いて制御アクセス技術に関する情報を含む信号をスレーブ端末らに伝送できる。また、端末は、管理アクセス技術に対応する管理アクセスモジュールを用いて制御アクセス技術に関する情報を含む信号をスレーブ端末らに伝送することもできる。また、端末は、制御アクセス技術及び管理アクセス技術を除く他のアクセス技術に対応するアクセスモジュールを用いて制御アクセス技術に関する情報を含む信号をスレーブ端末らに伝送することもできる。
【０２７９】
以降、端末は本開示の実施形態に係るグループ形成動作を終了する。
【０２８０】
図２５は、本開示の実施形態に係るマスター端末の動作を示す。ここで、マスター端末は、管理アクセス技術に対応する管理アクセスモジュールを活性化された状態に維持する。本開示の実施形態によれば、管理アクセスモジュールがＷＬＡＮのようなＰＳＭ（ｐｏｗｅｒ  ｓａｖｉｎｇ  ｍｅｃｈａｎｉｓｍ）に従って動作する場合、マスター端末は管理アクセスモジュールをＰＳＭに従って動作させることができる。すなわち、管理アクセスモジュールがＷＬＡＮをサポートするモジュールである場合に管理アクセスモジュールを活性化状態に維持することは、管理アクセスモジュールがＰＳＭに従って周期的にアクティブ状態とスリープ状態とを切り替える状態を含む意味であってもよい。
【０２８１】
図２５を参照すると、マスター端末２３００は、ステップ２５０１にて、活性化された管理アクセスモジュールを用いてグループ内の端末ら２３００乃至２３０４と関連づけられたダウンリンク信号をモニタリングする。この時、マスター端末２３００は、管理アクセスモジュールを除く他のアクセスモジュールを非活性化させることができる。さらに、マスター端末２３００は、グループ内の端末ら２３００乃至２３０４に対するダウンリンクトラフィック発生有無を感知するために、ダウンリンク信号モニタリングを行う以前に管理アクセスモジュールに対応するアクセス基地局にグループ内の端末ら２３００乃至２３０４に対する識別情報を伝送できる。マスター端末２３００は、管理アクセスモジュールを介してアクセス基地局からグループ内の特定端末に対するダウンリンクトラフィックが発生したことを知らせるダウンリンク信号を受信することができる。また、マスター端末２３００は、管理アクセスモジュールを介してアクセス基地局でグループ内の特定端末に伝送されるダウンリンクトラフィック発生信号を感知できる。
【０２８２】
マスター端末２３００は、ステップ２５０３にて、該当基地局からグループ内の特定端末に対する特定アクセスモジュール活性化指示信号が受信されたか否かを感知する。例えば、マスター端末２３００は、管理アクセスモジュールを介して管理アクセス技術に対応するアクセス基地局から伝送される信号をモニタリングした結果、マスター端末２３００及び／又はスレーブ端末ら２３０１乃至２３０４に対するダウンリンクトラフィックが発生したことを示す信号が受信されたか否かを感知する。この時、ダウンリンクトラフィックが発生したことを示す信号は、ダウンリンクトラフィックが発生したアクセス技術に関する情報、活性化させるアクセスモジュールに関する情報、又はダウンリンクトラフィックに対応する端末の情報を含むことができる。例えば、マスター端末２３００は、第1スレーブ端末２３０１に対して第２アクセス技術に対応するダウンリンクトラフィックが発生したことを示す信号、又は第1スレーブ端末２３０１の第２アクセスモジュールの活性化を指示する信号を管理アクセスモジュールを介して第１アクセス基地局から受信することができる。他の例として、マスター端末２３００は、第３スレーブ端末２３０３に対して第１アクセス技術に対応するダウンリンクトラフィックが発生したことを示す信号、又は第３スレーブ端末２３０３の第１アクセスモジュールの活性化を指示する信号を管理アクセスモジュールを介して第１アクセス基地局から受信することができる。もし、グループ内の特定端末に対する特定アクセスモジュール活性化指示信号が受信されない場合、端末２３００は、ステップ２５０１に戻って下記ステップを再度行う。
【０２８３】
一方、グループ内の特定端末に対する特定アクセスモジュール活性化指示信号が受信された場合、マスター端末２３００は、ステップ２５０５にて、特定端末がマスター端末であるか否かを検査する。もし、特定端末がマスター端末である場合、マスター端末２３００は、ステップ２５１５にて、特定アクセスモジュールを活性化させた後、ステップ２５１７にて、活性化された特定アクセスモジュールを介してダウンリンクデータを受信する。この時、マスター端末２３００は、上記図１乃至図２２Ｄに記載の多様な実施形態によって特定アクセスモジュールを介してダウンリンクデータを受信することができる。以降、マスター端末２３００は、下記のステップ２５０９に進む。
【０２８４】
特定端末がマスター端末でない場合、マスター端末２３００は、ステップ２５０７にて、制御アクセスモジュールを介して特定端末に特定アクセスモジュール活性化を要求する信号を伝送する。制御アクセスモジュールが管理アクセスモジュールと互いに異なる場合、マスター端末２３００は、ステップ２５０９にて、制御アクセスモジュールを非活性状態から活性状態に切り替えることができる。例えば、マスター端末２３００は、制御アクセスモジュールを介して第1スレーブ端末２３０１に第２アクセスモジュールの活性化を要求する信号を伝送できる。マスター端末２３００は、活性化させた制御アクセスモジュールを介して特定端末に特定アクセスモジュール活性化を要求する信号を伝送した後、制御アクセスモジュールを非活性化させることができる。
【０２８５】
マスター端末２３００は、ステップ２５０９にて、該当基地局からグループ内の特定端末に対する特定アクセスモジュール非活性化指示信号が受信されたか否かを感知する。例えば、マスター端末２３００は、管理アクセスモジュールを介して管理アクセス技術に対応するアクセス基地局から伝送される信号をモニタリングした結果、マスター端末２３００及び／又はスレーブ端末ら２３０１乃至２３０４に対するダウンリンクトラフィックが存在しないことを示す信号が受信されたか否かを感知する。この時、ダウンリンクトラフィックが存在しないことを示す信号は、関連アクセス技術に関する情報、非活性化させるアクセスモジュールに関する情報、又は関連端末の情報を含むことができる。例えば、マスター端末２３００は、第1スレーブ端末２３０１に対して第２アクセス技術に対応するダウンリンクトラフィックが存在しないことを示す信号、又は第1スレーブ端末２３０１の第２アクセスモジュールの非活性化を指示する信号を管理アクセスモジュールを介して第１アクセス基地局から受信することができる。他の例として、マスター端末２３００は、第３スレーブ端末２３０３に対して第１アクセス技術に対応するダウンリンクトラフィックが存在しないことを示す信号、又は第３スレーブ端末２３０３の第１アクセスモジュールの非活性化を指示する信号を管理アクセスモジュールを介して第１アクセス基地局から受信することができる。もし、グループ内の特定端末に対する特定アクセスモジュール非活性化指示信号が受信されない場合、端末２３００は、ステップ２５０１に戻って下記ステップを再度行う。
【０２８６】
グループ内の特定端末に対する特定アクセスモジュール非活性化指示信号が受信された場合、マスター端末２３００は、ステップ２５１１にて、特定端末がマスター端末であるか否かを検査する。もし、特定端末がマスター端末である場合、マスター端末２３００は、ステップ２５１９にて、特定アクセスモジュールを非活性化させる。本開示の実施形態によれば、マスター端末２３００は、特定アクセスモジュール非活性化指示信号を受信せず、特定アクセスモジュールを非活性化させることができる。例えば、マスター端末２３００は、予め設定された時間を測定するタイマーを用いて、特定アクセスモジュールを介して予め設定された時間の間ダウンリンクデータが受信されないことを感知し、特定アクセスモジュールを非活性化させることができる。
【０２８７】
特定端末がマスター端末でない場合、マスター端末２３００は、ステップ２５１３にて、制御アクセスモジュールを介して特定端末に特定アクセスモジュール非活性化を要求する信号を伝送する。例えば、マスター端末２３００は、制御アクセスモジュールを介して第1スレーブ端末２３０１に第２アクセスモジュールの非活性化を要求する信号を伝送できる。マスター端末２３００は、活性化された制御アクセスモジュールを介して特定端末に特定アクセスモジュール非活性化を要求する信号を伝送した後、制御アクセスモジュールを非活性化させることができる。
【０２８８】
以降、マスター端末２３００は、本開示の実施形態に係る手順を終了する。
【０２８９】
図２６は、本開示の実施形態に係るスレーブ端末の動作を示す。ここで、スレーブ端末は、図２３に示す第1スレーブ端末２３０１乃至第４スレーブ端末２３０４のうちいずれか１つの端末であってもよい。
【０２９０】
図２６を参照すると、スレーブ端末は、ステップ２６０１にて、制御アクセスモジュールを活性化させる。すなわち、スレーブ端末は、他の端末らとのグループを形成する時、自らがマスター端末でないスレーブ端末であることを確認し、制御アクセスモジュールを活性化させる。スレーブ端末は、制御アクセスモジュールを活性化状態に維持し、制御アクセスモジュールを除く残りのアクセスモジュールを非活性化させることができる。
【０２９１】
スレーブ端末は、ステップ２６０３にて、マスター端末から特定アクセスモジュールに対する活性化指示信号が受信されたか否かを検査する。例えば、スレーブ端末は、制御アクセスモジュールを介してマスター端末２３００から第１アクセスモジュール又は第２アクセスモジュールに対する活性化を指示する信号が受信されたか否かを検査する。もし、マスター端末から特定アクセスモジュールに対する活性化指示信号が受信されない場合、スレーブ端末は、ステップ２６０１に戻って下記ステップを再度行う。
【０２９２】
一方、マスター端末から特定アクセスモジュールに対する活性化指示信号が受信された場合、スレーブ端末は、ステップ２６０５にて、活性化が指示された該当アクセスモジュールを活性化させることができる。例えば、スレーブ端末は、マスター端末２３００から第１アクセスモジュールに対する活性化指示信号が受信された場合、第１アクセスモジュールを非活性化状態から活性化状態に切り替えることができる。
【０２９３】
スレーブ端末は、ステップ２６０７にて、活性化されたアクセスモジュールを介してダウンリンクデータ信号を受信する。例えば、スレーブ端末は、マスター端末２３００から受信された活性化指示信号によって活性化された第１アクセスモジュールを介して、ダウンリンクデータを受信することができる。
【０２９４】
スレーブ端末は、ステップ２６０９にて、制御アクセスモジュールを介してマスター端末から特定アクセスモジュールに対する非活性化指示信号が受信されたか否かを検査する。例えば、スレーブ端末は、第１アクセスモジュールが活性化された状態で制御アクセスモジュールを介して第１アクセスモジュールの非活性化指示信号が受信されたか否かを検査する。マスター端末から特定アクセスモジュールに対する非活性化指示信号が受信されない場合、スレーブ端末は、ステップ２６０７に戻って下記ステップを再度行う。マスター端末から特定アクセスモジュールに対する非活性化指示信号が受信された場合、スレーブ端末は、ステップ２６１１にて、該当アクセスモジュールを非活性化させる。例えば、スレーブ端末は、マスター端末２３００から第１アクセスモジュールに対する非活性化指示信号が受信された場合、第１アクセスモジュールを活性化状態から非活性化状態に切り替えることができる。他の実施形態によれば、スレーブ端末は、マスター端末２３００から特定アクセスモジュール非活性化指示信号を受信せず、特定アクセスモジュールを非活性化させることができる。例えば、スレーブ端末は、予め設定された時間を測定するタイマーを用いて、特定アクセスモジュールを介して予め設定された時間の間ダウンリンクデータが受信されないことを感知し、特定アクセスモジュールを非活性化させることができる。
【０２９５】
以降、スレーブ端末は、本開示の実施形態に係る手順を終了する。
【０２９６】
図２８は、本開示の実施形態に係るグループ内の端末らがサポートする無線アクセス技術を示す。
【０２９７】
図２８に示すように、マスター端末２３００は、セルラー（ｃｅｌｌｕｌａｒ）２８００、ＷＬＡＮ２８２０、ＢＬＥ２８１０、ＮＦＣ（Ｎｅａｒ  Ｆｉｅｌｄ  Ｃｏｍｍｕｎｉｃａｔｉｏｎ）２８３０をサポートし、第1スレーブ端末２３０１は、セルラー２８００、及びＢＬＥ２８１０をサポートし、第2スレーブ端末２３０２は、セルラー２８００、ＷＬＡＮ２８２０、及びＢＬＥ２８１０をサポートし、第３スレーブ端末２３０３は、セルラー２８００、ＷＬＡＮ２８２０、ＢＬＥ２８１０及びＮＦＣ２８３０をサポートし、第４スレーブ端末２３０４は、セルラー２８００、及びＮＦＣ２８３０をサポートできる。かかる環境で、管理アクセスモジュールは、グループ内のグループ内の全ての端末ら２３００乃至２３０４が同時にサポートするセルラーモジュールに決定されることができる。また、制御アクセスモジュールは、グループ内のグループ内の全ての端末ら２３００乃至２３０４が同時にサポートするセルラーモジュールに決定されるか、又は電力消耗量が少ないＢＬＥモジュールに決定されることができる。
【０２９８】
管理アクセスモジュールがセルラーモジュールに決定され、制御アクセスモジュールがＢＬＥモジュールに決定された場合を仮定すると、グループ内の各端末２３００乃至２３０４は下記のように動作できる。
【０２９９】
まず、マスター端末２３００は、管理アクセスモジュールであるセルラーモジュールを常に活性化状態に維持し、残りのアクセスモジュールであるＷＬＡＮモジュール、ＢＬＥモジュール、及びＮＦＣモジュールを非活性化させることができる。マスター端末２３００は、活性化状態であるセルラーモジュールを用いてスレーブ端末ら２３０１乃至２３０４に対するセルラーダウンリンクトラフィックが発生したか否かを感知し、また、スレーブ端末２３０２及び２３０３に対するＷＬＡＮダウンリンクトラフィックが発生したか否かを感知できる。マスター端末２３００は、スレーブ端末ら２３０１乃至２３０４のうち少なくとも１つに対するセルラー又はＷＬＡＮのダウンリンクトラフィック発生が感知された場合、制御アクセスモジュールであるＢＬＥモジュールを活性化させることができる。マスター端末２３００は、スレーブ端末ら２３０１乃至２３０４のうち少なくとも１つに対するセルラー又はＷＬＡＮモジュールの活性状態を制御するための信号をＢＬＥモジュールを介して伝送できる。
【０３００】
ただし、第４スレーブ端末２３０４は、ＢＬＥをサポートしないので、マスター端末２３００は、第４スレーブ端末２３０４にセルラーモジュールの活性状態を制御する信号をＢＬＥを介して伝送することができない。したがって、マスター端末２３００は、第４スレーブ端末２３０４のセルラーモジュールの活性状態を制御する信号が第３スレーブ端末２３０３を経由して第４スレーブ端末２３０４に伝送されるように制御できる。すなわち、第４スレーブ端末２３０４がサポートするＮＦＣを第３スレーブ端末２３０３がサポートするので、マスター端末２３００は、第４スレーブ端末２３０４のセルラーモジュールに対するダウンリンクトラフィック発生が感知された場合、第４スレーブ端末のセルラーモジュール活性化指示信号をＢＬＥモジュールを介して第３スレーブ端末２３０３に伝送できる。第３スレーブ端末２３０３は、ＢＬＥモジュールを介してマスター端末２３００から第４スレーブ端末２３０４のセルラーモジュール活性化指示信号を受信することができ、ＮＦＣモジュールを活性化させて第４スレーブ端末２３０４のセルラーモジュール活性化指示信号を第４スレーブ端末２３０４に伝送できる。第３スレーブ端末２３０３は、セルラー活性化指示信号をＮＦＣモジュールを介して第４スレーブ端末２３０４に伝送した後、ＮＦＣモジュールを非活性化させることができる。ここで、第４スレーブ端末２３０４は、制御アクセスモジュールであるＢＬＥモジュールを含まないので、ＢＬＥモジュールの代わりにＮＦＣモジュールを活性化状態に維持でき、活性化されたＮＦＣモジュールを介してセルラーモジュール活性化指示信号を受信することができる。
【０３０１】
上述した説明では、管理アクセスモジュールがセルラーモジュールに決定された場合について説明したが、第2スレーブ端末２３０２及びスレーブ端末２３０３のＷＬＡＮモジュールが個人ＡＰを用いる場合、管理アクセスモジュールはＷＬＡＮモジュールに決定されるべきである。例えば、セルラー基地局で事業者ＡＰに対するダウンリンクトラフィックを制御することはできるが、個人ＡＰに対するダウンリンクトラフィックを制御することはできない。したがって、第2スレーブ端末２３０２及び第３スレーブ端末２３０３のＷＬＡＮモジュールが事業者ＡＰを用いる場合、マスター端末２３００は、セルラーモジュール及びＡＰモジュールのうちいずれか１つを管理アクセスモジュールに決定できる。一方、第2スレーブ端末２３０２及び第３スレーブ端末２３０３のＷＬＡＮモジュールが個人ＡＰを用いる場合、マスター端末２３００は、第2スレーブ端末２３０２及び第３スレーブ端末２３０３に対するＷＬＡＮのダウンリンクトラフィックをモニタリングするために、ＡＰモジュールを管理アクセスモジュールに決定できる。さらに、マスター端末２３００は、セルラーモジュールとＷＬＡＮモジュールをすべて管理アクセスモジュールに決定できる。この場合、マスター端末２３００は、セルラーモジュールを介してグループ内の端末ら２３００乃至２３０４に対するセルラーダウンリンクトラフィックの発生有無を感知し、ＷＬＡＮモジュールを介してグループ内でＷＬＡＮをサポートする端末ら２３００，２３０２，及び２３０３に対するＷＬＡＮダウンリンクトラフィック発生有無を感知できる。
【０３０２】
図２９は、本開示の実施形態に係るグループ内の端末らが事業者ＡＰに接続中の場合に対するＷＬＡＮモジュール活性状態を示す。図２９は、マスター端末の管理アクセスモジュールがセルラーモジュールで、制御アクセスモジュールが電力消耗の少ないＢＬＥモジュールである場合を仮定したものである。また、図面に図示していないが、マスター端末のセルラーモジュールは常に活性化された状態を維持する。
【０３０３】
図２９を参照すると、マスター端末（第1デバイス）及びスレーブ端末（第２デバイス）は、ＡＰとＷＬＡＮモジュールとＢＬＥモジュールとを含むことができる。マスター端末は、セルラーモジュールを介してＡＰでスレーブ端末に対するダウンリンクトラフィックが発生したか否かをモニタリングできる。モニタリングの結果、ＡＰでスレーブ端末に対するダウンリンクトラフィック発生が感知されない場合、マスター端末は、ＢＬＥモジュールを介してスレーブ端末にＷＬＡＮモジュールの非活性を指示する信号を伝送できる。この時、スレーブ端末は、ＷＬＡＮモジュールを活性状態から非活性化状態に切り替えるか、又は非活性化状態を維持できる。
【０３０４】
一方、モニタリングの結果、ＡＰでスレーブ端末に対するダウンリンクトラフィック発生が感知された場合、マスター端末は、ＢＬＥモジュールを介してスレーブ端末にＷＬＡＮモジュールの活性化を指示する信号を伝送できる。この時、スレーブ端末は、ＷＬＡＮモジュールを非活性状態から活性状態に切り替えることができる。スレーブ端末は、活性化されたＷＬＡＮモジュールを介してＡＰからビーコン信号（又はショートビーコン信号）を受信した後、ダウンリンクデータを受信することができる。
【０３０５】
以降、マスター端末は、セルラーモジュールを介してＡＰでスレーブ端末に対するダウンリンクトラフィックがこれ以上存在しないことを感知し、ＢＬＥモジュールを介してスレーブ端末にＷＬＡＮモジュールの非活性を指示する信号を伝送できる。この時、スレーブ端末は、ＷＬＡＮモジュールを活性状態から非活性化状態に切り替えることができる。
【０３０６】
図３０は、本開示の実施形態に係るグループ内の端末らが個人ＡＰに接続中の場合に対するＷＬＡＮモジュール活性状態を示す。図３０は、マスター端末の管理アクセスモジュールがＷＬＡＮモジュールで、制御アクセスモジュールが電力消耗の少ないＢＬＥモジュールである場合を仮定したものである。
【０３０７】
図３０を参照すると、マスター端末（第1デバイス）及びスレーブ端末（第２デバイス２）は、ＡＰとＷＬＡＮモジュールとＢＬＥモジュールとを含むことができる。マスター端末は、ＷＬＡＮモジュールを介してＡＰでスレーブ端末に対するダウンリンクトラフィックが発生したか否かをモニタリングできる。この時、ＷＬＡＮモジュールは、継続的に活性化状態を維持するのではなく、ＰＳＭに従ってビーコンが伝送される時点にアクティブ（又はアウェイク）に動作し、もしビーコン信号を介してマスター端末とスレーブ端末に対するダウンリンクトラフィックが感知されない場合、次のビーコン伝送時点までスリープ状態で動作できる。マスター端末は、ＡＰから伝送されるビーコン信号にマスター端末及び／又はスレーブ端末の識別情報が存在するか否かを判断して、グループ内の端末らに対するダウンリンクトラフィックの発生有無を決定できる。
【０３０８】
モニタリングの結果、ＡＰでスレーブ端末に対するダウンリンクトラフィック発生が感知されない場合、マスター端末は、ＢＬＥモジュールを介してスレーブ端末にＷＬＡＮモジュールの非活性を指示する信号を伝送できる。この時、スレーブ端末は、ＷＬＡＮモジュールを活性状態から非活性化状態に切り替えるか、又は非活性化状態を維持できる。また、マスター端末は、次のビーコン伝送時点までＷＬＡＮモジュールをスリープ状態で動作させることができ、次のビーコン伝送時点になると、ＷＬＡＮモジュールをアウェイク状態に切り替えた後、ＡＰでスレーブ端末に対するダウンリンクトラフィックが発生したか否かを感知できる。
【０３０９】
モニタリングの結果、ＡＰでスレーブ端末に対するダウンリンクトラフィック発生が感知された場合、マスター端末は、ＢＬＥモジュールを介してスレーブ端末にＷＬＡＮモジュールの活性化を指示する信号を伝送できる。この時、スレーブ端末は、ＷＬＡＮモジュールを非活性状態から活性状態に切り替えることができる。スレーブ端末は、活性化させたＷＬＡＮモジュールを介してＡＰからビーコン信号（又はショートビーコン信号）を受信した後、ダウンリンクデータを受信することができる。
【０３１０】
以降、マスター端末は、ＷＬＡＮモジュールを介してＡＰでスレーブ端末に対するダウンリンクトラフィックがこれ以上存在しないことを感知し、ＢＬＥモジュールを介してスレーブ端末にＷＬＡＮモジュールの非活性を指示する信号を伝送できる。この時、スレーブ端末は、ＷＬＡＮモジュールを活性状態から非活性化状態に切り替えることができる。
【０３１１】
図３１は、本開示の実施形態に係る他の端末とグループを形成してアクセスモジュールを制御するための端末のブロック構成を示す。
【０３１２】
図３１を参照すると、端末は、制御部３１００、第１アクセスモジュール３１１０、第２アクセスモジュール３１２０、及び保存部３１３０を含むことができる。端末に含まれた制御部３１００、第１アクセスモジュール３１１０、第２アクセスモジュール３１２０、及び保存部３１３０の各々は、図１９に示す制御部１９００、第１アクセスモジュール１９１０、第２アクセスモジュール１９２０、及び保存部１９３０の機能を行うことができ、以下説明される機能を追加的に行うことができるように構成されることができる。
【０３１３】
制御部３１００は、端末の全般的な動作を制御及び処理する。本開示の実施形態によれば、制御部３１００は、複数の他の端末らとグループを形成し、形成されたグループ内でマスター端末を決定するための機能を制御及び処理する。また、制御部３１００は、マスター端末がサポートする無線アクセス技術らのうちグループ内の端末らのダウンリンクトラフィックをモニタリングするための管理アクセス技術を決定するための機能を制御及び処理できる。また、制御部３１００は、マスター端末がサポートする無線アクセス技術らのうちグループ内の端末らのアクセスモジュールの状態制御信号を送受信するための制御アクセスモジュールを決定するための機能を制御及び処理できる。
【０３１４】
例えば、制御部３１００は、ユーザによって入力された情報、端末に保存された他の端末との接続履歴情報、他の端末と信号を送受信して獲得された情報などに基づいて、グループを形成する少なくとも１つの他の端末を決定し、決定された少なくとも１つの他の端末とグループを形成できる。制御部３１００は、グループ内の各端末がサポートする多重無線アクセス技術、各端末のアクセスモジュールの容量、各端末の残余電力レベル、第１アクセス基地局及び／又は第２アクセス基地局に対する受信信号品質、及びトポロジーのうち少なくとも１つに基づいてマスター端末を決定できる。また、制御部３１００は、ユーザによって予め登録された情報、又はグループ内の他の端末との信号送受信を介して獲得された情報に基づいて管理アクセスモジュールを決定されることができる。例えば、制御部３１００は、マスター端末２３００がサポートする多重無線アクセス技術、互いに異なる無線アクセス技術をサポートする各アクセスモジュールの容量、第１アクセス基地局及び／又は第２アクセス基地局に対する各アクセスモジュールに対する受信信号品質、第１アクセス基地局及び／又は第２アクセス基地局に対するチャネル占有確率、接続中の基地局の種類（例：事業者ＡＰ、又は個人ＡＰ）、各アクセスモジュールに対するグループ内の他の機器らのダウンリンクトラフィックモニタリングが可能であるか否か、各アクセスモジュールの電力消耗量、及びトポロジーのうち少なくとも１つに基づいて管理アクセスモジュールを決定できる。また、制御部３１００は、グループ内の端末らのアクセスモジュールの活性状態を制御するための制御アクセスモジュールを選択できる。制御アクセスモジュールは、管理アクセスモジュールと同じであってもよく、異なってもよい。例えば、管理アクセスモジュールは、第１アクセス基地局と信号を送受信する第１アクセスモジュールで、制御アクセスモジュールは、周辺端末と低電力で信号送受信が可能なアクセスモジュール（例：ＢＬＥ（Ｂｌｕｅｔｏｏｔｈ（登録商標）  Ｌｏｗ  Ｅｎｅｒｇｙ）モジュール）であってもよい。また、制御部３１００は、管理アクセスモジュール及び制御アクセスモジュールを直接決定せず、グループ内の他の端末から関連情報を受信することができる。例えば、制御部３１００は、該当端末がマスター端末でない場合、グループ内のマスター端末から制御アクセスモジュールに関する情報を受信することができる。
【０３１５】
制御部３１００は、該当端末がマスター端末である場合、決定された管理アクセスモジュールに対応する無線アクセス技術情報及び／又は制御アクセスモジュールに対応する無線アクセス技術情報をグループ内の他の端末らに伝送するための機能を制御及び処理できる。
【０３１６】
また、制御部３１００は、該当端末がマスター端末である場合、管理アクセスモジュールを活性化状態に維持させ、管理アクセスモジュールを介してグループ内の端末らに対するダウンリンクトラフィック発生有無を感知できる。制御部３１００は、グループ内の特定端末に対する特定アクセス技術のダウンリンクトラフィック発生が感知された時、特定端末に特定アクセス技術に対応するアクセスモジュールの活性化を指示する信号を伝送するための機能を制御及び処理できる。この時、制御部３１００は、制御アクセスモジュールを介して特定端末に特定アクセス技術に対応するアクセスモジュールの活性化を指示する信号を伝送できる。さらに、制御部３１００は、管理アクセスモジュールと制御アクセスモジュールが互いに異なる場合、グループ内の他の端末らにアクセスモジュールの活性状態を制御する信号を伝送する間にのみ、制御アクセスモジュールを活性化状態に維持できる。
【０３１７】
制御部３１００は、該当端末がマスター端末でない場合、決定された制御アクセスモジュールのみを活性化させ、残りのアクセスモジュールを非活性化させることができる。制御部３１００は、マスター端末から受信される信号に応じて特定アクセスモジュールを活性化又は非活性化させることができる。
【０３１８】
第１アクセスモジュール３１１０は、制御部３１００の制御に応じて第１アクセスリンクを介して第１アクセス基地局と信号を送受信できる。本開示の実施形態によれば、第１アクセスモジュール３１１０が管理アクセスモジュールである場合、第１アクセスモジュール３１１０は、制御部３１００の制御に応じて常に活性化状態を維持する。第１アクセスモジュール３１１０が制御アクセスモジュールで該当端末がマスター端末である場合、第１アクセスモジュール３１１０は、制御部３１００の制御に応じて他の端末にアクセスモジュール状態制御信号を送信する場合にのみ、活性化状態を維持できる。第１アクセスモジュール３１１０が制御アクセスモジュールで該当端末がスレーブ端末である場合、第１アクセスモジュール３１１０は、制御部３１００の制御に応じて常に活性化状態を維持できる。また、第１アクセスモジュール３１１０が管理アクセスモジュール又は制御アクセスモジュールでない場合、第１アクセスモジュール３１１０は、制御部３１００の制御に応じて第１アクセス基地局から受信すべきダウンリンクデータが存在する場合にのみ、活性化状態で動作できる。
【０３１９】
第２アクセスモジュール３１２０は、制御部３１００の制御に応じて第２アクセスリンクを介して第２アクセス基地局と信号を送受信するか、又は他の端末らと信号を送受信できる。本開示の実施形態によれば、第２アクセスモジュール３１２０が管理アクセスモジュールである場合、第２アクセスモジュール３１２０は、制御部３１００の制御に応じて常に活性化状態を維持する。第２アクセスモジュール３１２０が制御アクセスモジュールで該当端末がマスター端末である場合、第１アクセスモジュール３１２０は、制御部３１００の制御に応じて他の端末にアクセスモジュール状態制御信号を送信する場合にのみ、活性化状態を維持できる。また、第２アクセスモジュール３１２０が制御アクセスモジュールで該当端末がスレーブ端末である場合、第１アクセスモジュール３１２０は、制御部３１００の制御に応じて常に活性化状態を維持できる。第２アクセスモジュール３１２０が管理アクセスモジュール又は制御アクセスモジュールでない場合、第２アクセスモジュール３１２０は、制御部３１００の制御に応じて第２アクセス基地局から受信すべきダウンリンクデータが存在する場合にのみ、活性化状態で動作できる。
【０３２０】
保存部３１３０は、制御部３１００の制御に応じて端末の動作に必要な各種データ及びプログラムを保存する。保存部３１３０は、制御部３１００の制御に応じてグループ内の他の端末らの識別情報を保存することができる。保存部３１３０は、マスター端末、管理アクセスモジュール、制御アクセスモジュールを決定するために必要な情報を保存することができる。例えば、保存部３１３０は、ユーザによって入力された情報、端末に保存された他の端末との接続履歴情報、他の端末と信号を送受信して獲得された情報などを保存することができる。保存部３１３０は、グループ内の各端末がサポートする多重無線アクセス技術、各端末のアクセスモジュールの容量、各端末の残余電力レベル、第１アクセス基地局及び／又は第２アクセス基地局に対する受信信号品質、第１アクセス基地局及び／又は第２アクセス基地局に対するチャネル占有確率、接続中の基地局の種類（例：事業者ＡＰ、又は個人ＡＰ）、各アクセスモジュールの電力消耗量、及びトポロジー情報のうち少なくとも１つを保存することができる。
【０３２１】
以上のように、本開示は、限定された実施形態及び図面によって説明されたが、本開示は上述した実施形態に限定されるものではなく、本開示の属する分野における通常の知識を有する者であればこのような記載から多様な修正及び変形が可能である。
【０３２２】
本開示の実施形態に係る動作らは、単一の制御部によってその動作が具現されることができる。この場合、多様なコンピュータで具現される動作を行うためのプログラム命令がコンピュータ読取可能な媒体に記録されることができる。前記コンピュータ読取可能な媒体は、プログラム命令、データファイル、データ構造などを単独で又は組み合わせて含むことができる。前記プログラム命令は、本開示のために特別に設計されて構成されたものであるか、又は当業者に公知されて使用可能なものであってもよい。コンピュータ読取可能な記録媒体の例としては、ハードディスク、フロッピーディスク及び磁気テープのような磁気媒体、ＣＤ−ＲＯＭやＤＶＤのような光記録媒体、フロプティカルディスク（ｆｌｏｐｔｉｃａｌ  ｄｉｓｋ）のような磁気−光媒体及びＲＯＭ、ＲＡＭ、フラッシュメモリなどのようなプログラム命令を保存し行うように特別に構成されたハードウェア装置が含まれる。プログラム命令の例としては、コンパイラによって作られるもののような機械語コードのみならずインタープリタなどを使用してコンピュータによって実行されることができる高級言語コードを含む。本開示で説明された基地局又はリレーの全部又は一部がコンピュータプログラムで具現された場合、前記コンピュータプログラムを保存したコンピュータ読取可能な記録媒体も本開示に含まれる。したがって、本開示の範囲は説明された実施形態に限定されて定められてはならず、後述する特許請求の範囲のみならずこの特許請求の範囲と均等なものによって定められるべきである。
【符号の説明】
【０３２３】
１００  マクロ基地局
１１１  小型基地局
１２０  端末
２２０  端末
１７００  制御部
１７１０  通信モジュール
１７２０  保存部
１７３０  端末状態制御部
１８００  制御部
１８０２  状態ミスマッチ感知部
１８１０  通信モジュール
１８２０  保存部
１９００  制御部
１９１０  アクセスモジュール
１９２０  アクセスモジュール
１９３０  保存部
２３００  端末
２３０１  スレーブ端末
２３０２  スレーブ端末
２３０３  スレーブ端末
２３０４  スレーブ端末
２８００  セルラー
３１００  端末に含まれた制御部
３１００  制御部
３１１０  アクセスモジュール
３１２０  アクセスモジュール
３１３０  保存部
【図１】
0006578377.tif 000002
【図２Ａ】
0006578377.tif 000003
【図２Ｂ】
0006578377.tif 000004
【図３】
0006578377.tif 000005
【図４】
0006578377.tif 000006
【図５】
0006578377.tif 000007
【図６】
0006578377.tif 000008
【図７】
0006578377.tif 000009
【図８Ａ】
0006578377.tif 000010
【図８Ｂ】
0006578377.tif 000011
【図８Ｃ】
0006578377.tif 000012
【図８Ｄ】
0006578377.tif 000013
【図８Ｅ】
0006578377.tif 000014
【図８Ｆ】
0006578377.tif 000015
【図８Ｇ】
0006578377.tif 000016
【図８Ｈ】
0006578377.tif 000017
【図８Ｉ】
0006578377.tif 000018
【図９】
0006578377.tif 000019
【図１０Ａ】
0006578377.tif 000020
【図１０Ｂ】
0006578377.tif 000021
【図１１Ａ】
0006578377.tif 000022
【図１１Ｂ】
0006578377.tif 000023
【図１２Ａ】
0006578377.tif 000024
【図１２Ｂ】
0006578377.tif 000025
【図１２Ｃ】
0006578377.tif 000026
【図１２Ｄ】
0006578377.tif 000027
【図１３】
0006578377.tif 000028
【図１４Ａ】
0006578377.tif 000029
【図１４Ｂ】
0006578377.tif 000030
【図１５】
0006578377.tif 000031
【図１６Ａ】
0006578377.tif 000032
【図１６Ｂ】
0006578377.tif 000033
【図１７】
0006578377.tif 000034
【図１８】
0006578377.tif 000035
【図１９】
0006578377.tif 000036
【図２０】
0006578377.tif 000037
【図２１】
0006578377.tif 000038
【図２２Ａ】
0006578377.tif 000039
【図２２Ｂ】
0006578377.tif 000040
【図２２Ｃ】
0006578377.tif 000041
【図２２Ｄ】
0006578377.tif 000042
【図２３】
0006578377.tif 000043
【図２４】
0006578377.tif 000044
【図２５】
0006578377.tif 000045
【図２６】
0006578377.tif 000046
【図２７】
0006578377.tif 000047
【図２８】
0006578377.tif 000048
【図２９】
0006578377.tif 000049
【図３０】
0006578377.tif 000050
【図３１】
0006578377.tif 000051